(57)【要約】      （修正有）【課題】物質の確実な輸送のための方法、装置及びシステムを提供する。【解決手段】温度センサー及び通信リンクを有する輸送コンテナ及び光センサー並びに記憶及び通信リンクを有する貯蔵コンテナにおいて、１つの輸送される物質は、１つの生物的サンプルのような１つの生物学的物質であり、１つの独特な、使い捨ての認証コードを有する１つの配達業者にのみ移動される。認証コードは、１つの適切な場所及び１つの指定の時間に到着の時のみ、１つの配達業者に提供される。配達業者の同定またはコード確認もまた要求される。１つの管理者、移動される物質またはその両方に関する同定または他の確認が要求される。配達業者映像、管理者映像またはその両方が要求される。１つの認証コード、１つの映像、経路情報及び他の情報は、携帯電話、ＷｉＦｉ、ブルートゥース（登録商標）または他のリンクによって通信される。【選択図】図７Ａ
2019145123.tif 000002
【特許請求の範囲】
【請求項１】
本明細書に記載の発明。
【発明の詳細な説明】
【背景技術】
【０００１】
（発明の背景技術）
物質の輸送は、科学的協力および臨床診断および治療において重要な役割を果たすことを含む、商業および他の社会的相互作用の必要な部分である。しかし、物質を準備し発送するのに必要な時間および費用は、このような物質の生産、販売、および使用に関連する諸経費に追加となる。さらに、発送中に発生した遅延は時間的制約のある使用目的のための適合性、有用性、または有効性を減らすまたは除去し得る。
【０００２】
このような問題は、壊れやすい、腐敗しやすい、または特別な取り扱いを必要とする物質において悪化する。生物学的検体（例えば、血液サンプル、組織サンプル、移植のための臓器および同類のもの）のような生物学的物質は、輸送中の劣化を特に受けやすく、しばしば完全性と生存能力を維持するため、および法的および安全性要求に準拠するために、特別な取り扱い手順を要求する。このような物質の輸送は輸送中に、物質が劣化しない、または破損紛失しない、または盗まれないように注意を要し得る。
【０００３】
従って、生物学的サンプルの輸送のための改善された方法、装置、およびシステムを含む生物的または他の物質のような物質の輸送のための改善された方法、装置、およびシステムが要求される。
【０００４】
（参照による組み入れ）
本明細書で言及される全ての刊行物、特許、および特許出願は、あたかも、それぞれの刊行物、特許、および特許出願が、参照により組み込まれるために、具体的に、および個別に指示されるのと同程度に、参照によって本明細書に組み込まれる。
【発明の概要】
【課題を解決するための手段】
【０００５】
（発明の要旨）
前記物質の確実な輸送のための方法、装置、およびシステムが提供される。実施形態では、生物的または他の腐敗しやすい物質の確実な輸送のための方法、装置、およびシステムが提供される。実施形態では、希少で、価値のある、または危険な物質の確実な輸送のための方法、装置、およびシステムが提供される。実施形態では、前記物質の確実な輸送のためのこのような方法、装置、およびシステムは、例えば、移植または輸血のための標本および臓器または組織を含む生物学的物質の確実な輸送のために特に適している。本明細書において開示される前記方法、装置、およびシステムは、物質の検証された確実な輸送、適時な物質の輸送、温度管理された物質の輸送、および望ましい温度で物質を貯蔵するための監視されたコンテナを含む利点を提供する。
【０００６】
血液サンプル、尿サンプル、頬の拭い液、喉の拭い液、組織サンプル、生検標本、骨髄、臓器（例えば、移植用臓器）および動物、植物、および他の生物由来の他の物質を含む生物学的物質のような物質は、１つの場所に存在し得る（例えば、収集され得る）、その上、（例えば、処理、分析、または使用のために）別の場所に輸送される必要がある。前記物質が最初に検出された場所（および前記物質が輸送のために１つの配達業者に転送されるであろう場所）は、１つの移動場所と呼ばれ得、および前記物質が輸送される場所は１つの目的地（または、同等の１つの目的場所）と呼ばれ得る。前記物質は、１つの管理者によって１つの移動場所に収集または保持され得る。
【０００７】
１つの物質は、１つの目的地へ輸送のために１つの輸送コンテナに置かれ得る。実施形態では、１つの物質は、輸送前に１つの移動場所で１つの貯蔵コンテナに保持され得る、１つの目的地で１つの貯蔵コンテナに置かれ得る、またはその両方である。
【０００８】
物質の無断移動または輸送は、前記物質の損失または誤配置；前記物質の損傷または劣化；前記物質の不正使用；物質の盗難；または他の望ましくない結果につながり得る。
【０００９】
従って、１つの方法は、１つの配達業者に１つの認証コードを提供するために本明細書において開示され、１つの配達業者に１つの認証コードを提供するための前記方法は以下のことを含む。
１つの配達業者が存在することを確認すること：
ｉ）    １つの指定の場所で、および
ｉｉ）  １つの指定の期間内の時間で、およびそれから
１つの認証コードを有する前記配達業者を提供すること。
【００１０】
１つの認証コードは、１つの数字コード、１つの英字コード、１つの英数字コード、１つの記号、または他のコードまたはコード要素を含み得る。１つの認証コードは二つ以上ののコードを含み得る、および二つ以上のコードタイプを含み得る。実施形態では、１つの認証コード、または複数のコードは、視覚要素、音声要素、磁気要素、電磁要素、機械要素、および他の要素、およびそれらの組み合わせを含み得る。実施形態では、１つの認証コードは、１つの数字コード、１つの英字コード、１つの英数字コード、１つの記号、１つの視覚コード１つの音声コード、１つの磁気コード、１つの電磁コード、１つの機械コード、およびそれらの組み合わせを含み得る。
【００１１】
１つの管理者（例えば、一人の人、装置、または物質を保持する施設）は、１つの認証コードを要求し得る。さらなる実施形態では、１つの管理者は、１つの認証コードを提供され得る。このような１つの認証コードは、１つの指定の場所に１つの配達業者の到着前、または１つの指定の場所に１つの配達業者の到着と同時、または１つの指定の場所に１つの配達業者の到着後に、１つの管理者に提供され得る。
【００１２】
実施形態では、１つの配達業者が１つの場所に存在することを確認することは、１つの指定の場所で前記配達業者による行為を含み得る（例えば、前記配達業者は、１つの登録に署名し、身分証明書を提示し、１つの拇印を提供し、生体測定または他の行為を受けることを要求し得る。）実施形態では、１つの配達業者が１つの指定の期間内での時間で１つの場所に存在することを確認することは、衛星測位システム（ＧＰＳ）装置または要素の使用を含み得る。このようなＧＰＳ装置または要素は、１つの位置信号および１つの時計または時間信号を含む；１つの時計または時間信号を含む１つのコンピューター、タブレットコンピューター、携帯電話、および／または１つの携帯電話システムの使用を含み得る；このような使用に由来するＷｉＦｉ、および位置および／または、時間情報を含み得る；１つの指定の場所で前記配達業者による１つの行為を含み得る（例えば、前記配達業者は、１つの登録に署名し、身分証明書を提示し、１つの拇印を提供し、生体測定または他の行為を受けることを要求し得る。）
【００１３】
実施形態では、１つの配達業者が１つの指定の時間に１つの場所に存在することを確認することは、１つの配達業者が１つの指定の期間に（または、時間周期と呼ばれる）に存在することを確認することを含む。実施形態では、期間は１つの指定の時間の前に数分、後に数分以内である時間を含み得る。ここでの数分は１、２、３、４、５、６、またはそれ以上であり得る、または、１０、２０、または３０分であり得る、または１または２時間、または他の時間であり得る。数分を含む期間は、通常、１つの配達業者の到着前に決定される。例えば、実施形態では、１つの指定の１つの配達業者の到着期間は、１つの指定の場所で１つの配達業者の到着前に指定される。このような１つの指定の期間が、１つの指定の場所で１つの配達業者の到着前に指定されない実施形態では、１つの配達業者の１つの指定期間は、１つの指定の到着時間の前の数分、および後の数分以内である１つの時間を含み得る。ここでの数分は１、２、３、４、５、６、またはそれ以上であり得る。
【００１４】
実施形態では、１つの認証コードは、１つの通信リンク、例えば１つの携帯電話または携帯電話システムのような無線通信リンク；ＷｉＦｉ；１つの周波数またはマイクロ波周波数通信リンク；１つのコンピューター、１つのルーター、１つのインターネット接続装置、１つのネットワーク、または他の媒介装置、要素、またはシステム、または１つのそれらの１つの組み合わせを含み得るブルートゥース、赤外線、または他の通信連鎖を介して１つの配達業者に提供され得る。実施形態では、１つの認証コードは、電話、イーサネット（登録商標）、ファイアワイヤー、ユニバーサルシリアルバス（ＵＳＢ）、または他の物理的な接続、またはそれらの１つの組合せを介して１つの物理的連鎖を含む１つの方法によって１つの配達業者に提供され得る。実施形態では、１つの認証コードは、１つの指定の装置、１つの指定の通信装置、１つの指定の通信システム、またはそれらの１つの組み合わせを含む１つの方法によって１つの配達業者に提供され得る。１つの認証コードは、このような通信リンクのいかなる組み合わせ、またはいかなる通信方法または技術的に知られる方法の組み合わせを介して１つの配達業者に提供され得るということを理解されるであろう。実施形態では、１つの認証コードは、１つの暗号化認証コードとして提供され得る。
【００１５】
１つの身元の確認が要求され得る。実施形態では、１つの配達業者または１つの管理者、または両者の前記身元が確認され得る。実施形態では、１つの装置、または一つの車両、または他の機械または物体の前記識別は、（例えば、シリアル番号、マーキング、バーコード、クイックレスポンスコード（ＱＲコード（登録商標））、無線周波数識別（ＲＦＩＤ）装置またはシステム、または他の方法を識別することにより）確認され得る。１つの配達業者または１つの管理者、または両者の前記識別の確認は、身分証明書類の提示を含み得る；生体測定同定方法および技術の使用を含み得る；写真またはほかの映像方法の使用を含み得る；バッジ、カード、識別マーキング、または記章の開示または提示を含み得る；他の方法、および、これらのいずれか、または、すべての組み合わせを含み得る。実施形態では、１つの識別の確認は、１つのＲＦＩＤ装置またはシステムを含み得る。実施形態では、識別の確認は１つのネットワークの１つのプロセッサーの使用、例えば、クラウドベースのソフトウェアを実行する１つのプロセッサーの使用を含み得る。実施形態では、識別の確認は、例えば、携帯電話、タブレットまたは他のコンピューターカメラ、遠隔地での確認のためのその映像の送信および同定、比較または他の分析によって前記配達業者の１つの映像を取得して、１つの携帯電話、タブレット、または他のコンピューターの使用を含み得る。
【００１６】
実施形態では、１つの認証コードを有する１つの配達業者を提供する方法は、１つの認証コードを提供する前に前記配達業者の身元の確認をさらに含み得る。実施形態では、１つの配達業者の前記身元は、１つの認証コードの前記提供と同時に、またはそれに続いて確認され得る。１つの配達業者の身元が例えば、本明細書において開示される方法によって確認され得る。
【００１７】
同様に、１つの管理者は、１つの認証コードを有する１つの配達業者を提供することに関して、本明細書において開示されるような１つの認証コードを提供され得る。１つの管理者は、また、１つの配達業者の身元に関して、本明細書において開示されるような身分証明書を提出する、またはそうでなければ身分を確認することが要求され得る。
【００１８】
実施形態では、１つの認証コードの所持、または、１つの認証コードの提示は、例えば、１つの管理者が１つの配達業者に物質を移動するために十分な権限を提供し得るように、１つの物質の移動を承認するために十分であり得る。実施形態では、１つの認証コードの確認は、例えば、１つの管理者が１つの配達業者に物質を移動するために十分な権限を提供するために、１つの物質の移動を承認するために要求され得る。実施形態では、１つの認証コードの確認同様、１つの配達業者の同定は、例えば、１つの管理者が１つの配達業者に物質を移動するために十分な権限を与えるために、１つの物質の輸送に権限を与えるために要求され得る。実施形態では、１つの認証コードの確認同様、１つの配達業者の同定、および１つの管理者の同定は、例えば、１つの管理者が１つの配達業者に物質を移動するため、および１つの配達業者が前記管理者から前記物質を移動するために十分な権限を与えるために、１つの物質の移動に権限を与えるために要求され得る。適切な場所で、適切な時間に（例えば、指定された期間内に）１つの配達業者の到着はそのような確認、および、確認および同定における必要条件である。
【００１９】
実施形態では、１つの認証コードの確認は、１つの管理者によって所有または獲得された１つの認証コードと１つの配達業者によって所有または提示された１つの認証コードの比較を含み得る；１つの配達業者によって所有または提示された１つの認証コードの確認を可能にするチェックデジット、パリティビット、チェックサム、指紋、暗号ハッシュ関数、または他のコードの特性の使用を含み得る；１つの配達業者（例えば、１つのタブレットまたは携帯電話のディスプレイなど１つの配達業者のディスプレイ上の１つの認証コードの出現の１つの管理者による観察）、または他の方法によって、１つの配達業者に１つの認証コードの配信の観察を含み得る。このような確認手順のための情報は、（少なくとも部分的に）前記認証コード自体に含まれ得る；例えば、１つの管理人またはそれらの組み合わせへの１つの個別の通信に提供され得る。実施形態では、このような確認は、前記配達業者、前記管理者、または両者の写真または生体測定同定を含み得る。
【００２０】
従って、１つの方法は、１つの配達業者に１つの認証コードを提供するために本明細書において開示される。１つの配達業者に１つの認証コードを提供する方法は以下のことを含む。
１つの配達業者の前記身元を確認すること；
前記配達業者が存在することを確認すること：
ｉｉｉ）  １つの指定の場所で、および
ｉｖ）    １つの指定の期間内で；およびそれから
１つの認証コードを前記配達業者に提供すること
【００２１】
１つの移動場所での物質は、１つの管理者の保管下にあり得る。実施形態では、前記管理者は、権限なしで１つの配達業者に物質を移動しないであろう。実施形態では、前記管理者は、例えば、前記配達業者が１つの適切な配達業者であるという確認といった、権限または前記配達業者の同定なしで１つの配達業者に物質を移動しないであろう。
【００２２】
実施形態では、１つの管理者に１つの認証コードを提示することは、前記配達業者および前記管理者間の通信を含み得る；前記配達業者および前記管理者によって操作される１つの装置間の通信を含み得る；前記配達業者によって操作される１つの装置および前記管理者間の通信を含み得る；または、前記配達業者によって操作される１つの装置および前記管理者によって操作される１つの装置またはそれらの組み合わせ間の通信を含み得る。
【００２３】
従って、実施形態では、１つの配達業者は、前記管理者へ前記輸送の前記権限を確認するために、管理者から配達業者へ物質の移動の前に、１つの管理者に１つの認証コードを提示しなければならない。実施形態では、１つの配達業者は、前記管理者へ前記配達業者の前記移動および識別の前記権限を確認するために、物質の移動の前に、１つの管理者に１つの認証コードおよび身分証明書を提示しなければならない。
【００２４】
１つの管理者は、１つの有効な認証コードの受領時に１つの目的地前記物質の輸送のために１つの配達業者に物質を輸送し得る。１つの認証コードは、その外観、長さ、提示方法、または他の特性に応じて一つの管理者によって有効とみなされ得る。実施形態では、１つの認証コードは、（本明細書において開示されるような）前記認証コード、前記配達業者の身分証明書、または両方の確認により１つの管理者によって有効とみなされ得る。
【００２５】
従って、以下を含む１つの方法は、１つの配達業者に１つの移動場所で１つの管理者から１つの物質の移動の権限のために本明細書において開示される。：
以下の場合、１つの認証コードの場所を前記配達業者に提供すること
ｉ）    前記配達業者が前記移動場所に存在する
ｉｉ）  前記物質の前記移動に指定された期間内に；および
前記移動場所で前記管理者に前記認証コードを提示すること；
それによって、前記管理者から前記配達業者へ前記物質の移動が許可される。
【００２６】
実施形態では、１つの認証コードを提供することは、１つの指定の期間内に１つの移動場所で前記配達業者の前記存在を確認することに加え、前記配達業者の身元を確認することを要求し得る。
【００２７】
従って、以下を含む１つの方法は、１つの配達業者に１つの移動場所で１つの管理者から１つの物質の移動の権限のために本明細書において開示される。：
以下の場合、１つの認証コードを前記配達業者に提供すること
ｉ）    前記配達業者が前記移動場所に存在する
ｉｉ）  前記物質の前記移動に指定された期間内に；
前記移動場所で前記管理者に前記認証コードを提示すること；および
１つの適切な配達業者として前記配達業者を識別するために効果的な識別情報を配達業者に提示すること；
それによって、前記管理者から前記配達業者へ前記物質の移動が許可される。
【００２８】
従って、以下を含む１つの方法は、１つの配達業者に１つの移動場所で１つの管理者から１つの物質の移動の権限のために本明細書において開示される。：
以下の場合、１つの認証コードを前記配達業者に提供すること
ｉ）  前記配達業者が前記移動場所に存在する
ｉｉ）  前記物質の前記移動に指定された期間内に；
前記移動場所で前記管理者に前記認証コードを提示すること；および
１つの適切な配達業者として前記配達業者を識別するために効果的な識別情報を配達業者に提示すること；
前記移動場所で前記認証コードを確認すること；および
前記移動場所で前記配達業者の身元を確認すること；
それによって、前記管理者から前記配達業者へ前記物質の移動が許可される。
【００２９】
実施形態では、１つの認証コードは、前記移動場所より異なる１つの遠隔場所から提供され得る。実施形態では、１つの遠隔場所から１つの認証コードを提供することは、例えば、クラウドベースのソフトウェアを実行する１つのプロセッサーの使用のような、１つのネットワークの１つのプロセッサーの使用を含み得る。
【００３０】
１つの認証コードは、例えば、１つの移動場所での１つの管理者から１つの配達業者へ１つの物質の移動のような１つの物質の移動に権限が与えられることを確認するために使用され得る。権限が与えられると、物質が移動され得る；例えば、前記配達業者が、１つの有効な認証コードを所有または提示し、物質は、１つの指定の期間内に１つの移動場所に到着した１つの配達業者へ１つの移動場所での１つの管理者から移動され得る。実施形態では、前記配達業者は、１つの適切な配達業者として識別され、１つの有効な認証コードを所有または提示し、物質は、１つの指定の期間内に１つの移動場所に到着した１つの配達業者へ１つの移動場所での１つの管理者から移動され得る。
【００３１】
従って、実施形態では、適切な権限では、１つの物質は、１つの配達業者へ１つの管理者によって移動され得る。実施形態では、１つの配達業者の適切な権限および適切は同定では、１つの物質は、１つの配達業者へ１つの管理者によって移動され得る。実施形態では、前記認証コードの確認を含む１つの配達業者の適切な権限および適切は同定では、１つの物質は、１つの配達業者へ１つの管理者によって移動され得る。
【００３２】
従って、以下を含む１つの方法は、１つの配達業者に１つの移動場所で１つの管理者から１つの物質の移動の権限のために本明細書において開示される。：
以下の場合、１つの認証コードの場所を前記配達業者に提供すること
ｉ）    前記配達業者が前記移動場所に存在する
ｉｉ）  前記物質の前記移動に指定された期間内に；
前記移動場所で前記管理者に前記認証コードを提示すること、それによって、前記管理者から前記配達業者へ前記物質の移動が許可される；および、
前記管理者から前記配達業者へ前記物質を移動すること。
【００３３】
実施形態では、１つの認証コードを提供することは、１つの指定の期間内に１つの移動場所で前記配達業者の前記存在を確認することに加え、前記配達業者の身元を確認することを要求し得る。
【００３４】
従って、実施形態では、１つの移動場所での１つの管理者から１つの配達業者へ物質を移動するための１つの更なる方法は、以下を含む。
１つの適切な配達業者として、前記配達業者を同定するために効果的な識別情報を配達業者に提示すること；
以下の場合、１つの認証コードを前記配達業者に提供すること：
ｉ）    前記配達業者が前記移動場所に存在する、
ｉｉ）  前記物質の前記移動に指定された期間内に；
前記移動場所で前記管理者に前記認証コードを提示すること、それによって、前記管理者は前記配達業者へ前記物質の移動を許可する；および、
前記管理者から前記配達業者へ前記物質を移動すること。
【００３５】
実施形態では、１つの認証コードは、前記移動場所より異なる１つの遠隔場所から提供され得る。実施形態では、遠隔場所から１つの認証コードを提供することは、例えばクラウドベースのソフトウェアを実行する１つのプロセッサーの使用のような、１つのネットワークの１つのプロセッサーの使用を含み得る。
【００３６】
実施形態では、１つの適切な配達業者として、前記配達業者を識別するために効果的な識別情報の提示は、前記配達業者の身元を確認するために十分な証拠書類、記章、または、識別特性の所有または提示を含み得る。
【００３７】
実施形態では、１つの認証コードは、前記移動場所より異なる１つの遠隔場所から提供され得る。
【００３８】
実施形態では、１つの配達業者は、前記管理者の身元の確認時のみ、または、前記配達業者へ前記管理者により１つの認証コードの提示時のみ、または両方の場合に、１つの管理者から前記物質の移動を受け入れ得る。実施形態では、１つの配達業者は、前記物質を識別し、前記物質の信頼性を確認し、またはその適正を確認する情報の提示または閲覧時にのみ、（前記管理者へ前記配達業者による前記認証コードの提示の後）１つの管理者から前記物質の移動を受け入れ得る。
【００３９】
従って、実施形態では、１つの移動場所での１つの管理者から１つの配達業者へ物質を移動するための１つの更なる方法は、以下を含む。
１つの適切な配達業者として、前記配達業者を同定するために効果的な識別情報を配達業者に提示すること；
以下の場合、１つの認証コードを前記配達業者に提供すること：
ｉ）    前記配達業者が前記移動場所に存在する、
ｉｉ）  前記物質の前記移動に指定された期間内に；
前記移動場所で前記管理者に前記認証コードを提示すること、それによって、前記管理者は前記配達業者へ前記物質の移動を許可する；
前記管理者の識別、または、前記物質の識別、または両方；および
前記管理者から前記配達業者へ前記物質を移動すること。
【００４０】
従って、更なる実施形態では、１つの移動場所での１つの管理者から１つの配達業者へ物質を移動するための１つの更なる方法は、以下を含む。
１つの適切な配達業者として、前記配達業者を同定するために効果的な識別情報を配達業者に提示すること；
以下の場合、１つの認証コードを前記配達業者に提供すること：
ｉ）    前記配達業者が前記移動場所に存在する、
ｉｉ）  前記物質の前記移動に指定された期間内に；
前記移動場所で前記管理者に前記認証コードを提示すること、それによって、前記管理者は前記配達業者へ前記物質の移動を許可する；
前記管理者の権限を確認すること、または前記物質の権限を確認すること、または両方；および
前記管理者から前記配達業者へ前記物質を移動すること。
【００４１】
１つの認証コードが存在しない、または、１つの認証コードが有効でない、または、１つの配達業者が１つの適切な配達業者として適切に識別されていない、または前記配達業者が１つの指定時間に存在しない時、物質の移動は、認められない。実施形態では、１つの管理者は、１つの認証コードが存在しない、または前記認証コードが有効でない時に物質を移動しない。実施形態では、１つの管理者は、１つの配達業者の適切な同定が存在しない時、物質を移動しない。実施形態では、１つの配達業者が１つの指定の期間外の時に存在する時、１つの管理者は、１つの配達業者に物質を移動しない。実施形態では、１つの配達業者は、１つの管理者の適切な識別または権限が存在しない時、物質を受け入れない。実施形態では、前記配達業者が１つの指定の期間外の時に存在する時、１つの管理者は、１つの配達業者に物質を移動しない。実施形態では、１つの配達業者は、前記物質の適切な同定または権限が存在しない時、物質を受け入れない。
【００４２】
実施形態では、前記管理者は、前記認証コードの信頼性を確認するのを失敗し得る、その後に前記管理者は、前記配達業者へ物質の移動を防ぐ。実施形態では、１つの移動場所から１つの目的地へ物質の前記未承認の輸送を防ぐための１つの方法は、さらに前記配達業者の身元の確認を含む。前記配達業者の身元の確認は、例えば、身分証明書類の提示；生体測定方法を使用して識別確認；写真または他の映像方法による識別確認；または他の方法を含み得る。例えば、前記配達業者の身元の確認は、１つの携帯電話でひとつの写真または他の映像の獲得、写真または映像の送信、および前記配達業者の身元の確認を含み得る。
【００４３】
従って、実施形態では、物質の前記未承認の移動を防ぐための１つの方法は以下を含む。
前記移動場所で１つの管理者に１つの認証コードを提示すること。そこでは、前記承認コードは１つの配達業者により提示される。そこでは、前記配達業者は、１つの配達業者到着時間に前記移動場所に到着した；
前記認証コードの信頼性の確認失敗、前記配達業者の身元の確認失敗、１つの指定の期間内の時間の到着時間の失敗、または１つのそれらの組み合わせ；および
前記配達業者へ前記物質の移動を防ぐこと、
それによって、物質の前記未承認の移動は防止される。
【００４４】
実施形態では、前記配達業者は、前記管理者の身元または権限の確認に失敗し得る。実施形態では、前記配達業者は、物質の前記識別または権限の確認に失敗し得る。実施形態では、前記配達業者は、前記物質の適正の確認に失敗し得る。このような失敗が発生した時、前記配達業者は、前記管理者からの物質を受け入れ得ない、それによって、前記配達業者へ前記物質の移動を防ぐ。実施形態では、１つの移動場所から１つの目的地に物質の前記未承認の輸送を防ぐための１つの方法は、このようにさらに、前記管理者の身元または権限の確認を含む。実施形態では、１つの移動場所から１つの目的地に物質の前記未承認の輸送を防ぐための１つの方法は、このようにさらに、前記物質の前記識別または権限の確認を含む。前記管理者の身元または権限の確認は、例えば、身分証明書類の提示；生体測定方法を使用して識別確認；写真または他の映像方法による識別確認；または他の方法を含み得る。例えば、１つの管理者の前記識別または権限の確認は、１つの携帯電話でひとつの写真または他の映像の獲得、写真または映像の送信、および前記管理者の身元または権限の確認を含み得る。前記物質の前記識別または権限の確認は、例えば、物質同定書類の提示；物質同定または輸送文書の署名；シリアル番号、記章、または他のマーキングの確認；自動（例えば、バーコード、ＲＦＩＤ、または他の方法）を使用して確認；写真または他の映像方穂による識別確認、または他の方法を含み得る。
【００４５】
従って、実施形態では、物質の前記未承認の移動を防ぐための１つの方法は以下を含む。
前記移動場所で１つの管理者に１つの認証コードを提示すること。そこでは、前記承認コードは１つの配達業者により提示される。そこでは、前記配達業者は、１つの配達業者到着時間に前記移動場所に到着した；
１つの管理者の前記識別または権限の確認の試み；
１つの物質の前記識別または権限の確認の試み；
前記認証コードの信頼性の確認失敗、前記配達業者の身元の確認失敗、１つの指定の期間内の時間の到着時間の失敗、１つの管理者の前記識別または権限の確認失敗、１つの物質の前記識別または権限の確認失敗、または１つのそれらの組み合わせ；および
前記配達業者へ前記物質の移動を防ぐこと、
それによって、前記未承認の物質の移動は防止される。
【００４６】
１つの配達業者は、１つの移動場所から１つの目的地へ１つの物質を輸送し得る。１つの配達業者は、複数の移動場所から複数の目的地へ複数の物質を輸送し得る。１つの配達業者は、複数の移動場所から１つの目的地へ複数の物質を輸送し得る。１つの配達業者は、例えば、１つの移動場所への１つの経路；１つの移動場所から別の場所への１つの経路；１つの移動場所から１つの目的地への１つの経路；ひとつの目的地から別の目的地への１つの経路  ｍａｙ  ｔｒａｖｅｌ  ａｌｏｎｇ１つの経路のような１つの経路に沿って移動し得る。１つの配達業者は、（例えば、１つの移動場所へ、移動場所間、ひとつの目的地へ、目的地間、または他の複数の場所へ、またはそれらの組み合わせで移動する時、従うべき１つの経路のような）１つの経路を提供され得る。
【００４７】
実施形態では、１つの経路は、１つの移動場所および１つの目的地の間の距離；１つの最初の移動場所および１つの２番目の移動場所の間の距離；交通状況；道路状況；道路状況；環境状況（例えば、天候）；輸送される物質の種類；輸送される物質の供給源；輸送の時間感度；輸送される前記物質の腐敗性；輸送される前記物質の脆弱性；輸送車両の空調／暖房の利用性；および他の要因を含む要因により決定され得る。
【００４８】
従って、実施形態では、出願人は、以下を含む１つの移動場所から１つの目的地へ１つの物質を輸送するために１つの方法を開示する。
１つの移動場所および１つの目的地への１つの経路を１つの配達業者に提供すること；
前記移動場所で１つの認証コードを１つの配達業者に提供すること；
前記移動場所で１つ前記認証コードの提示の時に前記配達業者に１つの物質を移動すること；および
前記目的地に前記物質を輸送すること。
【００４９】
従って、実施形態では、出願人は、以下を含む１つの移動場所から１つの目的地へ１つの物質を輸送するために１つの方法を開示する。
１つの移動場所および１つの目的地への１つの経路を１つの配達業者に提供すること；
前記移動場所で１つの認証コードを１つの配達業者に提供すること；
認証コードを確認すること；
前記配達業者の身元を確認すること；
前記移動場所で１つ前記認証コードの提示の時に前記配達業者に１つの物質を移動すること；および
【００５０】
前記目的地に前記物質を輸送すること。
【００５１】
さらなる実施形態では、１つの移動場所から１つの目的地へ１つの物質を輸送するための１つの方法は以下を含む。
１つの移動場所および１つの目的地への１つの経路を１つの配達業者に提供すること；
前記移動場所で１つの認証コードを１つの配達業者に提供すること；
前記認証コードの信頼性を確認すること；
前記移動場所で１つ前記認証コードの提示の時に前記配達業者に１つの物質を移動すること；および
前記目的地に前記物質を輸送すること。
【００５２】
実施形態では、１つの配達業者は、１つの指定の期間内の時間に１つの移動場所に存在する時、唯一１つの認証コードを提供される。実施形態では、１つの配達業者は、身分証明書の提示および１つの指定の期間内の時間に１つの移動場所に存在する時、唯一１つの認証コードを提供される。
【００５３】
従って、実施形態では、出願人は、以下を含む複数の移動場所から１つの目的地へ複数の物質を輸送するために１つの方法を開示する。
最初の１つの移動場所、一つ以上の次の移動場所、および１つの目的地への１つの経路を１つの配達業者に提供すること；
前記最初の移動場所で最初の１つの認証コードを１つの配達業者に提供すること；
前記最初の移動場所で１つの管理者に前記最初の認証コードの提示の時に、前記配達業者へ最初の１つの物質を移動すること；
一つ以上の次の移動場所で１つの次の認証コードを１つの配達業者に提供すること；
一つ以上の次の移動場所で１つの管理者へ前記次の認証コードの提示の時に、前記配達業者へ１つの次の物質を移動すること；および
前記目的地へ前記最初の物質および前記次のそれぞれを移動すること。
【００５４】
実施形態では、このような方法は、前記一つ以上の次の移動場所のそれぞれで、１つの次の認証コードを１つの配達業者に提供することを含む。実施形態では、このような方法は、前記一つ以上の次の移動場所のそれぞれで、１つの管理者に前記次の認証コードの提示の時に、前記配達業者へ１つの次の物質を移動することを含む。
【００５５】
実施形態では、このような方法は、１つの移動場所で１つの認証コードの信頼性を確認することを含む。実施形態では、このような方法は、さらに、１つ以上の移動場所でそれぞれの認証コードの信頼性を確認することを含む。実施形態では、このような方法は、さらに、それぞれの移動場所でそれぞれの認証コードの信頼性を確認することを含む。
【００５６】
実施形態では、１つの配達業者は、１つの指定の期間内の時間で１つの移動場所に存在する時、唯一１つの認証コードを提供される。実施形態では、１つの配達業者は、身分証明書の提示および１つの指定の期間内の時間で１つの移動場所に存在する時、唯一１つの認証コードを提供される。
最初の１つの移動場所、一つ以上の次の移動場所および１つの目的地への１つの経路を１つの配達業者に提供すること；
前記最初の移動場所で最初の１つの認証コードを１つの配達業者に提供すること；
前記最初の移動場所で前記認証コードを確認すること；
前記最初の移動場所で前記配達業者の身元を確認すること；
前記最初の移動場所で１つの管理者へ前記最初の認証コードの確認時に、前記配達業者へ最初の１つの物質を移動すること；
前記一つ以上の次の移動場所のそれぞれで１つの次の認証コードを１つの配達業者に提供すること；
前記次の移動場所のそれぞれで、前記認証コードを確認すること；
前記次の移動場所のそれぞれで、前記配達業者の身元を確認すること；
一つ以上の次の移動場所で１つの管理者へ前記次の認証コードの提示の時、前記配達業者へ１つの次の物質を移動すること；および
前記目的地へ前記最初の物質および前記次の物質のそれぞれを輸送すること。
【００５７】
従って、実施形態では、出願人は、以下を含む１つの移動場所から複数の目的地へ複数の物質を輸送するために１つの方法を開示する。
前記複数の目的地は最初の１つの目的地および１つ以上次の目的地を含む、１つの移動場所および複数の目的地への１つの経路を１つの配達業者に提供すること；
前記移動場所で１つの認証コードを１つの配達業者に提供すること；
前記複数の物質は、最初の１つの目的地に配達されるための最初の１つの物質、および一つ以上の次の目的地に配達されるための一つ以上の次の物質を含む、前記移動場所で１つの管理者に前記認証コードの提示の時、前記配達業者に前記複数の物質を移動すること；
前記最初の目的地への前記最初の物質を輸送すること；および
前記次の目的地のそれぞれに前記次の物質のそれぞれを輸送すること。
【００５８】
実施形態では、このような方法は、さらに、１つの移動場所で１つの認証コードの信頼性の確認を含む。
【００５９】
実施形態では、１つの配達業者は、１つの指定の期間内の時間で１つの移動場所に存在する時、唯一１つの認証コードを提供される。実施形態では、１つの配達業者は、身分証明書の提示および１つの指定の期間内の時間で１つの移動場所に存在する時、唯一１つの認証コードを提供される。
【００６０】
従って、実施形態では、出願人は、以下を含む複数の移動場所から複数の目的地へ１つの物質または複数の物質を輸送するために１つの方法を開示する。
最初の１つの移動場所、一つ以上の次の移動場所、最初の１つの目的地、および１つ上の次の目的地への１つの経路を１つの配達業者に提供すること；
前記最初の移動場所で１つの認証コードを１つの配達業者に提供すること；
前記最初の物質は最初の１つの目的地へ、または、最初の１つの目的地および１つ以上の次の目的地へ輸送されるために１つの物質または複数の物質を含む、前記最初の移動場所で１つの管理者に前記認証コードの提示の時、前記配達業者に前記最初の物質を移動すること；
１つ以上の次の移動場所で１つの次の認証コードを１つの配達業者に提供すること；
前記次の物質は、最初の１つの目的地へ、または、最初の１つの目的地および１つ以上の次の目的地へ輸送されるために１つの物質または複数の物質を含む、１つ以上の次の移動場所で１つの管理者に前記次の認証コードを提示の時、前記配達業者に１つの次の物質または複数の物質を移動すること；および
前記最初の目的地へ、または、前記最初の目的地および前記次の目的地へ、または複数の目的地へ前記物質を輸送すること。
【００６１】
実施形態では、このような方法は、前記１つ以上の次の移動場所のそれぞれで１つの次の認証コードを１つの配達業者に提供することを含む。実施形態では、このような方法は、前記１つ以上の次の移動場所のそれぞれで１つの管理者に前記次の認証コードを提示の時、前記配達業者に１つの次の物質または複数の物質を移動することを含む。
【００６２】
実施形態では、このような方法は、１つの移動場所で１つの認証コードの信頼性の確認を含む。実施形態では、このような方法は、さらに、１つ以上の移動場所でそれぞれの認証コードの信頼性の確認を含む。実施形態では、このような方法は、さらに、それぞれの移動場所でそれぞれの認証コードの信頼性の確認を含む。
【００６３】
実施形態では、１つの配達業者は、１つの指定の期間内の時間に１つの移動場所に存在する時、唯一１つの認証コードを提供される。実施形態では、１つの配達業者は、身分証明書の提示および１つの指定の期間内の時間に１つの移動場所に存在する時、唯一１つの認証コードを提供される。
【００６４】
従って、実施形態では、出願人は、以下を含む複数の移動場所から複数の目的地へ１つの物質または複数の物質を輸送するために１つの方法を開示する。
最初の１つの移動場所、一つ以上の次の移動場所、最初の１つの目的地、および１つ上の次の目的地への１つの経路を１つの配達業者に提供すること；
前記最初の移動場所で１つの認証コードを１つの配達業者に提供すること；
前記最初の移動場所で前記認証コードを確認すること；
前記最初の移動場所で前記配達業者の身元を確認する；
前記最初の物質は、最初の１つの目的地へ、または最初の１つの目的地および１つ以上の次の目的地へ輸送されるために１つの物質または複数の物質を含む、前記最初の移動場所で前記配達業者の前記認証コードおよび同定の確認時、前記配達業者に前記最初の物質を移動すること；
１つ以上の次の移動場所で１つの次の認証コードを１つの配達業者に提供すること；
前記一つ以上の次の移動場所で前記認証コードを確認すること；
前記一つ以上の次の移動場所で前記配達業者の身元を確認すること；
前記次の物質は、最初の１つの目的地へ、または最初の１つの目的地および１つ以上の次の目的地へ輸送されるために１つの物質または複数の物質を含む、前記次の認証コードまたは複数のコードおよび一つ以上の次の移動場所で、前記配達業者の身分証明書の提示時、前記配達業者へ１つの次の物質または複数の物質を移動すること；および
前記最初の目的地へ、または前記最初の目的地および前記次の目的地へ、または複数の目的地へ前記物質を輸送すること。
【００６５】
実施形態では、前記配達業者は、前記管理者の身元または権限の確認を要求し得る。実施形態では、前記配達業者は、前記物質の前記識別または権限の確認を要求し得る。従って、１つの目的地または複数の目的地へ１つまたは複数の物質を輸送するための方法の実施形態は、前記管理者の身元または権限の確認を含み得る。従って、１つの目的地または複数の目的地へ１つまたは複数の物質を輸送するための方法の実施形態は、前記物質の前記識別または権限の確認を含み得る。このような確認の失敗の場合には、前記配達業者は、前記管理者から物質を受け入れ得ない。それによって、前記物質が１つの目的地へ輸送されないように前記配達業者へ前記物質の移動を防ぐ。
【００６６】
従って、１つの移動場所から１つの目的地へ１つの物質を輸送するための方法の実施形態は、さらに、前記管理者の身元または権限の確認を含み得る。実施形態では、１つの移動場所から１つの目的地へ１つの物質を輸送するための方法は、さらに、前記物質の前記識別または権限の確認を含み得る。
【００６７】
従って、複数の移動場所から１つの目的地へ複数の物質を輸送するための方法の実施形態は、さらに、前記管理者の身元または権限の確認を含み得る。実施形態では、複数の移動場所から１つの目的地へ複数の物質を輸送するための方法は、さらに、前記物質の前記識別または権限の確認を含み得る。
【００６８】
従って、１つの移動場所から複数の目的地へ複数の物質を輸送するための方法の実施形態は、さらに、前記管理者の身元または権限の確認を含み得る。実施形態では、１つの移動場所から複数の目的地へ複数の物質を輸送するための方法は、さらに、前記物質の前記識別または権限の確認を含み得る。
【００６９】
従って、複数の移動場所から複数の目的地へ複数の物質を輸送するための方法の実施形態は、さらに、前記管理者の身元または権限の確認を含み得る。実施形態では、複数の移動場所から複数の目的地へ複数の物質を輸送するための方法は、さらに、前記物質の前記識別または権限の確認を含み得る。
【００７０】
１つの配達業者は、一つの車両で移動し得る。配達業者による輸送は、１つの車両での輸送を含み得る。実施形態では、１つの車両は、１つの自転車、１つの車、１つのトラック、１つのバン、１つのトレーラー、１つの電車、１つの無人車両、１つの飛行機、１つのヘリコプター、１つの無人操縦飛行機、１つの船舶、または他の車両であり得る。輸送される１つの物質は、１つの車両で輸送され得る。１つの車両で輸送される１つの物質は、１つのコンテナに配置され得る。
【００７１】
従って、物質は、輸送のために１つのコンテナに配置され得る；実施形態では、物質は、１つの輸送コンテナに配置され得る。１つの輸送コンテナは、熱遮断される。実施形態では、１つの輸送コンテナは、温度制御され得る；例えば、１つの輸送コンテナは、１つの冷却装置を含み得る。例えば、１つの輸送コンテナは、１つのファン、または他の冷却方法（例えば、氷、ドライアイス、他の冷却材、蒸発冷却、冷媒、または他の冷却装置または冷却要素）を含み得る、および１つの冷蔵室を含み得る。実施形態では、１つの輸送コンテナは１つのヒーターを含み得る。
【００７２】
実施形態では、１つの輸送コンテナは、１つの温度センサーを含み得る；１つの輸送コンテナは、感知された温度を通信するための１つのディスプレイまたは１つの通信リンクを含み得る；１つの輸送コンテナは、情報受信および情報指示のための１つの情報リンクを含み得る。その情報は１つの感知された温度および他の要因に関係し得る。
【００７３】
従って、実施形態では、１つの輸送コンテナは、１つの格納装置、１つの蓋、１つの温度センサー、および１つの通信リンクを含み得る。実施形態では、１つの格納装置は、熱遮断、例えば、熱遮断を提供する１つの物質、熱遮断を提供する１つの設計を含み得る。実施形態では、１つの輸送コンテナは、１つの冷却装置を含み得る。実施形態では、冷却装置は、例えば、１つの冷媒、１つの冷蔵コイル、１つのポンプ、１つのファン、ひとつの蒸発または熱交換要素、および他の要素を含み得る。
【００７４】
従って、物質を含むための１つの方法は以下を含む；
１つの輸送コンテナに１つの物質を配置すること。そこでは、前記輸送コンテナは１つの温度センサーおよび１つの感知された温度を通信するための１つの通信リンクまたはディスプレイを含む；
１つの温度を感知すること；および
前記感知した温度を表示するすこと、前記通信リンクによって前記感知した温度を通信すること、またはその両方。
【００７５】
実施形態では、１つの配達業者は、１つの輸送コンテナの前記温度を考慮して、または１つの輸送コンテナの１つの通信リンクを介して通信される情報または指示を考慮して、前記物質の輸送を最適化するために１つの指定の経路を変更し得る。
【００７６】
従って、前記物質の輸送ための１つの方法は以下を含む：
１つの輸送コンテナに１つの物質を配置すること。そこでは、前記輸送コンテナは１つの温度センサーおよび１つの感知された温度を通信するための１つの通信リンクまたはディスプレイを含む；
前記輸送コンテナで前記物質を輸送すること；
１つの温度を感知すること；および
前記感知した温度を表示するすこと、前記通信リンクによって前記感知した温度を通信すること、またはその両方。
【００７７】
実施形態では、前記物質の輸送のための１つの方法は、さらに、１つの配達業者による輸送を含む。そこでは、前記物質は、１つの管理者に１つの認証コードの提示の時、前記配達業者に移動される。
【００７８】
前記温度が、例えば最大値を超えるような１つの要求範囲外であると感知される場合、１つの警報が始動され得る、および１つの警報が通信され得る。従って、１つの目的地への１つの経路に沿って１つの物質の前記輸送のための１つの方法は、以下を含む：
１つの輸送コンテナに１つの物質を配置すること。そこでは、前記輸送コンテナは１つの温度センサーおよび１つの感知された温度を通信するための１つのディスプレイを含む；
１つの温度を感知すること；
前記感知した温度が１つの警報限界を超える場合、１つの警報を表示すること；および
前記目的地へ前記経路を変更すること。
【００７９】
実施形態では、１つの目的地への１つの経路に沿って前記物質輸送のための１つの方法は、さらに、１つの配達業者による輸送を含む。そこでは、１つの管理者に１つの認証コードの提示の時、前記物質は、前記配達業者に移動された。
【００８０】
１つの配達業者、または、１つの通信リンクを監視する一人のオペレーター、またはその他は前記感知した温度を監視し、前記温度が１つの要求範囲外になる場合、応答し得る。前記温度が１つの要求範囲外になる場合、１つの警報が通信される。実施形態では、前記温度が１つの上限を超えて上昇する場合、１つの温度は、１つの要求範囲外になり得る。実施形態では、前記温度が下限を下回った場合、１つの温度は、１つの要求範囲外になり得る。
【００８１】
さらなる実施形態では、１つの目的地への１つの経路に沿って１つの物質の前記輸送のための１つの方法は、以下を含む：
１つの輸送コンテナに１つの物質を配置すること。そこでは、前記輸送コンテナは、１つの温度センサー、および、１つの感知した温度を通信するように構成された１つの通信リンクを含む；
前記輸送コンテナで前記物質を輸送すること；
１つの温度を感知すること；
前記感知した温度を通信すること；および
前記目的地へ前記経路を変更すること。
【００８２】
実施形態では、１つの目的地への１つの経路に沿って前記物質輸送のためのこのような１つの方法は、さらに、１つの配達業者による輸送を含む。そこでは、１つの管理者に１つの認証コードの提示の時、前記物質は、前記配達業者に移動された。実施形態では、このような方法（例えば、前記物質輸送のための方法、および１つの経路に沿って前記物質輸送のための方法）は、さらに、前記管理者の身元を確認すること、前記物質を移動するために前記管理者の前記権限を確認すること、またはその両方を含み得る。実施形態では、このような方法は、さらに、それぞれの移動場所で前記管理者の身元を確認すること、前記物質を移動するために前記管理者の前記権限を確認すること、またはその両方を含み得る。
【００８３】
実施形態では、通信は、１つの遠隔場所に１つの信号を提供すること、例えば、１つの遠隔場所に位置する一人のオペレーターにまたは、１つの遠隔場所に位置する１つのプロセッサーに１つの信号を提供することを含む。実施形態では、例えば、１つのクラウドネットワークのような１つのネットワークにリンクされた１つのプロセッサーに１つの信号を提供することを含む。実施形態では、前記感知された温度を通信することは、１つのアラーム限界を超える１つの温度を通信することを含む。
【００８４】
物質は、貯蔵のために１つの貯蔵コンテナに配置され得る；例えば、物質は貯蔵のために１つの温度管理された貯蔵コンテナに配置され得る。実施形態では、１つの温度管理された貯蔵コンテナは、１つの冷却装置、例えば、冷蔵室を含み得る。物質は、１つの目的地への輸送後に１つの貯蔵コンテナに配置され得る。１つの貯蔵コンテナは、１つの温度管理された内部容積を含み得る。１つの温度管理された貯蔵コンテナは、１つの格納装置および、前記コンテナに配置され得る、および前記コンテナから除かれ得る物質を通す１つの入り口を含み得る；実施形態では、１つの入り口は、一つの構成では、被覆され得る１つのドア、蓋、ハッチ、また他の開口部であり得る、および、他の構成では、前記コンテナの内部へのアクセスを提供する。１つの入り口は、閉じた時、前記格納装置を密閉するように構成され得る；１つの密閉は１つの水密閉または気密閉を含み得る。実施形態では、１つの密閉は、１つの光を通さない密閉を含み得る。
【００８５】
物質を貯蔵するため、およびその後に使用またはさらなる輸送に適した１つの状態に前記物質を維持するために構成された１つの貯蔵コンテナは、本明細書において提供される。実施形態では、本明細書において開示されるような１つの貯蔵コンテナは、１つの格納装置、１つの入り口、一つのディスプレイまたは通信リンク、および１つの光センサーを含み得る；さらなる実施形態では、このような１つの貯蔵コンテナは、１つの温度センサーを含み得る。例えば、１つの貯蔵コンテナの１つの格納装置は、熱遮断され得る、または、そうでなければ、１つの要求内部温度を維持するために構成され得る。１つの貯蔵コンテナの入り口は、例えば、前記格納装置の前記内部へのアクセスを可能にする一つの開口部を含み得る；例えば、１つの入り口は、開いた時、前記格納装置の前記内部にアクセス可能な、および閉じた時、そのようなアクセスを防ぐ１つの蓋、ドア、または他の要素を含み得る。実施形態では、１つの光センサーは、１つの貯蔵コンテナ内に配され得る、および１つの入り口が開き得る時（例えば、光が１つの入り口を通して入り得る時）、検出するよう構成され得る。実施形態では、１つの光センサーは、１つの入り口の前記開口；１つの入り口の不完全閉口；１つの入り口が開かれる回数；および光が１つの貯蔵コンテナに入り得る時の他の事象および時間帯を検出するよに適切であり得る。実施形態では、１つの貯蔵コンテナは、照度を記録するよう構成された１つの記憶構成要素を含み得る。例えば、１つの入り口の前記開口；１つの入り口の不完全閉口；１つの入り口が開かれる回数；および光が１つの貯蔵コンテナに入り得る時の他の事象および時間帯を記録するよう構成され得る。
【００８６】
従って、１つの物質の前記貯蔵のための１つの方法は以下を含む：
１つの内部空間を有する１つの貯蔵コンテナに１つの物質を配置すること。そこでは、前記貯蔵コンテナは、前記内部空間にアクセスを提供し、開くように構成される一つの入り口、前記貯蔵コンテナ内の前記内部空間に１つの照度を感知するよう構成される１つの光センサー、および１つの感知した照度を通信するための１つの通信リンクを含む；
前記貯蔵コンテナ内の１つの照度を感知すること；および
前記感知照度を通信すること。
【００８７】
実施形態では、１つの貯蔵コンテナに配置された前記物質は、１つの管理者の管理下にあった。実施形態では、１つの貯蔵コンテナに配置された前記物質は、１つの管理者によって前記コンテナに配置された。実施形態では、１つの貯蔵コンテナに配置された前記物質は、１つの管理者によって提供された。そこでは、前記物質は、１つの管理者に１つの認証コードを提示する時、前記配達業者に移動された。
【００８８】
実施形態では、前記貯蔵コンテナは、さらに記憶を含む。
【００８９】
従って、１つの物質の前記貯蔵のための１つの方法は以下を含む：
１つの貯蔵コンテナ１つの物質を配置すること。そこでは、前記貯蔵コンテナは、前記内部空間にアクセスを提供し、開くように構成される一つの入り口、前記貯蔵コンテナ内の前記内部空間に１つの照度を感知するよう構成される１つの光センサー、および１つの感知した照度を通信するための１つの通信リンクを含む１つの貯蔵コンテナ１つの物質を配置すること；
前記貯蔵コンテナ内で１つの照度を感知すること；および
前記記憶に前記感知した照度を記録すること。
【００９０】
記憶を含む１つの貯蔵コンテナを有する実施形態では、このような方法は、さらに、前記感知した照度の通信を含み得る、および、さらに、複数の感知した照度の通信を含み得る。
【００９１】
記憶を有するまたは有しない１つの貯蔵コンテナを含むこのような方法の実施形態では、１つの感知した照度は、１つのポートが１つの開いた構成にあるかどうか、または、１つのポートが１つの閉じた構成にあるかどうかを示し得る。実施形態では、１つのアラームは、１つの開いた構成にある時、通信され得る。例えば、１つのアラームは、１つのポートが最短期間を超える期間、１つの開いた構成にある時に、通信され得る。
【００９２】
従って、前記物質の確実な輸送のための方法が提供される。前記物質の確実な輸送のための輸送コンテナおよび貯蔵コンテナを含む装置およびシステムが提供される。このような物質は、生物学的サンプル、生物的標本、移植のための臓器、および他の生物学的物質のような生物学的物質を含む。
【００９３】
このような物質は、腐敗しやすい物質を含み得る；例えば、生物学的サンプル、標本、組織、および臓器のような生物学的物質に加え、腐敗しやすい物質は、また、食料品；生物；半減期の短い放射性物質；劣化し得る、不安定であり、またはそうでなければ短命であり得る化学物質；および他の腐敗しやすい物質を含み得る。
【００９４】
さらに、実施形態では、本明細書において開示される前記方法、装置、およびシステム（コンテナを含む）は、例えば：現金；有価証券；宝石；他の貴重品；芸術品；珍しい切手、書籍または原稿；他の収集品；および他の物質のような、非常に貴重な、または稀な物質の前記確実な輸送のために使用され得る。さらに、実施形態では、本明細書において開示される前記方法およびコンテナは、例えば、核廃棄物を含む核物質；軍事文書および輸出規制の対象文書を含む機密文書；毒；１つの法的手続きで使われたまたは使われる証拠；および他の物質のような、危険または気密物質、特に、その輸送が１つの文書化した過程管理を要求する特別な物質の前記確実な輸送のために使用され得る。
【００９５】
前記方法、装置、およびシステム（輸送コンテナおよび貯蔵コンテナを含む）は、１つの配達業者が、確かで適切な認可された配達業者であること；物質が１つの認可された配達業者にのみ移動されること；および、物質が１つの認可された配達業者によってのみ輸送されることを保証するための優れた方法を提供する。１つの配達業者が１つの経路の変更後でさえ１つの認可された配達業者であるということを保証する能力を保持しながら、優れた方法は、いくつかの可能な条件のいずれかによって要求される場合、１つの配達業者の再経路指定を可能にするということが提供される。例えば、１つの（変更された）指定された時間に１つの移動場所にそれらの到着時のみに１つの認証コードが１つの配達業者に提供されるので、１つの経路が変更になっている時でさえ、１つの指定の時間に１つの指定の場所で前記配達業者の到着時のみに１つの配達業者に１つの認証コードの提供は未認可の移動を防ぐ。このような方法は、物質の移動は承認されているということを保証することによって改善されたセキュリティーを提供する；時間、場所、および配達業者は物質移動の前に承認されることを要求することによって改善された信頼性を提供する；および、経路、条件、およびコンテナの監視を提供することにより改善された安全性を提供する。本明細書において開示される輸送コンテナおよび貯蔵コンテナは、本明細書において開示される前記新しい方法の実施で使われる場合、新しい特徴および能力を含み、さらなる利点を可能にする。
【００９６】
従って、このような方法、システムおよび装置は、従来の方法、システムおよび装置と比較して、確実、信頼性、および安全性の利点を提供する。従って、本明細書において開示される前記方法、装置、およびシステム（輸送コンテナおよび貯蔵コンテナを含む）は、技術を超える利点を提供する。
【００９７】
この要旨は、以下の「発明の詳細な説明」で更に記載される、概念の選択を、単純化された形態での紹介するために提供されている。この要旨は、請求される対象の、主要な特性または本質的特性を特定することを意図していないし、請求される対象の範囲を限定することも意図していない。
本発明は、例えば、以下を提供する。
（項目１）
以下を含む、１つの配達業者に１つの認証コードを提供するための１つの方法：
１つの配達業者の存在を確認すること：
ｉ）    １つの指定の場所で、および
ｉｉ）  １つの指定の期間内の時間に；その後に
１つの認証コードを前記配達業者に提供すること。
（項目２）
以下を含む、１つの配達業者に１つの認証コードを提供するための１つの方法：
１つの配達業者の前記識別を確認すること；
前記配達業者の存在を確認すること：
ｉ）    １つの指定の場所で、および
ｉｉ）  １つの指定の期間内の時間に；その後に
１つの認証コードを前記配達業者に提供すること。
（項目３）
以下を含む、１つの移動場所で１つの管理者から１つの配達業者に１つの物質の移動を承認するための１つの方法：
以下の場合に１つの認証コードを前記配達業者に提供すること：
ｉ）    前記配達業者が前記移動場所に存在する、
ｉｉ）  前記物質の前記移動のために指定された期間内；および
前記移動場所で前記管理者へ前記認証コードを提示すること；
それにより、前記管理者から前記配達業者へ前記物質の移動が承認される。
（項目４）
さらに前記移動場所で前記認証コードの確認を含む、項目３に記載の前記方法。
（項目５）
前記認証コードが前記移動場所より異なる１つの遠隔場所から提供される、項目３に前記記載の方法。
（項目６）
以下を含む、１つの移動場所の１つの管理者から１つの配達業者へ１つの物質の移動を承認するための１つの方法：
以下の場合、１つの認証コードを前記配達業者に提供すること：
ｉ）    前記配達業者が前記移動場所に存在する、
ｉｉ）  前記物質の前記移動のために指定された期間内；
前記移動場所で前記管理者へ前記認証コードを提示すること；および
１つの適切な配達業者として前記配達業者を同定するのに効果的な配達業者識別情報を提示すること；
それにより、前記管理者から前記配達業者へ前記物質の移動が承認される。
（項目７）
さらに前記移動場所で前記認証コードの確認を含む、項目６に記載の前記方法。
（項目８）
前記認証コードが前記移動場所より異なる１つの遠隔場所から提供される、項目６に前記記載の方法。
（項目９）
さらに前記物質の同定を含む、前記物質の信頼性を確認する、またはその適正を確認する、項目１から８のいずれかに記載の前記方法。
（項目１０）
以下を含む物質の未承認移動防止のための１つの方法：
前記認証コードが１つの管理者によって提示され、前記配達業者が１つの配達業者の到着時間に前記移動場所に到着していた、前記移動場所で１つの管理者に１つの認証コードを提示すること；
前記認証コードの信頼性を確認できない、前記配達業者の身元を確認できない、１つの指定期間内の１つの時間である前記配達業者の到着時間の不履行、または１つのそれらの組み合わせ；および
前記配達業者へ前記物質の前記移動を防ぐこと、
それにより、物質の前記未承認の移動が防止される。
（項目１１）
以下を含む、物質の未承認の移動の防止のための１つの方法：
前記認証コードは１つの配達業者によって提示され、前記配達業者は１つの配達業者の到着時間に前記移動場所に到着した、前記移動場所に１つの配達業者に１つの認証コードを提示すること；
前記認証コードの信頼性を確認できない、前記配達業者の身元を確認できない、１つの指定期間内の１つの時間である前記配達業者の到着時間の不履行、または１つのそれらの組み合わせ；または
前記管理者の身元を確認できない、または前記物質を移動するために前記管理者の前記権限を確認できない；または
前記物質の同定、前記物質の信頼性の確認、またはその適正の確認ができない；および
前記配達業者へ前記物質の前記移動を防ぐこと、
それにより、物質の前記未承認の移転が防止される。
（項目１２）
以下を含む、１つの移動場所から１つの目的地へ１つの物質を輸送するための１つの方法：
１つの移動場所および１つの目的地への１つの経路を１つの配達業者に提供すること；
前記移動場所で１つの認証コードを１つの配達業者に提供すること；
前記移動場所で１つの管理者に前記認証コードを提示の時、前記配達業者へ１つの物質を移動すること；および
前記目的へ前記物質地を輸送すること。
（項目１３）
さらに、前記認証コードの確認を含む、項目１２に記載の前記方法。
（項目１４）
さらに、前記配達業者の身元の確認を含む、項目１２に記載の前記方法。
（項目１５）
さらに、前記管理者の身元の確認、前記物質を移動するために前記管理者の権限を確認、またはその両方を含む、項目１２に記載の前記方法。
（項目１６）
さらに、前記物質の同定を含む、前記物質の信頼性を確認する、前記物質の適正を確認する、または１つのそれらの組み合わせの、項目１２に記載の前記方法。
（項目１７）
前記認証コードは、前記移動場所より異なる１つの遠隔場所から提供される、項目１２に記載の前記方法。
（項目１８）
以下を含む、複数の移動場所から１つの目的地へ複数の物質を輸送するための１つの方法：
最初の１つの移動場所、１つ以上の次の移動場所および１つの目的地への１つの経路を１つの配達業者に提供すること：
前記最初の移動場所で最初の１つの認証コードを１つの配達業者に提供すること；
前記最初の移動場所で１つの管理者に前記最初の認証コードを提示の時、前記配達業者に最初の１つの物質を移動すること；
１つ以上の次の移動場所で１つの次の認証コードを１つの配達業者に提供すること；
１つ以上の次の移動場所で１つの管理者に前記次の認証コードを提示の時、前記配達業者に１つの次の物質を移動すること；
前記目的地へ前記最初の物質および前記次の物質を輸送すること。
（項目１９）
１つの認証コードが前記１つ以上の次の場所のそれぞれで、前記配達業者に提供される、および、１つの次の物質が前記１つ以上の次の移動場所のそれぞれで、１つの管理者に前記次の認証コードを提示の時、前記配達業者に移動される、項目１８に記載の前記方法。
（項目２０）
さらに、１つの移動場所で前記認証コードの確認を含む、項目１８または１９に記載の前記方法。
（項目２１）
さらに、前記移動場所のそれぞれで、前記認証コードの確認を含む、項目１８または１９に記載の前記方法。
（項目２２）
さらに、１つの移動場所で前記配達業者の身元の確認を含む、項目１８または１９に記載の前記方法。
（項目２３）
さらに、前記移動場所のそれぞれで、前記配達業者の身元の確認を含む、項目１８または１９に記載の前記方法。
（項目２４）
さらに、１つの移動場所で前記管理者の身元の確認、前記物質を移動するために前記管理者の権限の確認、またはその両方を含む、項目１８または１９に記載の前記方法。
（項目２５）
さらに、移動場所のそれぞれで、前記管理者の身元の確認、前記物質を移動するために前記管理者の権限の確認、または両方を含む、項目１８または１９に記載の前記方法。
（項目２６）
さらに、１つの移動場所で、前記物質の同定、前記物質の信頼性の確認、前記物質の適正の確認、または１つのそれらの組み合わせを含む、項目１８または１９に記載の前記方法。
（項目２７）
さらに、移動場所のそれぞれで、前記物質の同定、前記物質の信頼性の確認、前記物質の適正の確認、または１つのそれらの組み合わせを含む、項目１８または１９に記載の前記方法。
（項目２８）
前記認証コードが前記移動場所より異なる１つ以上の遠隔場所から提供される、項目１８に記載の前記方法。
（項目２９）
以下を含む、１つの移動場所から複数の目的地に複数の物質を輸送する１つの方法：
前記複数の目的地は最初の１つの目的地および１つ以上の次の目的地を含む、１つの移動場所、および、複数の目的地へ１つの経路を１つの配達業者に提供すること：
前記移動場所で１つの認証コードを１つの配達業者に提供すること：
前記複数の物質が最初の１つの目的地に配達される１つの最初の物質、および１つ以上の次の目的地に配達される１つ以上の次の物質を含む、前記移動場所で１つの管理者に前記認証コードの提示の時、前記配達業者へ前記複数の物質を移動すること；
前記最初の目的地に前記最初の物質を輸送すること；および
前記次の目的地のそれぞれに前記次の物質のそれぞれを輸送すること。
（項目３０）
さらに、前記移動場所で前記認証コードの確認を含む、項目２９に記載の前記方法。
（項目３１）
さらに、前記移動場所で前記配達業者の身元の確認を含む、項目２９に記載の前記方法。
（項目３２）
さらに、前記管理者の身元の確認、前記物質を移動するために前記管理者の権限の確認、またはその両方を含む、項目２９に記載の前記方法。
（項目３３）
さらに、前記物質の同定、前記物質の信頼性の確認、前記物質の適正の確認または１つのそれらの組み合わせを含む、項目２９に記載の前記方法。
（項目３４）
前記認証コードが前記移動場所より異なる１つの遠隔場所から提供される、項目２９に記載の前記方法。
（項目３５）
以下を含む、複数の移動場所から複数の目的地へ複数の物質を輸送するための１つの方法：
最初の１つの移動場所、１つ以上の次の移動場所、最初の１つの目的地、および１つ以上の次の目的地へ１つの経路を１つの配達業者に提供すること；
前記最初の移動場所で最初の１つの認証コードを１つの配達業者に提供すること；
前記最初の物質が最初の１つの目的地および１つ以上の次の目的地移動へ輸送されるための１つの物質または複数の物質を含む、前記最初の移動場所へ１つの管理者に前記最初の認証コードを提示する時、前記配達業者へ前記最初の物質を移動すること；
１つ以上の次の移動場所で１つの次の認証コードを１つの配達業者に提供すること；
前記次の物質が最初の１つの目的地、または１つ以上の次の目的地へ輸送されるための１つの物質または複数の物質を含む、１つ以上の複数の移動場所で１つ管理者に前記次の認証コードを提示する時、前記配達業者へ１つの次の物質または複数の物質を移動すること；および
前記最初の目的地へ、または前記最初の目的地および前記次の目的地へ、または複数の目的地へ前記物質を輸送すること。
（項目３６）
１つの認証コードが前記１つ以上の次の場所のそれぞれで、前記配達業者に提供される、および、１つの次の物質または複数の物質が、前記１つ以上の次の移動場所のそれぞれで、１つの管理者に前記次の認証コードを提示する時、前記配達業者に移動される、項目３５に記載の前記方法。
（項目３７）
さらに、１つの移動場所で、前記認証コードの確認を含む、項目３５または３６に記載の前記方法。
（項目３８）
さらに、前記移動場所のそれぞれで、前記認証コードの確認を含む、項目３５または３６に記載の前記方法。
（項目３９）
さらに、１つの移動場所で、前記配達業者の身元の確認を含む、項目３５または３６に記載の前記方法。
（項目４０）
さらに、前記移動場所のそれぞれで、前記配達業者の身元の確認を含む、項目３５または３６に記載の前記方法。
（項目４１）
さらに、１つの移動場所で、前記管理者の身元の確認、前記物質を移動するために前記管理者の権限の確認、またはその両方を含む、項目３５または３６に記載の前記方法。
（項目４２）
さらに、移動場所のそれぞれで、前記管理者の身元の確認、前記物質を移動するために前記管理者の権限の確認、またはその両方を含む、項目３５または３６に記載の前記方法。
（項目４３）
さらに、１つの移動場所で、前記物質の同定、前記物質の信頼性の確認、前記物質の適正の確認、または１つのそれらの組み合わせを含む、項目３５または３６に記載の前記方法。
（項目４４）
さらに、移動場所のそれぞれで、前記物質の同定、前記物質の信頼性の確認、前記物質の適正の確認、または１つのそれらの組み合わせを含む、項目３５または３６に記載の前記方法。
（項目４５）
前記認証コードは、前記移動場所より異なる１つ以上の遠隔場所から提供される、項目３５または３６に記載の前記方法。
（項目４６）
前記認証コードが、暗号化された認証コードとして、配達業者に提供される、項目１〜４５のいずれかに記載の方法。
（項目４７）
前記認証コードは、視覚コード、数字コード、英字コード、英数字コード、記号コード、音声コード、電気コード、磁気コード、電磁コード、機械コード、およびそれらの組み合わせのグループから選択された１つのコードまたは複数のコードを含む、項目１から４６のいずれかに記載の前記方法。
（項目４８）
前記認証コードが複数のコードを含み、前記複数のコードは１つ以上のコードの種類を含む、項目１から４７のいずれかに記載の前記方法。
（項目４９）
前記物質は、１つ以上の現金、有価証券、宝石、芸術品、または収集品を含む、項目１から４８のいずれかに記載の前記方法。
（項目５０）
前記物質は、生物的物質、腐敗しやすい物質、貴重な物質、稀な物質、および危険物質から選択される物質を含む、項目１から４８のいずれかに記載の前記方法。
（項目５１）
前記物質は生物的物質を含む、項目１から４８のいずれかに記載の前記方法。
（項目５２）
前記物質は１つの生物的サンプルを含む、項目１から４８のいずれかに記載の前記方法。
（項目５３）
前記物質は、１つの臓器、血液、血清、血漿、唾液、尿、涙、胃液、脊髄液、糞便、粘液、汗、耳垢、油、腺分泌物、脳脊髄液、組織、精液、膣分泌液、息、髪、爪、皮膚、生検組織、胎盤液、羊水、臍帯血、骨髄、リンパ液、体腔液、粘液、膿、１つの対象から収集された微生物、胎便、母乳、鼻の拭い液からの物質、鼻咽頭洗浄液からの物質、喉の拭い液からの物質、頬の拭い液からの物質、および／または、他の体の分泌物または排出物から選択される１つの生物的物質を含む、項目１から４８のいずれかに記載の前記方法。
（項目５４）
前記物質は１つの血液サンプルを含む、項目１から４８のいずれかに記載の前記方法。
（項目５５）
前記物質は１つの尿サンプルを含む、項目１から４８のいずれかに記載の前記方法。
（項目５６）
前記物質は患者一人の移植のための１つの臓器を含む、項目１から４８のいずれかに記載の前記方法。
（項目５７）
前記物質は１つの臨床検体を含む、項目１から４８のいずれかに記載の前記方法。
（項目５８）
１つの配達業者の前記場所は、自動または遠隔方法によって決定される、項目１から４８のいずれかに記載の前記方法。
（項目５９）
１つの配達業者の前記場所は、衛星測位システムの使用を含む方法によって決定される、項目１から４８のいずれかに記載の前記方法。
（項目６０）
１つの格納装置、１つの蓋、１つの温度センサー、および１つの通信リンクを含む１つの輸送コンテナ。
（項目６１）
前記通信リンクは、１つ以上のディスプレイ、１つのワイヤレスリンク、１つのブルートゥースリンク、１つのイーサネット（登録商標）リンク、１つのシリアルリンク、１つの電話リンク、および１つの赤外線通信リンクを含む、項目６０に記載の前記輸送コンテナ。
（項目６２）
前記格納装置は熱遮断を含む、項目６０に記載の前記輸送コンテナ。
（項目６３）
前記蓋は、前記格納装置を密閉するよう構成されており、前記密閉は、１つの水密閉または１つの気密閉を含む、項目６０に記載の前記輸送コンテナ。
（項目６４）
以下を含む、物質の前記輸送のための１つの方法：
前記輸送コンテナ１つの温度センサー、および１つの感知した温度を通信するための１つの通信リンクまたは１つのディスプレイを含む、１つの輸送コンテナにひとつの物質を配置すること；
前記輸送コンテナに前記物質を輸送すること；
１つの温度を感知すること；および
前記感知した温度を表示すること、前記通信リンクによって前記感知した温度を通信すること、またはその両方。
（項目６５）
前記物質の輸送は、１つの配達業者によって輸送を含み、前記物質は１つの管理者に１つの認証コードを提示する時、前記配達業者に移動された、項目６４に記載の前記方法。
（項目６６）
以下を含む、１つの目的地に１つの経路に沿って物質の前記輸送のための１つの方法：
前記輸送コンテナ１つの温度センサー、および１つの感知した温度を通信するための１つのディスプレイまたは通信リンクを含む、１つの輸送コンテナにひとつの物質を配置すること；
前記輸送コンテナに前記物質を輸送すること；
１つの温度を感知すること；
前記感知した温度が１つのアラーム限界を超える時、１つの警報を通信すること；および
前記目的地へ前記経路を変更すること。
（項目６７）
前記物質の輸送は、１つの配達業者によって輸送を含み、前記物質は１つの管理者に１つの認証コードを提示する時、前記配達業者に移動された、項目６６に記載の前記方法。
（項目６８）
前記警報は１つのディスプレイに表示される、項目６６または６７に記載の前記方法。
（項目６９）
前記警報は１つのディスプレイに表示され、前記表示される警報は１つの配達業者によって観察される、項目６７に記載の前記方法。
（項目７０）
前記警報は１つの通信リンクによって通信される、項目６６または６７に記載の前記方法。
（項目７１）
前記通信リンクは一人のオペレーターによって監視され、前記リンクによって通信される前記警報は、前記オペレーターによって観察される、項目７０に記載の前記方法。
（項目７２）
前記アラーム限界は前記輸送コンテナの前記物質によって決定される、項目６６に記載の前記方法。
（項目７３）
前記アラーム限界は１つ以上の物質の前記種類によって；前記物質の状態によって；前記物質の収集からの前記時間によって；前記物質が獲得された前記方法によって；前記物質が準備された前記方法によって；または、１つのそれらの組み合わせによって、決定される、項目６６に記載の前記方法。
（項目７４）
１つの格納装置、１つの蓋、および１つの光センサーを含む、１つの温度管理された貯蔵コンテナ。
（項目７５）
１つの格納装置、１つの蓋、一つの温度センサー、および１つの光センサーを含む、１つの温度管理された貯蔵コンテナ。
（項目７６）
１つの格納装置、１つの入り口、一つの温度センサー、１つの光センサーおよび１つの通信リンクを含む、１つの温度管理された貯蔵コンテナ。
（項目７７）
１つの格納装置、１つの入り口、１つの光センサーおよび１つの記憶構成要素を含む、１つの温度管理された貯蔵コンテナ。
（項目７８）
１つの格納装置、１つの入り口、１つの温度センサー、１つの光センサーおよび１つの記憶構成要素を含む、１つの温度管理された貯蔵コンテナ。
（項目７９）
１つの格納装置、１つの入り口、１つの通信リンク、１つの光センサーおよび１つの記憶構成要素を含む、１つの温度管理された貯蔵コンテナ。
（項目８０）
１つの格納装置、１つの入り口、１つの温度センサー、１つの光センサー、１つの通信リンク、および１つの記憶構成要素を含む、１つの温度管理された貯蔵コンテナ。
（項目８１）
前記記憶要素は、磁気記憶、揮発性記憶、不揮発性記憶、固体記憶、バブル記憶、および他の記憶装置から選択される、項目７７から８０に記載の温度管理された貯蔵コンテナ。
（項目８２）
前記通信リンクは、１つ以上のディスプレイ、１つのワイヤレスリンク、１つのブルートゥースリンク、１つのイーサネット（登録商標）リンク、１つのシリアルリンク、１つの電話リンク、および１つの赤外線通信リンクを含む、項目７６、７９、または８０に記載の前記温度管理された貯蔵コンテナ。
（項目８３）
前記入り口が閉じた構成にある時、前記入り口は前記コンテナの光の進入を軽減するまたは排除するように構成される、および、前記光センサーは、前記入り口がいかなる量によって開いている時、光を感知するよう構成される、項目７４から８２のいずれかに記載の温度管理された貯蔵コンテナ。
（項目８４）
前記入り口は前記格納装置を密閉するように構成されており、前記密閉は、１つ以上の水密閉、１つの気密閉、および光密閉を含む項目７４から８２のいずれかに記載の温度管理された貯蔵コンテナ。
（項目８５）
以下を含む、１つの物質の前記貯蔵のための１つの方法：
１つの貯蔵コンテナは、１つの内部空間、前記内部空間へのアクセスを提供し、開くよう構成される１つの入り口、前記内部空間内の１つの照度を感知するよう構成される前記貯蔵コンテナ内の１つの光センサー、および１つの感知した照度を通信するための１つの通信リンクを含む、前記貯蔵コンテナに１つの物質を配置すること；
前記貯蔵コンテナ内の１つの照度を感知すること；および
前記感知した照度を通信すること。
（項目８６）
前記通信リンクは、１つのディスプレイ、１つのブルートゥース接続、ユニバーサルシリアルバス（ＵＳＢ）接続、ファイアワイヤ接続、イーサネット（登録商標）接続、携帯電話接続、ＷｉＦｉ接続および他の無線接続から選択される、項目８５に記載の前記方法。
（項目８７）
前記照度は、一人のオペレーターに通信され、前記オペレーターは、一人の現地オペレーターおよび一人の遠隔オペレーターから選択される、項目８５に記載の前記方法。
（項目８８）
前記感知された照度の前記通信は、前記照度が要求範囲外である時、１つの警報の通信を含む、項目８５に記載の前記方法。
（項目８９）
前記照度が１つのアラーム限界を超える時、前記警報が通信される、項目８８に記載の前記方法。
（項目９０）
前記照度が少なくとも最低期間で１つのアラーム限界を超える時、前記警報が通信される、項目８８に記載の前記方法。
（項目９１）
以下を含む、１つの物質の前記貯蔵のための１つの方法：
１つの貯蔵コンテナは、１つの内部空間、前記内部空間へのアクセスを提供し、開くよう構成される１つの入り口、前記貯蔵コンテナ内の前記内部空間の１つの照度を感知するよう構成される前記貯蔵コンテナ内の１つの光センサー、１つの感知した照度を記録するよう構成される１つの記憶構成要素、および１つの感知した照度を通信するための１つの通信リンクを含む、前記貯蔵コンテナに１つの物質を配置すること；
前記貯蔵コンテナ内の１つの照度を感知すること；
前記記憶の前記感知した照度を記録すること。
（項目９２）
さらに、前記記録された照度の通信を含む、項目９１に記載の前記方法。
（項目９３）
前記記録は、対応している複数の記録時間に複数の照度のそれぞれの記録を含む、項目９１に記載の前記方法。
（項目９４）
前記通信は、複数の前記記録された照度の通信を含む、前項目９２に記載の前記方法。
（項目９５）
前記通信は、１つの記録された照度から、または、複数の前記記録された照度から得られた１つの値の通信を含む、前項目９２に記載の前記方法。
（項目９６）
さらに、一人のオペレーターによる前記通信の監視を含む、項目９２または９５に記載の前記方法。
（項目９７）
前記監視は、継続的監視および断続的監視から選択される、前項目９６に記載の前記方法。
（項目９８）
前記監視は、１つの期間によって分けられた最初の１つの時間、および少なくとも２番目の１つの時間、前記最初および２番目の時間に監視することを含む前記記録された照度の断続的な監視を含み、前記記録された照度は、前記最初および２番目の時間の間の前記期間の前記貯蔵コンテナ内に照度の１つの効果的な記録を提供する、前項目９６に記載の前記方法。
（項目９９）
前記照度は、一人のオペレーターに通信され、前記オペレーターは、一人の現地オペレーターおよび一人の遠隔オペレーターから選択される、項目９１から９８のいずれかに記載の前記方法。
（項目１００）
前記感知された照度の前記通信は、前記照度が要求範囲外である時、１つの警報の通信を含む、項目９９に記載の前記方法。
（項目１０１）
前記照度が１つのアラーム限界を超える時、前記警報が通信される、項目１００に記載の前記方法。
（項目１０２）
前記照度が少なくとも最低期間で１つのアラーム限界を超える時、前記警報が通信される、項目１０１に記載の前記方法。
（項目１０３）
以下を含む、１つの移動場所から１つの目的地へ１つの物質を輸送するための１つの方法：
１つの移動場所および１つの目的地への１つの経路を１つの配達業者に提供すること；
前記移動場所に１つの認証コードを１つの配達業者に提供すること；
前記認証コードを確認すること；
前記配達業者の前記身元を確認すること；
前記移動場所で１つの管理者に前記認証コードを提示する時、前記配達業者へ１つの物質を移動すること；および
前記目的地へ前記物質を輸送すること。
（項目１０４）
さらに、前記管理者の前記身元の確認、前記物質を移動するために前記管理者の前記権限の確認、またはその両方を含む、項目１０３に記載の前記方法。
（項目１０５）
さらに、前記物質の同定、前記物質の信頼性の確認、前記物質の適正の確認、または１つのそれらの組み合わせを含む、項目１０３または１０４に記載の前記方法。
（項目１０６）
前記認証コードは、前記移動場所より異なる１つの遠隔場所から提供される、項目１０３、１０４、または１０５に記載の前記方法。
（項目１０７）
以下を含む、複数の移動場所から１つの目的地へ複数の物質を輸送するための、１つの方法：
最初の１つの移動場所、１つ以上の次の移動場所、および１つの目的地への１つの経路を１つの配達業者に提供すること；
前記最初の移動場所で最初の１つの認証コードを１つの配達業者に提供すること；
前記最初の移動場所で前記認証コードを確認すること；
前記最初の移動場所で前記配達業者の前記身元を確認すること；
前記最初の移動場所で前記管理者によって前記最初の認証コードの確認および前記配達業者の前記身元の確認の時、前記配達業者に最初の１つの物質を移動すること；
前記一つ以上の次の移動場所のそれぞれで、１つの次の認証コードを１つの配達業者に提供すること；
前記次の移動場所のそれぞれで、前記認証コードを確認すること；
前記次の移動場所のそれぞれで、前記配達業者の前記身元を確認すること；
前記１つ以上の次の移動場所のそれぞれで、１つの管理者によって、１つ以上の次の認証コードの確認、および前記配達業者の前記身元の確認の時、前記配達業者に１つの次の物質を移動すること；および
前記目的地へ前記最初の物質および前記次の物質を移動すること。
（項目１０８）
さらに、それぞれの移動場所で、前記管理者の前記身元の確認、前記物質を移動するために前記管理者の権限の確認、前記物質の同定、前記物質の信頼性の確認、前記物質、管理者の適正の確認、または１つのそれらの組み合わせを含む、項目１０７に記載の前記方法。
（項目１０９）
前記認証コードは、前記移動場所より異なる１つ以上の遠隔場所から提供される、項目１０７または１０８に記載の前記方法。
（項目１１０）
以下を含む、１つの輸送場所から複数の目的地へ複数の物質を輸送する１つの方法：
前記複数の目的地は、最初の１つの目的地および一つ以上の次の目的地を含む、１つの移動場所および複数の目的地への１つの経路を１つの配達業者に提供すること；
前記移動場所で１つの認証コードを１つの配達業者に提供すること；
前記移動場所で前記認証コードを確認すること；
前記移動場所で前記配達業者の前記身元を確認すること；
前記複数の物質は、最初の１つの目的地へ配達されるための最初の１つの物質、および、１つ以上の次の目的地へ配達されるための１つ以上の次の物質を含む、前記移動場所で、１つの管理者による前記認証コードの確認および前記配達業者の前記身元の時、前記配達業者に前記複数の物質を移動すること；
前記最初の目的地に前記最初の物質を輸送すること；および
前記次の目的地のそれぞれでに前記次の物質のそれぞれを輸送すること。
（項目１１１）
さらに、前記管理者の前記身元の確認、前記物質を移動するために前記管理者の権限の確認、前記物質の同定、前記物質の信頼性の確認、前記物質の適正の確認、または１つのそれらの組みませを含む、項目１１０に記載の前記方法。
（項目１１２）
前記認証コードは、前記移動場所より異なる１つの遠隔場所から提供される、項目１１０または１１１に記載の前記方法。
（項目１１３）
以下を含む、複数の移動場所から複数の目的地へ複数の物質を輸送するための１つの方法：
最初の１つの移動場所、一つ以上の次の移動場所、最初の１つの目的地、および一つ以上の次の目的地への１つの経路を１つの配達業者に提供すること；
前記最初の移動場所で最初の１つの認証コードを１つの配達業者に提供すること；
前記最初の移動場所で前記最初の認証コードを確認すること；
前記最初の移動場所で前記配達業者の前記身元を確認すること；
前記最初の物質は、最初の１つの目的地へ、または最初の１つの目的地および一つ以上の次の目的地へ輸送されるための１つの物質または複数の物質を含む、前記最初の移動場所で、１つの管理者による前記最初の認証コードの確認および前記配達業者の前記身元の時、前記配達業者へ前記最初の物質を移動する；
前記一つ以上の次の移動場所のそれぞれで、前記次の移動場所に対応する１つの次の認証コードを１つの配達業者に提供すること；
前記次の移動場所のそれぞれで、前記認証コードを確認すること；
前記次の移動場所のそれぞれで、前記配達業者の前記身元確を認すること；
前記次の物質移動は、最初の１つの目的地へ、または、最初の１つの目的地および一つ以上の次の目的地へ、輸送するための１つの物質または複数の物質を含む、前記１つ以上の次の移動場所のそれぞれで、前記次の移動場所に対応する前記次の認証コードの確認および１つの管理者による前記配達業者の前記身元の確認の時、前記配達業者に１つの次の物質、または複数の物質を移動すること；および、
前記最初の目的地へ、または、前記最初の目的地および前記一つ以上の次の目的地へ、１つの物質または複数の物質を輸送すること。
（項目１１４）
さらに、それぞれの移動場所で、前記管理者の前記身元、前記物質を移動するために前記管理者の権限の確認、前記物質の同定、前記物質の信頼性の確認、前記物質の適正の確認、または１つのそれらの組み合わせを含む、項目１１３に記載の前記方法。
（項目１１５）
前記認証コードは、前記移動場所より異なる１つ以上の遠隔場所から提供される、項目１１３または１１４に記載の前記方法。
（項目１１６）
１つの配達業者に提供される前記認証コードは、１つの暗号化認証コードを含む、項目１０３から１１５のいずれかに記載の前記方法。
（項目１１７）
前記物質は、生物的物質、腐敗しやすい物質、貴重な物質、稀な物質、および危険物質から選択される物質を含む、項目１０３から１１６のいずれかに記載の前記方法。
（項目１１８）
前記物質は、１つの臓器、１つの臓器の一部分、血液、血清、血漿、唾液、尿、涙、胃液、脊髄液、糞便、粘液、汗、耳垢、油、腺分泌物、脳脊髄液、組織、精液、膣分泌液、息、髪、爪、皮膚、生検組織、胎盤液、羊水、臍帯血、骨髄、リンパ液、体腔液、粘液、膿、１つの対象から収集された微生物、胎便、母乳、鼻の拭い液からの物質、鼻咽頭洗浄液からの物質、喉の拭い液からの物質、頬の拭い液からの物質、および／または、他の体の分泌物または排出物から選択される１つの生物的物質を含む、項目１０３から１１７のいずれかに記載の前記方法。
（項目１１９）
１つの配達業者の前記場所は、衛星測位システム、または、他の自動または遠隔方法の使用によって決定される、項目１０３から１１８のいずれかに記載の前記方法。
【図面の簡単な説明】
【００９８】
（図の詳細な説明）
【図１】図１は、前記正確な移転場所および前記正確な時間（例えば、所定の時間内）での前記配達業者の到着時にだけ、１つの配達業者に、１つの認証コードを提供する、１つの方法の実施例のひとつの略図を提供する。
【００９９】
【図２】図２は、前記正確な移転場所および前記正確な時間（所定の時間内）での前記配達業者の到着時にだけ、適切な配達業者同定をもつ１つの配達業者に、１つの認証コードを提供する、１つの方法の実施例のひとつの略図を提供する。
【０１００】
【図３Ａ】図３Ａは、前記配達業者が、前記正確な移転場所、前記正確な時間（例えば、所定の時間内）で存在する場合のみ、前記認証コードを提供されていて、１つの認証コードをもつ１つの配達業者への物質の移転の許可を含む、１つの管理者から１つの配達業者に１つの物質の移転を許可する、１つの方法の実施例のひとつの略図を提供する。
【０１０１】
【図３Ｂ】図３Ｂは、前記配達業者が、前記正確な移転場所、前記正確な時間（例えば、所定の時間内）で存在する場合のみ、前記認証コードを提供されていて、仮に前記配達業者もまた１つの認証コードをもち、前記配達業者への物質の移転の許可を含む、１つの管理者から適切な同定をもつ１つの配達業者に１つの物質の移転を許可する、１つの方法の実施例のひとつの略図を提供する。
【０１０２】
【図４Ａ】図４Ａは、前記配達業者が、前記正確な移転場所、前記正確な時間（例えば、所定の時間内）で存在する場合のみ、前記認証コードを提供されていて、１つの有効な認証コードをもつ１つの配達業者への移転物質を含む、１つの管理者から１つの配達業者への移転物質のための１つの方法の実施例のひとつの略図を提供する。
【０１０３】
【図４Ｂ】図４Ｂは、前記配達業者が、前記正確な移転場所、前記正確な時間（例えば、所定の時間内）で存在する場合のみ、前記認証コードを提供されていて、前記物質が前記認証コードの確認時のみ移転する場合の、１つの認証コードをもつ１つの配達業者への移転物質を含む、１つの管理者から１つの配達業者への移転物質のための１つの方法の実施例のひとつの略図を提供する。
【０１０４】
【図４Ｃ】図４Ｃは、１つの管理者から１つの配達業者への移転物質の１つの方法の１つの実施例のひとつの略図を提供する。そこでは、前記正確な移転場所に前記正確な時間（例えば、所定の時間内）に存在する場合のみ前記配達業者は前記認証コードを提供され、１つの認証コードをもつ１つの配達業者への移転物質、および、前記管理者の身元または権限の確認時の前記物資の前記識別または権限、または両方を含む。
【０１０５】
【図４Ｄ】図４Ｄは、前記配達業者が、前記正確な移転場所、前記正確な時間（例えば、所定の時間内）で存在する場合のみ、前記認証コードを提供されていて、ｉ）前記物質が前記認証コードの確認時、ｉｉ）前記管理者、前記物質、または両方の前記識別または権限の確認時のみ、移転する場合の、１つの認証コードをもつ１つの配達業者への移転物質を含む、１つの管理者から１つの配達業者への移転物質のための１つの方法の１つの実施例のひとつの略図を提供する。
【０１０６】
【図５Ａ】図５Ａは、１つの管理者から適当な同定をもつ１つの配達業者への移転物質の１つの方法の１つの実施例のひとつの略図を提供する。それは、仮に前記配達業者もまた１つの認識コードをもつ場合、前記配達業者への移転物質を含む。そこでは、前記正確な移転場所に前記正確な時間（例えば、所定時間内）に存在する場合のみ、前記配達業者は前記認証コードを提供される。
【０１０７】
【図５Ｂ】図５Ｂは、１つの管理者から適当な同定をもつ１つの配達業者への移転物質の１つの方法の１つの実施例のひとつの略図を提供する。それは、仮に前記配達業者もまた１つの認識コードをもつ場合、前記配達業者への移転物質を含む。そこでは、前記正確な移転場所に前記正確な時間（例えば、所定時間内）に存在する場合のみ、前記配達業者は前記認証コードを提供される。および、前記物質は、前記認識コードの確認時、移転される。
【０１０８】
【図５Ｃ】図５Ｃは、１つの管理者から適当な同定をもつ１つの配達業者への移転物質の１つの方法の１つの実施例のひとつの略図を提供する。それは、仮に前記配達業者もまた１つの認識コードをもつ場合、前記配達業者への移転物質を含む。そこでは、前記正確な移転場所に前記正確な時間（例えば、所定時間内）に存在する場合のみ、前記配達業者は前記認証コードを提供される。それは、仮に、前記配達業者がｉ）適切な同定および１つの認証コードをもつ場合、およびｉｉ）前記管理者の身元または権限、前記物質の前記識別または権限、または両方の確認時、前記配達業者への移転物質を含む。
【０１０９】
【図５Ｄ】図５Ｄは、１つの管理者から適切な同定をもつ１つの配達業者への移転物質の１つの方法の１つの実施例のひとつの略図を提供する。それは、仮に前記配達業者もまた１つの認識コードを持つ場合、前記配達業者への移転物質を含む。そこでは、前記正確な移転場所、前記正確な時間（例えば、所定範囲内）に存在する場合のみ、前記配達業者は前記認証コードを提供される。および、前記物質はｉ）前記認証コード確認時、ｉｉ）前記管理者、前記物質、または両方の前記識別または権限の確認時のみ、移転される。
【０１１０】
【図６Ａ】図６Ａは、１つの管理者から１つの配達業者への認証されていない物質の移転を妨げるための１つの方法の１つの実施例のひとつの略図を提供する。そこでは、仮に前記配達業者が前記適切な場所に前記適切な時間にいない、適切な同定が不足、または１つの有効な認証コードが不足する場合、物質の移転は認証されない。
【０１１１】
【図６Ｂ】図６Ｂは、１つの管理者から１つの配達業者への認証されていない物質の移転を妨げるための１つの方法の１つの実施例のひとつの略図を提供する。そこでは、仮に前記配達業者が前記適切な場所に前記適切な時間にいない、適切な同定が不足、１つの有効な認証コードが不足する場合；または、前記管理者の身元または権限が確認されない場合；前記物質の前記識別または権限が確認されない場合、物質の移転は認証されない。
【０１１２】
【図７Ａ】図７Ａは、１つの移転場所から目的地まで、物質または複数の物質を輸送するための１つの方法のひとつの略図を提供する。そこでは、適切に特定された配達業者は、前記正確な時間の１つの移転場所への到着と同時に；前記認証コードの確認と同時に、１つの認証コードを提供され、物質は前記配達業者に移転され、その目的地へ配達される。前記管理者または前記物質の同定または権限は、随意に要求され得る（点線矢印と四角で示されるように）。
【０１１３】
【図７Ｂ】図７Ｂは、複数の移転場所から目的地まで、物質を輸送するための１つの方法のひとつの略図を提供する。そこでは、適切に特定された配達業者は、個々の移転場所への（前記正確な時間の）到着と同時に；個々の認証コードの確認と同時に、１つの認証コードを提供され、物質は個々の移転場所で前記配達業者へ移転され、および物質はその目的地へ配達される。前記管理者または前記物質の同定または権限は随意に、要求され得る（点線矢印と四角で示されるように）。
【０１１４】
【図７Ｃ】図７Ｃは、移転場所から複数の目的地へ物質を輸送するための１つの方法のひとつの略図を提供する。そこでは、適切に特定され他配達業者は、前記正確な時間の移転場所への到着と同時に；１つの認証コードの確認と同時に、１つの認証コードを提供され、物質は前記配達業者に移転され、および、前記物質はその目的地へ配達される。前記管理者または前記物質の同定または権限は、随意に要求され得る（点線矢印を四角で示されるように）。
【０１１５】
【図７Ｄ】図７Ｄは、複数の移転場所から複数の目的地へ物質を輸送するための１つの方法のひとつの略図を提供する。そこでは、適切に特定された配達業者は、個々の移転場所への（前記正確な時間の）到着と同時に；個々の移転場所での個々の認証コードの確認と同時に、１つの認証コードを提供され、物質は個々の移転場所で前記配達業者へ移転され、および前物質個々の目的地へ配達される。前記管理者または前記物質の同定および権限は、随意に要求され得る（点線矢印と四角で示されるように）。
【０１１６】
【図８Ａ】図８Ａは変更される１つの経路のひとつの略図を提供する。前記図のいちばん上に示される元の経路は、イニシャルで場所Ａから場所Ｂ、場所Ｃ、場所Ｄで、目的地（「Ｄｅｓｔ」と示される）である。前記経路は、場所Ｃの削除によって変更され、変更された経路（元の経路の下に示される）は、場所Ａから場所Ｂ、場所Ｄ、そして前記目的地Ｄｅｓｔとなる。
【０１１７】
【図８Ｂ】図８Ｂは、変更される１つの経路の更なるひとつの略図を提供する。前記図のいちばん上に示される元の経路は、イニシャルで場所Ａから場所Ｂ、場所Ｃ、場所Ｄで、目的地（「Ｄｅｓｔ」と示される）である。前記経路は、場所Ｂの追加によって変更され、変更された経路は（元の経路の下に示される）は、場所Ａから場所Ｂ、場所Ｃ、場所Ｄ、そして場所Ｅとなり、そしてそれからだけ前記目的地Ｄｅｓｔとなる。
【０１１８】
【図９】図９は、場所Ａから場所Ｂ、場所Ｃ、場所Ｄ、そして目的地（「Ｄｅｓｔ」で示される）という元の経路（前記図のいちばん上に示される）のひとつの略図を提供する；しかしながら、前記経路は場所Ｂ以降の全てを省略し、場所Ｂでのピックアップ後、すぐに目的地Ｄｅｓｔに移動するよう（最終移転地点Ｃ、Ｄ、Ｅは省略される）変更される。（前記元の経路の下に示される）
【０１１９】
【図１０】図１０は物質の輸送に最適な１つの輸送コンテナ、ひとつの温度センサーをもつ前記コンテナ、および、感知した温度を通信またはディスプレイ（または両方）する、ひとつの通信リンクのひとつのイラストを提供する。１つの掛け金（１つのロックもまた含み得る）、ハンドル、車輪、および１つの冷却装置を含む、随意の要素も示される。
【０１２０】
【図１１Ａ】図１１Ａは、物質を含むための方法の実施形態のひとつの略図を提供する。その物質はひとつの温度センサーをもつ１つの輸送コンテナに置かれる；温度は感知され；および前記感知された温度は通信、またはディスプレイ、または両方される。
【０１２１】
【図１１Ｂ】図１１Ｂは、ひとつの温度センサーをもつ１つの輸送コンテナに置かれる物質の輸送の方法の実施形態のひとつの略図を提供する；前記物質は輸送される；１つの温度は感知される；および前記感知された温度は通信、またはディスプレイ、または両方される。
【０１２２】
【図１２Ａ】図１２Ａは、ひとつの温度センサーをもつ１つの輸送コンテナに置かれる物質を含むための方法の実施形態のひとつの略図を提供する；１つの温度は感知される；前記感知された温度は通信、またはディスプレイ、または両方される；および前記経路は変更される。
【０１２３】
【図１２Ｂ】図１２Ｂは、１つの目的地までの経路に沿って、ひとつの温度センサーをもつ１つの輸送コンテナ内の物質の前記輸送のための方法の実施形態のひとつの略図を提供する。前記輸送コンテナ内の前記物質は輸送される；１つの温度は感知される；前記感知された温度は通信、またはディスプレイ、または両方される；および前記経路は変更される。
【０１２４】
【図１３】図１３は、前記コンテナ内で光を検知するよう構成されているひとつの光センサーをもつ、１つの貯蔵コンテナのひとつの実施例を提供する；ひとつの通信リンクまたはディスプレイ；および記憶を持ち得る。温度センサー、掛け金（ロックもまた含み得る）；ハンドル、車輪、冷却装置を含む随意の要素も示される。
【０１２５】
【図１４】図１４は、１つの温度管理された貯蔵コンテナ内の物質の前記貯蔵方法の実施形態のひとつの略図を提供する。それは前記温度管理された貯蔵コンテナ内に物質を置くこと、前記温度管理された貯蔵コンテナ内で１つの照度の感知、および前記感知した照度の通信、前記感知した照度のディスプレイ、または両方を含む。
【０１２６】
【図１５】図１５は、記憶をもつ１つの温度管理された貯蔵コンテナ内の物質の前記貯蔵のための方法の実施形態のひとつの略図を提供する。そのような方法は、記憶をもつ前記温度管理された貯蔵コンテナ内に物質を置くこと；前記コンテナ内で１つの照度を感知すること；および記憶内の前記感知した照度を記録することを含む。そのような方法は、更に前記記録した照度を通信すること、前記記録した照度をディスプレイすること、またはその両方を（随意に）含み得る。
【０１２７】
【図１６】図１６は、物質の前記確実な輸送のための１つのシステムの１つの実施例のひとつの略図を提供する。示されているように、物資の前記確実な輸送のための１つのシステムは、１つの配達業者（または複数の配達業者、示されていない）；移転場所（例えば、Ｔ１、Ｔ２など、Ｔｎを含む）；輸送される物質（例えば、Ｍ１、Ｍ２など、Ｍｎを含む）；管理者（例えば、管理者１、管理者２など、管理者ｎを含む）；前記物質を受け取る目的地（例えば、Ｄ１、Ｄ２など、Ｄｎを含む）；および、１つの操作上の要素（１人のオペレーター／クラウドとして示される）から構成され得る。通信リンクは、前記図の中で細い線によって示されている（点線によって前期目的地に向かって示されている前期通信リンクは、随意のリンクである）。更に、前記点線によって示されているように、１つの配達業者は、１つの輸送コンテナを随意に使用または含み得る。および、１つの目的地は、１つの貯蔵コンテナを随意に使用または含み得る。
【０１２８】
【図１７】図１７は、１つの温度センサーおよび１つの通信リンク（および随意に１つのディスプレイ）；および１つの操作上の要素（１つの配達業者、および／または１人のオペレーター／クラウドとして示される）をもつ、１つの輸送コンテナから成る１つのシステムのひとつの略図を提供する。１つの通信リンクは、１つの感知した温度を通信またはディスプレイ（または両方）するよう構成され得る。
【０１２９】
【図１８】図１８は、１つの光センサー（および随意に１つの温度センサー）；１つの通信リンク（および随意に１つのディスプレイ）；および１つの操作上の要素（１人のオペレーター／クラウドとして示される）をもつ、１つの貯蔵コンテナを含む１つのシステムのひとつの略図を提供する。１つの通信リンクは、１つの感知した温度を通信またはディスプレイ（または両方）するよう構成され得る。
【０１３０】
【図１９】図１９は、１つのスクリーン（ディスプレイされ得る、例えば、１つのスマートフォン、タブレット、コンピューター、グーグル・グラス、または他の装着型コンピューター、または通信装置、または、ディスプレイをもつ他の装置）の１つの実施例を提供する。それは、移転場所の１つの住所；他の場所情報、例えば、１つの経路上の更なる停留所、ランドマーク、ガスステーションの場所、および、１つの配達業者にも提供され得る、他の使用される場所を提供する。そのような１つのスクリーンはまた、他の情報（地図、経路情報、代替経路情報、交通情報、気象情報、１つの経路付近で実施される工事についての情報、配達業者、管理者、および、前記確実な物質の輸送に関連する他の人員に関しての同定情報、および、他の情報）を提供し得る。そのような１つのスクリーンは、本明細書において開示されるように、特徴および用途をもつ、配達業者追跡システム（ＣＴＳ）アプリケーションにおいて使用され得る。
【０１３１】
【図２０】図２０は、前記適切な時間内に前記適切な場所に、１つの配達業者の到着後の使用のために、権限情報を提供する、ＣＴＳスクリーンの１つの実施例を提供する。示される前記実施例は、１つのＱＲコード（登録商標）を含む。そしてそれは、物質の輸送前に、前記配達業者の確認のための１つの移転場所で、１つの管理者によってスキャンされ得る。
【０１３２】
【図２１】図２１は、１つの適切な配達業者が前記適切な場所で１つの適切な時間に起こす、前記配達業者の確認上で、患者サービスセンター（ＰＳＣ）アプリケーションによって生じる１つのスクリーンの１つの実施例を提供する（図２０で示される前記ＱＲコード（登録商標）のスキャン、または前記管理者の同じような確認の後に）。前記ＰＳＣアプリケーションは、前記適切な配達業者の１つの映像を提供する；前記ＰＳＣアプリケーションは、前記配達業者が前記映像を合った場所に存在すること、および前記正確な配達業者か確認する、前記操作者のための方法（および一般的な要求）を提供する。前記図で示されるように、ぞのような確認は、前記スクリーン上で前記ボタンをクリックすること、および１つのパスワードを入力することで実行され得る。
【０１３３】
【図２２】図２２は、前記ＰＳＣによる前記配達業者の確認後に前記ＣＴＳによって生じる１つのスクリーンの１つの実施例を提供する。このスクリーンは、そのとき、前記移転場所に存在するべき、前記人員の１つの映像を提供する；前記配達業者は、前記移転場所の前記人員（例えば、管理者または操作者）が実際に適切な人物か、前記ＣＴＳスクリーン上の前記映像と前記移転場所に存在する前記人物を比べて確認しなければならない。そのような確認は、例えば、前記スクリーン上の「次」ボタンをクリックすることで実行され得る。
【０１３４】
【図２３】図２３は、前記移転場所で前記人員の確認後、移転される物質をスキャンするのに使用される、ＣＴＳスクリーンの１つの実施例を提供する。前記ＣＴＳ（実行、例えば、１つのカメラを含む１つの携帯電話やタブレット上で）は、バーコード、ＱＲコード（登録商標）、または他のマークやコードといった識別マークをもつ物質をスキャンするために使用され得る。そのようなスキャンは、移転する物質の１つのリストの準備に使用され得る、移転されるために存在する前記物質と、移転が想定される、または計画される物質の１つのリストとを比較するために使用され得る；および、前記配達業者が前記適切な目的地に前記物質をもって着くとき、到着する前記物質の目的地の場所を知らせるために使用され得る；そのようなアラートは、１つの目的地への到着と同時に前記物質上に実行されるため、または前記物質の貯蔵の準備のため、または他の用途のため、操作や分析の準備に有効であり得る。
【発明を実施するための形態】
【０１３５】
（詳細説明）
本明細書において開示される方法、装置、およびシステムを使用し得る、またはそれらと使用され得る、方法、装置、およびシステムの実施例の説明および開示がみつかり得る。例えば、２０１３年８月９日に申請された米国特許申請６１／８６４，５０５号；２０１３年４月２２日に申請された米国特許申請６１／８４４，７９９号；２０１３年２月１８日に申請された米国特許申請７，２９１，４９７号；米国特許申請８，０８８，５９３号；米国特許申請８，１０１，４０２号；米国特許申請８，３８０，５４１号；米国特許申請１３／７６９，７９８号；２０１３年２月１８日に申請された米国特許申請１３／７６９，７７９号；２０１３年２月１８日に申請された米国特許申請１３／７６９，８１７号；２０１３年２月１８日に申請された米国特許申請１３／７６９，８１８号；２０１３年２月１８日に申請された米国特許申請１３／７６９，８２０号；２０１１年９月２６日に申請された米国特許申請１３／２４４，９４７号；２０１２年９月２５日に申請されたＰＣＴ／ＵＳ２０１２／５７１５５号；２０１１年９月２６日に申請された米国特許申請１３／２４４，９４６号；２０１１年９月２６日に申請された米国特許申請１３／２４４，９４９号；２０１１年９月２６日に申請された米国特許申請６１／６７３，２４５号。特許および特許申請の開示は、参照によって本明細書に全て取り入れられる。
【０１３６】
（定義）
前記現在の方法、装置、およびシステムが開示され説明される前に、本明細書で使用される用語が特定の実施形態のみの説明が目的で、限定されないことを理解されなければならない。また、前記現在の開示は、説明的で典型的な説明と実施例を提供するので、明示しない限り、本明細書において開示される前記装置、システム、および方法は、本明細書で説明される特定の実施例に限定されないことを理解されなければならない。
【０１３７】
前記仕様と前記付加される請求項で使用されるように、単数形の「ａ」「ａｎ」および「ｔｈｅ」は、文脈ではっきりと指示されない限り、複数の指示物を含むことを留意すべきである。このように、例えば、「サンプル」の言及は、１つのサンプル、複数の種類のサンプルを含む複数のサンプルを指す。
【０１３８】
また、本明細書の説明内、および以下の請求項を通して使用されるように、「中で」の意味は、文脈ではっきりと指示されない限り、「中で」および「上で」を含む。最終的に、本明細書の説明内、および以下の請求項を通して使用されるように、「および」と「または」の意味は、接続詞と離接的接続詞の両方を含み、文脈ではっきりと指示されない限り、互換的に使用され得る。このように、前記用語「および」または「または」が使用される文脈では、文脈ではっきりと指示されない限り、そのような接続の使用法は「および／または」の意味を除外しない。
【０１３９】
この仕様および、以下の請求項内では、参照はいくつかの用語になされ、以下の意味をもつよう定められる：
【０１４０】
「ｍｉｎ」（分）、「ｓｅｃ」（秒）などの頭字語と省略形は、慣習的な意味をもつ。
【０１４１】
本明細書で使用されるように、用語「時間」および「指定された時間」は、特定の時間まで、および、指定された時間の前後の妥当な量の時間までを指す；例えば、「午後２時」は、午後２時の数分前、および数分後を指す。指定された時間の前後の妥当な量の時間は、例えば、前記指定された時間の数分前、および数分後であり得る。実施形態では、数分は、１、２、３、４、５、６分またはそれ以上であり得る。または１０、２０、３０分またはそれ以上であり得る。
【０１４２】
本明細書で使用されるように、用語「時限」および「期限」は、開始時間と終了時間によって制限される時間の連続期間を指す；時限は指定された時間を含み（例えば、午後２時前後の１０分間の期限は、午後１時５５分から始まり午後２時５分まで延長する時限であり得る；個々の午後１時５５分、午後２時、および午後２時５分ば特定の時間なので、午後２時前後の１０分間の期限は、およそ午後１時５５分から始まり、およそ午後２時５分まで広がる点に注意する）例えば、期限は、指定された時間の数分前および数分後内の時間を含み得る。その数分は約１、２、３、４、５、６分またはそれ以上、または約１０、２０、３０分またはそれ以上であり得る。実施形態では、期限は、指定された時間の約１分以内、または約２分以内、または約５分以内、または約１０分以内、または約１５分以内、または約２０分以内、または約３０分以内、または約４５分以内、または約１時間以内、または約１時間半以内、または約２時間以内、または約３時間以内、または約４時間以内、または約５時間以内の時間を含み得る（この点で使用される「以内」は前および／または後を意味する。
【０１４３】
本明細書で使用されるように、用語「到着時間」は、１つの配達業者が１つの移転場所または目的地に到着する時間を指す。１つの到着時間は、１つの指定された時間であり得る。実施形態では、１つの到着時間は１つの時限を含む。
【０１４４】
本明細書で使用されるように、用語「指定された場所」は、１つの経路に沿った１つの特定の場所というような、１つのある特定の場所を指す。
【０１４５】
本明細書で使用されるように、用語「移転場所」は、移転される１つの物質が、前記移転前に置かれている場所を指す。
【０１４６】
本明細書で使用されるように、用語「目的地」および「目的地場所」は、最初の場所（例えば、前記移転場所）から次の場所（前記目的地）までの前記物質の移動に従って、１つの物質が輸送されることになっている場所を指す。
【０１４７】
本明細書で使用されるように、１つの「仲介場所」は、１つの配達業者によって訪れられ得る１つの場所を指す。しかし、輸送のための物質の移動はないと予想されるまたは要求される；１つの仲介場所は、例えば、１つの配達業者の車が、燃料、または修理のために止まり得る場所、または、１つの配達業者が休憩または食べもののため、または他の理由で止まり得る場所であり得る。実施形態では、１つの仲介場所は、１つの配達業者、または配達業者の車、または１つの配達業者または配達業者の車によって輸送される物質が検査、または登録され得る、または、情報または指示が（例えば、１つの配達業者に；１つの配達業者から；または両方）伝達され得る場所であり得る。
【０１４８】
本明細書で使用されるように、１つの「経路」は、指示された連続した場所を指す。その場所は、例えば、１つの移転場所、１つの目的地、１つの仲介場所、または他の場所であり得る。１つの経路は、１つの到着時間、または一連の到着時間から構成され得る；そのような到着時間は１つの場所、または一連の場所に関連し得る。実施形態では、１つの経路は、関連した到着時間をもつ個々の場所とともに一連の場所から成る。
【０１４９】
本明細書で使用されるように、１つの「計画経路」は、１つの配達業者が、１つの移転場所、または複数の移転場所から物質をピックアップする際、走る計画された１つの経路を指す。例えば、物質が１つの移転場所から得られることになっている場所では、１つの計画経路は、前記移転場所へ走る際、および、前記移転場所から前記目的地へと走る際、１つの配達業者が取ると予想される１つの経路を含み得る。物質が２つまたはそれ以上の移転場所から得られることになっている場所では、１つの計画経路は、最初の移転場所へ、２つ目の移転場所へ、および次の移転場所へ走る際、および最終移転場所から目的地へ走る際、１つの配達業者が取ると予想される１つの経路を含み得る。このような計画経路は、１つまたはそれ以上の移転場所で計画された、連続した到着、および１つまたはそれ以上の目的地を含む。１つの計画経路は１つの出発地から出発し得る。実施形態では、１つの出発地もまた１つの目的地場所であり得る（例えば、前記計画経路が１つのループから成る場所では）。１つの計画経路は、一連の計画された到着時間から成り得る。例えば、個々の到着時間が場所に関連する場合、一連の計画された到着時間から成り得る。
【０１５０】
本明細書で使用されるように、用語［遠隔場所］は、前記移転場所でない場所を指す。１つの遠隔場所は、１つの物理的場所（例えば、１つのプロセッサーが位置する場所）を含み得る。１つの仮想の場所（例えば、「クラウド」のような１つのコンピューターネットワーク）を含み得る。および、１つの物理的場所と仮想の場所両方（例えば、１つの遠隔場所は、１つの特定の物理的場所に位置する１つのプロセッサーの要素を含み得る。また、仮想の要素から成り得る。それは例えば、前記プロセッサーがネットワークからのサービスにアクセス、および使用する場所において）。１つの遠隔場所は、１つの目的地場所から成り得る。１つの遠隔場所は、１つの計画経路上にない１つの場所から成り得る。実施形態では、１つの遠隔場所は、１つの計画経路上の１つの場所から成り得る；しかしながら、１つの場所は、１つの配達業者がその場所に存在しない場合、１つの配達業者に関しては、１つの遠隔場所と呼ばれない（しかし、前記配達業者がその場所に存在しない場合、１つの遠隔場所と呼ばれ得る）。
【０１５１】
本明細書で使用されるように、用語「認証コード」は、１人の人物または手順の前記信頼性の確認を実行する、または、適切な手順との一致での行為、または適切な権限によって承認されていることを確認する、コードまたはシンボルを指す；認証コードの授与は、１人の人物または手順が、１つの容認されたプロトコルによって予定通りまたは予想通りに進行するのを許可するために必要とされ得る。本明細書において開示されるように、１つの独特な、１回だけ使用する認証コードは、１つの配達業者によっての使用のために提供される。それは、前記配達業者が、１つの既定の場所で（例えば、１つの移転場所）、１つの既定の時間に（例えば、１つの到着時間または到着時限）存在しているときである。例えば、前記容認されたプロトコルが、１つの移転場所での、１つの配達業者による、１つの物質の前記ピックアップ、および、前記物質の１つの目的地への次の配達を含む場所では、前記移転場所での１つの認証コードの授与は、前記配達業者への前記物質の前記移転を許可する；前記認証コードがない場合は、前記物資は前記配達業者へ移転されない。および、前記容認されたプロトコルの残りの段階は（例えば、前記目的地への前記物質の配達）、そのような権限なしで進行しない。
【０１５２】
１つの独特な認証コードは、一般的に、１度の使用のためだけに作成、または提供される；例えば、１つの配達業者が最初の移転場所から次の移転場所まで進むところで、１つの新しい認証コードが、前記次の移転場所でピックアップのために作成され得る；および、例えば、１つの配達業者が、別のときに最初の移転場所へ戻るところで、１つの新しい認証コードは、前記最初の移転場所での次のピックアップのために作成、提供され得る。１つの独特な認証コードは、一般的に、１度の使用および１つの場所でのみ作成、または提供される；例えば、１つの独特な認証コードは、最初の時限内の最初の場所で、１つの配達業者の使用のために作成、または提供され得る；および、前記配達業者が次の移転場所へと進むところで、１つの新しい認証コードは、次の時限内の次の移転場所で、使用のために作成、または提供され得る。１つの認証コード、１つの認証コードの一部または部分、または複数の認証コードは、暗号化された形で、１つの配達業者に提供され得る。１つの認証コード、または１つの認証コードの一部または部分、または複数の認証コードは、暗号化された形で、１つの管理者に提供され得る。
【０１５３】
しかしながら、実施形態では、１つの独特な認証コードは、複数の場所、例えば、１つの経路内で訪れる複数の場所での使用のために作成、まはた提供され得るとみなされる；例えば、１つの独特な認証コードは、１つの配達業者が最初の移転場所から１つまたはそれ以上の次の移転場所へ進む運行中での使用のために作成、または提供され得る。１つの運行中（例えば、元の場所へ戻らない、または１つの場所に再訪しない）では、１つの目的地または複数の目的地へ進む。
【０１５４】
１つの認証コードは、例えば、１つのバーコード、クイック・レスポンス・コード（ＱＲコード（登録商標））、または任意のシンボル（１つの携帯、１つのタブレット、１つのコンピューター画面上、または他の手段で映され得る）；数字（すなわち、１つの数のコード）；文字の１つのシリーズ（すなわち、１つの英字コード）；数字と文字の１つの組合せ（すなわち、１つの英数字コード）；シンボル、数字、文字の１つの組合せ；または他のコードを含み得る。１つの認証コードは機械によって読み込め得る。人間によって読み込め得る。およびそれらの組合せから成り得る。１人の人間、１つのスキャナー、カメラ、または他の光感知装置に見える場所では、１つの認証コードは、黒白であり得る。灰色から成り得る。色から成り得る。およびそれらの組合せから成り得る。１つの認証コードは、視覚的な要素から成り得る；音声の要素から成り得る；電気的要素から成り得る；磁気的要素から成り得る；電磁的信号または要素から成り得る；機械的要素から成り得る；およびそれらの組合せから成り得る。例えば、音声の要素から成る１つの認証コードは、１つの音の前記発生、または前記受信から成り得る。（例えば、１つのピッチ、ピッチの連続、またはピッチの組合せ）例えば、磁気的要素から成る１つの認証コードは、１つの磁石の、１つのセンサー上または近くへの前記配置、１つの磁界の前記発生、または前記受信から成り得る。例えば、電磁的要素から成る１つの認証コードは、電磁的信号（例えば、ラジオ、電子レンジ、赤外線、視覚、紫外線、または他の電磁的エネルギーから成る１つの信号）の前記発生、または前記受信から成り得る。実施形態では、１つの認証コードは、機械的要素から成り得る。それには、身体的に１つの物体が他の物体に係合するまたは取り付けることを必要とする要素を含む（例えば、１つのロックに合う１つの鍵、１つのスロットを滑る１つのカード、１つのタグリーダーに突き立てるよう構成される１つのタグ、または他の機械的要素というように）。１つの認証コードは、機械的および他の要素の組合せから成り得る（例えば、１つの磁気ストリップを含む１つのカード。それは、１つのカードリーダーによって１つの磁気コードが読み取られ得るために１つのスロットを滑らなければならない前記カード）。１つの認証コードは、１つのタイミング信号、１つのグローバル・ポジショニング・システム（ＧＰＳ）信号、１つのビデオ信号、または他の信号から成り得る。または、１つの認識コードの提供はこれらを要求し得る。および、それらの組合せから成り得る。
【０１５５】
実施形態では、１つの認証コードは、複数のコード、または複数のコード要素から成り得る。複数のコード、または複数のコード要素から成る１つの認証コードは、多くの数のコード、または多くの数のコード要素を含み得る。例えば、１つの認証コードは、複数のコードから成る１つの認証コードは、２つのコード、または３つのコード、または４つのコード、またはそれ以上のコードから成り得る。例えば、複数のコード要素から成る１つの認証コードは、多くの数のコード要素から成り得る；例えば、数字のコードは１、２、３、４、５、６、７、８、９、１０、１１、１２、１３、１４、１５、２０、３０、４０、５０、またはそれ以上の桁から成り得る。および、英字のコードは１、２、３、４、５、６、７、８、９、１０、１１、１２、１３、１４、１５、２０、３０、４０、５０、またはそれ以上の文字から成り得る。例えば、複数のコードから成る１つの認証コードは、１つのバーコードを一緒に１つの英字コードから成り得る。例えば、複数のコードから成る１つの認証コードは、１つのＱＲコード（登録商標）と一緒に１つの英字コードから成り得る。例えば、複数のコードから成る１つの認証コードは、１つのＲＦＩＤコードと一緒に異なる色で書かれた記号（例えば、桁と文字）から成る１つの英字コードから成り得る。例えば、複数のコードから成る１つの認証コードは、１つの数字コード、１つの機械的コード（例えばカード）、１つの磁気コード（例えば、１つの磁気ストリップ）、および１つのＱＲコード（登録商標）から成り得る。複数のコードから成る１つの認証コードは、コードのどのような組合せからも成り得る。
【０１５６】
本明細書で使用されるように、用語「物質」は、１つの場所から別の場所へ輸送され得る、任意の物理的品物を広く指すよう使用される。１つの物質は調べられ得る；例えば、物質の前記適正の確認は、前記物質の検査を含み得る、または、物質の識別の確認は、前記物質の検査を含み得る。物質の検査は、それが破損している、または腐っている、または不完全である、またはその逆で、要求どおりに使用できる状態でない、および前記物質が適当でないということを確定し得る。物質の検査は、それが移転されるはずの物質でないと確定し得るので、前記物質が、前記適切な物質と識別されない。
【０１５７】
本明細書で使用されるように、用語「腐りやすい」は、短時間で、劣化させる、または劣化しやすいという１つの物質の説明に使用される。その短時間とは、一般的に数時間であり、たいてい数日より短い。食品のような生物的サンプルを含む生物的物質は、一般的に腐りやすい。多くの例では、腐りやすい物質の有効な命を延長するために、冷蔵、暗い状況での貯蔵、湿気、または風からの保護、および業界で知られる他の処置といった、処置が取られ得る。
【０１５８】
本明細書で使用されるように、用語「非常に貴重な」は、所有者にとって商業的または感情的価値をもつ物質を指すよう使用される；例えば、お金、宝石、芸術作品、純粋な金属、および他の物質がしばしば非常に貴重な物質である。しかしながら、生物的物質を含むどんな物質も、貴重であり得る。および非常に貴重であり得る。
【０１５９】
本明細書で使用されるように、用語「珍しい」は、独特、または比較的数例だけ存在する品物を指すよう使用される；珍しい物は、珍しい動物または鉱物といった自然の物であり得る。および、珍しい物は、特定の芸術家による絵というように、作られ得る。Ｒａｒｅ  ｏｂｊｅｃｔｓ  ａｒｅ  ｏｆｔｅｎ  ｈｉｇｈｌｙ  ｖａｌｕａｂｌｅ．珍しい物はたいてい非常に貴重である。
【０１６０】
本明細書で使用されるように、用語「危険である」は、人、動物、または資産に損害を与え得る品物を指すよう使用される；そのような物資は、例えば、有毒であり得る、伝染性があり得る、揮発性があり得る、爆発し得る、腐食性があり得る、放射性があり得る、または、損傷または損害を与え得る他の資産を持ち得る。
【０１６１】
本明細書で使用されるように、用語「生物物資」は、人間の患者、または他の哺乳類といったものから得られる標本を含む、生きている有機体由来の１つの物質を指す。生物的物質はまた、限定されずに、生物培養を含む、どのような動物、植物、または微生物からも得られる、または由来する物質を指す。前記用語、生物的物質は、例えば、１つの物体から得られる臨床標本（血液サンプル、尿サンプル、生検標本、スワッブ、および、１つの物体の研究または、臨床評価または診断の使用のために収集される他の生物的物質といったもの）、および、臓器提供者から得られる臓器、例えば、臓器レシピエントに移植されるためのもの、および、提供者から得られる（血液といった）組織、例えば、レシピエントに移植されるためのものを指す。
【０１６２】
本明細書で使用されるように、用語「生物的サンプル」は、流動体、組織、または、臓器（例えば、移植用臓器）、血液サンプル、尿サンプル、生検標本、喉の拭い液、または、研究、または１つの物体からの臨床評価または診断に使用される、臨床、または診断テストのために得られる他の標本のような、１つの物体から収集された他の物質（例えば、移植用臓器）を指す。生物サンプルの例は、以下を含むが限定しない。血液、血清、プラズマ、骨髄、鼻の拭い液、鼻咽頭洗浄、唾液、尿、髄液、涙、大便、粘液、汗、耳垢、脂、腺分泌、脳髄液、組織、精液、膣液、腫瘍組織から得る間質液、目の液体、髄液、喉の拭い液、息、髪、指の爪、皮膚、生検、胎盤液、羊水、臍帯血、リンパ液、口腔液、痰、膿、微生物叢、胎便、母乳および／または他の分泌物または排泄物。生物的サンプルは、鼻咽頭洗浄、または、体の腔または１つの物体の表面の洗浄、または、体の腔または１つの物体の表面を拭うことの適用の後でのスワブの洗浄で得られる、他の液体を含み得る。鼻の拭い液、喉の拭い液、大便サンプル、髪、指の爪、耳垢、息、および、他の固形、準固形、またはガス状のサンプルは、１つの抽出バッファーで加工され得る。例えば、それらの分析の前に、一定または可変の時間のために。それから、前記抽出バッファまたは、その一定量は、必要に応じて、他の流体サンプル同様に処理され得る。前記物体の組織サンプルの例は、以下を含み得るが限定しない。結合組織、筋肉組織、神経組織、上皮組織、軟骨、癌サンプル、または骨。前記サンプルは人間または動物から得られ得る。前記サンプルは、例えば、１匹のネズミ、１匹のマウス、１匹の豚、１匹の類人猿、別の霊長類（人間を含む）、１匹の家畜、１匹のスポーツ動物、または１匹のペットといった、一羽の鳥、魚、または哺乳類のような、一匹の脊椎動物から得られ得る。前記サンプルは、１つの生きているまたは死んでいる物体から得られ得る。前記サンプルは、１つの物体から新鮮に得られ得る。または、前処理、貯蔵、または輸送からいくつか変化を受け得る。
【０１６３】
１つの生物的サンプルは、どのようなサイズまたは量からも成り得る。実施形態では、１つの生物的サンプルは、わずか約１０００マイクロリットル量、またはわずか約５００マイクロリットル量、わずか約２５０マイクロリットル量、またはわずか約１５０マイクロリットル量、またはわずか約１００マイクロリットル量、またはわずか約５０マイクロリットル量、またはわずか約３０マイクロリットル量、またはわずか約２５マイクロリットル量、またはわずか約２０マイクロリットル量、またはわずか約１０マイクロリットル量、またはわずか約５マイクロリットル量、またはわずか約４マイクロリットル量、またはわずか約３マイクロリットル量、またはわずか約２マイクロリットル量、またはわずか約１マイクロリットル量、または約１マイクロリットル量未満から成り得る。
【０１６４】
本明細書で使用されるように、動詞として使用される用語「冷やす」は、１つの物体の、または１つの物体内の１つの空間の前記温度を下げることを意味する。
【０１６５】
本明細書で使用されるように、用語「涼しい温度」、「冷たい温度」、および「冷たい」は、下げた温度を指す。例えば、周囲の温度より低い、または元の温度より低い。例えば、涼しいまたは冷たい温度は、約２度、または約３度、または約４度、または約５度、または約６度、または約７度、または約８度、または約９度、または約１０度、または約１５度、または約２０度、または約２５度、または約３０度、または約３５度、周囲、または元の温度より低い。
【０１６６】
本明細書で使用されるように、１つの「冷却装置」は、１つの物質または空間を周囲温度以下の温度に冷やす、または、１つの物体または空間の温度を周囲温度以下の温度に保つ、どのような機械、機械要素、または装置でも指す。１つの冷却装置は、氷、ドライアイス、１つのコールドパック、１つの扇風機、１つの蒸発クーラー、１つの冷媒、１つのコイル、１つのポンプ、１つの扇風機、１つの熱交換器、または他の能動的または受動的な冷却要素を含み得る。１つの冷蔵庫は１つの冷却装置である。
【０１６７】
本明細書で使用されるように、用語「クラウド」、「クラウドベースのプロセッサー」、および他の「クラウド」を含む用語は、コンピューター、または、遠隔からアクセスできるコンピューターネットワークケーブルを指す。それは、１人またはそれ以上の遠隔ユーザーに、一般的に相互接続でアクセルできる方法で、コンピューターサービスを提供するのに役立つ。本明細書で使用されるように、前記クラウドは、どのような方法でも遠隔からアクセスし得る、どのようなコンピューターまたはコンピューターネットワークも含む。例えば、前記クラウドへのアクセスは、前記インターネット経由、例えば、１つのイーサネット（登録商標）接続経由で、１つの無線ＬＡＮ（「ＷｉＦｉ」）接続、１つのブルートゥース接続、１つの赤外線リンク、携帯電話経由、または、ユーザーのアクセスを許可する、またはユーザーとネットワーク間の通信を提供する、いかなる方法でもあり得る。１つのクラウドは、１つの公共のクラウド（例えば、どんなユーザーもインターネットアクセスにアクセス可能な）、であり得る。または、限定された（「私的な」）ユーザーのみアクセス可能な、私的なクラウドであり得る。（例えば、１つのネットワークは、完全に１つのファイヤーウォールの後ろなので、１つのファイヤーウォールの後ろで保護されたネットワーク内で操作できる許可されたユーザーに、アクセスは制限される）。１つの私的なクラウドは、１つの仮想の私的クラウドであり得る（公共のインターネット接続経由でアクセスし得る、１つのネットワーク、例えば、しかし、許可されたユーザーへのアクセス制限とセキュリティ維持のために、セキュリティ機能を含む（例えば、パスワードまたは他の同定の請求、または確認機能））。
【０１６８】
本明細書で使用されるように、１つの「配達業者」は、１つの物質を１つの場所から他の場所へ輸送することのできる、１人の人物または装置を指す。例えば、１つの配達業者は、１つの場所から他の場所へ、１つの物質を運ぶことができる１人の人物であり得る；１つの配達業者は、１つの場所から他の場所へ、１つの物質を１つの自転車、車、ヴァン、またはトラックといった、１つの車両の中、または上に載せて輸送することができる１人の人物であり得る；または、１つの配達業者は、１つの場所から他の場所へ、自律的に１つの物質を運ぶよう構成されているメカニズム、または車両から成り得る（例えば、１つのコンベヤーベルト、１つの気送管輸送システム、１つの無人車、無人機、または他の自動または自律輸送システム）。指定された場所で人物が存在せず、１つの配達業者が、装置の操縦から成る場所では、前記配達業者は写真という手段によって確認され得る；外面のマークによって（例えば、バーコード、シリアルナンバー、確認するシンボルまたは特徴）；電子の、視覚の、聴覚の、または前記装置によって１つの管理者に伝達する他のコード（例えば、イーサーネット、ユニバーサル・シリアル・バス（ＵＳＢ）、またはファイヤーワイア接続のような物理的リンク；無線認識票（ＲＦＩＤ）、ブルートゥース、ＷｉＦｉのような無線リンク；または他の伝達手段）；または、それらの組合せ。
【０１６９】
本明細書で使用されるように、用語「管理者」は、その輸送の前に前記物質を管理または所有する前記人物、または装置を指す。そして、同定の適切な確認と前記輸送の権限を受けて、前記物質を前記配達業者に提供する。
【０１７０】
本明細書で使用されるように、用語「オペレーター」は、オペレーションの全て、または一部のオペレーション（例えば、監視、管理、または保全）の責任を持つ人物、装置、またはシステムを指す。１人のオペレーターは１人の人物であり得る。１人のオペレーターは、通信リンクとの接続、または１つのプロセッサーとの接続、または１つのネットワークとの接続、または１つのクラウドサービスとの接続で働く１人の人物であり得る。１人のオペレーターは、１つの通信リンク、１つのプロセッサー、１つのネットワーク、１つのクラウドサービス、またはそれらの組合せから成る、１つの装置またはシステムから成り得る。例えば、１人のオペレーターは、１つの配達業者に１つの認証コードを提供する責任を持ち得る。例えば、１人のオペレーターは、１つの配達業者に１つの認証コードの暗号化に責任を持ち得る。例えば、１人のオペレーターは、１つの認証コードの前記信頼性を確認する責任を持ち得る。例えば、１人のオペレーターは、１つの配達業者の前記識別の確認の責任を持ち得る。例えば、１人のオペレーターは、１つの管理者の前記識別の確認に責任を持ち得る。例えば、１人のオペレーターは、１つの配達業者のための１つの経路を提供する責任を持ち得る；および１つの配達業者に１つの経路を提供する責任を持ち得る。例えば、１人のオペレーターは、例えば、１つの輸送コンテナ、または交通状況、または気象状況、または他の理由からの気温予想に応じて、１つの経路を変更する責任を持ち得る。例えば、１人のオペレーターは、１つの警告を出す責任を持ち得る。例えば、１つの配達業者に。例えば、１人のオペレーターは、１つの警告に応じて１つの経路を変更する責任を持ち得る。例えば、１人のオペレーターは、１つの場所で１つの物質の貯蔵の責任を持ち得る。それは、例えば、１つの移転場所、または１つの目的地であり得る。
【０１７１】
本明細書で使用されるように、用語「通信リンク」は、伝達情報のどのような手段も指す。例えば、１人のオペレーターを１つの配達業者間、または１つの輸送コンテナと１つの配達行者間、または１つの配達業者と１つのネットワークサービス間（１つのクラウドサービスといった）。実施形態では、１つの通信リンクは、以下から成り得る。例えば、１つの携帯電話、ＷｉＦｉ、１つの無線通信リンク、無線認識票、ブルートゥース、赤外線、直接のマイクロ波またはラジオリンク、または他の通信接続から成る。それは、１つのコンピューター、１つのルーター、１つのインターネットノード、１つのネットワーク、または他の仲介装置、要素、またはシステムから成り得る。実施形態では、１つの通信リンクは、電話、イーサーネット、ファイヤーワイア、ユニバーサルシリアルサービス（ＵＳＢ）または他の物理的接続を経由する１つの物理的リンクから成り得る。実施形態では、１つの通信リンクは無線と物理的リンクの１つの組合せから成り得る。実施形態では、１つの通信リンクは、１つの指定の装置、１つの指定の通信装置、１つの指定の通信システム、またはそれらの組合せから成り得る。実施形態では、１つの通信リンクは、グローバル・ポジショニング・システム（ＧＰＳ）装置またはシステム（例えば、ポジショニング、タイミング、または両方）との通信から成り得る。
【０１７２】
１つの通信リンクは、１つの確実な通信リンクであり得る。例えば、簡単に傍受、および／または理解されないものである。.例えば、１つの通信リンクは、頻繁に変わる技術
、データ圧縮技術、暗号化技術、または、前記通信リンクで送信する、メッセージおよび情報の秘密性を守るために計画された他の方法を利用し得る。.実施形態では、１つの通
信リンクは、暗号化されたメッセージを送受信するために構成され得る；実施形態では、どんな適した暗号方法も利用され得る。それは公共鍵暗号法（例えばＰＧＰ暗号）、私的鍵暗号、および他を含む。
【０１７３】
本明細書で使用されるように、１つの「ディスプレイ」は１人の人間から理解されることができる１つのインターフェースから成る。および、１つの画像ディスプレイ、１つの音声ディスプレイ、１つの振動部品、または、人間が観察し得る他のディスプレイ要素から成る。実施形態では、１つのディスプレイは、１人の人間に情報を提供するよう構成される。実施形態では、１つのディスプレイは、双方向のディスプレイから成り得る。それは、１人の人間から情報および／または指令を受信するよう構成されている。１つのディスプレイは、１つの携帯電話ディスプレイ、１つのタブレットディスプレイ、１つのコンピューターディスプレイ、１つのコンピューターモニター、１つの指定されたディスプレイ装置、他のディスプレイ要素、およびそれらの組合せから成り得る。実施形態では、１つのディスプレイは、他の要素または装置との接続で使用されるよう、構成され得る。例えば、１つのキーボード、１つのマウス、１つのスピーカー、１つのカメラ、１つの携帯電話、１つのタブレットコンピューター、１つの持ち運び可能なまたは他のコンピューター、または他の要素。実施形態では、１つのディスプレイは、他の要素または装置と使用される。それは、例えば、１つのキーボード、１つのマウス、１つのスピーカー、１つのカメラ、他の要素とともに使用されるものを含む。
【０１７４】
本明細書で使用されるように、「１つの認証コードの確認」は、前記コードが偽造または破損しているか；まだ有効であるか（例えば、適切な時間の範囲内で存在する）；およびそれが存在する前記場所で有効であるかの確認を含む、１つの認証コードの前記正当性の確認を指す。実施形態では、１つの認証コードの確認は、前記存在する配達業者がその使用のために適切な配達業者であるかの確認を含み得る。そのような前記配達業者に関連する確認は、前期配達業者の前記識別の確認を含み得る。
【０１７５】
１つの認証コードの確認は、指のチェック、パリティ・ビット、指紋、暗号ハッシュ関数、または、１つの配達業者によって所有される、または存在する、１つの認証コードの前記確認を許可する他のコード特性の使用から成り得る。そのような確認は、前記コードが偽造または破損しているかどうか確定し得る；もしそうであれば、確認は失敗し、移転は許可されない。１つの認証コードの確認は、１つの配達業者によって所有される、または存在する１つの認証コードと、１つの管理者によって所有される、または存在する１つの認証コードの比較から成り得る；１つの管理者による、１つの配達業者への１つの認証コードの前記配達の観察から成り得る（例えば、１つの配達業者の、１つのタブレットまたは携帯電話ディスプレイといったディスプレイ上の１つの認証コードの表示の、１つの管理者による観察）。そのような確認手順のための前記情報は、前記認証コード自体（少なくとも一部）に含まれ得る；別々の通信内で、例えば、１つの管理者へ提供され得る；またはそれらの組合せ。実施形態では、そのような確認は、前記配達業者、前記管理者、または両方の写真、または生体測定同定から成り得る。
【０１７６】
本明細書で使用されるように、用語「同定」、「配達業者同定」、「管理者同定」などは、前記運搬人を特定する、および前記運搬人の識別を確認する情報または証拠書類を提供することを指す。そのような同定は、一般的に、前記所有者の写真を含む同定カード（運転免許または他の同定カードのようなもの）によって提供される。例えば、１つの配達業者または１つの管理者の同定は、前記配達業者が適切な配達業者である、または前記管理者が適切な管理者であることの確認を指す。１つの配達業者の、１つの管理者への同定は、前記配達業者が適切な配達業者で、（認証と同時に）物質が前記配達業者によって移転され得ることを、前記管理者に確認することを指す。同様に、１つの管理者の、１つの配達業者への同定は、前記管理者が適切な管理者で、（確認と同時に）物質が前記管理者から受容され得ることを指す。１つの物質の同定は、前記物質が適切な物質であることを確認することを指す。前記配達業者または前記管理者の身元の確認は、例えば、同定書類の提出；生体測定方法の使用；写真、または他の映像手段による識別確認；または他の手段から成り得る。例えば、前記配達業者または管理者の前記識別の確認は、携帯電話、写真または映像の送信、および前記配達業者または管理者の前記認識の確認で、１つの写真または他の映像を獲得することを含み得る。物質の前記識別、適否、または適合性の確認は、シリアルナンバー、バーコード、ＲＦＩＤ、マーキング、記章、証拠書類、または他の確認の検査、または確認から成り得る。物質の適合性の確認は、前記物質の検査から成り得る。物質の前記識別の確認は、前記物質の検査から成り得る。
【０１７７】
同定は、雇用主、政府機関、または他の組織が発行する同定カード、バッジ、または他の記章の提示を含む、どのような適合する手段によっても提供され得る。同定は、観察、または他の手段によって提供され得る。例えば、同定は生体測定的に提供され得る。例えば、虹彩スキャン、指紋、声紋、頬の拭い液、髪の毛サンプル、写真の、または顔の認識（人によって、ソフトウエアによって、または両方）、または、個人的な身体的、または行動的特徴によって個人を特定している他の方法である。１つの物質、コンテナ、装置または車両の同定は、バーコード、シリアルナンバー、無線認識票（ＲＦＩＤ）、または他の個性的な特徴により得る。
【０１７８】
（物質の確実な輸送）
生物学的物資、例えば、生物学的サンプルというような物質の、１つの目的地場所への輸送のための、１つの移転場所から１つの配達業者への確実な輸送は、物質は適切な配達業者によって輸送されることを必要とする。.１つの認証されていない配達業者への輸送
のための物質の配達は、前記物質の紛失、前記物質の宛先違い、前記物質の損傷、または他の不都合なことに導き得る。したがって、本明細書で開示されるように、物質の前記輸送を保証する方法は、認証された配達業者のみによって保証される。
【０１７９】
実施形態では、１つの配達業者への１つの認証コードの提供は、１）１つの配達業者の同定、および２）適切な時間、または適切な期間内の前記配達業者の存在次第であり得る。Ｉｎ  ｅｍｂｏｄｉｍｅｎｔｓ，  ｐｒｏｖｉｓｉｏｎ  ｏｆ  ａｎ  ａｕｔｈｏｒｉｚａｔｉｏｎ  ｃｏｄｅ  ｍａｙ  ｂｅ  ｃｏｎｔｉｎｇｅｎｔ  ｕｐｏｎ１）  ｉｄｅｎｔｉｆｉｃａｔｉｏｎ  ｏｆ  ａ  ｃｏｕｒｉｅｒ，  ａｎｄ  ２）  ｕｐｏｎ  ｔｈｅ  ｐｒｅｓｅｎｃｅ  ｏｆ  ｔｈｅ  ｃｏｕｒｉｅｒ  ａｔ  ａ  ｐｒｏｐｅｒ  ｌｏｃａｔｉｏｎ．実施形態では、１つの認証コードの提供は、１）１つの配達業者の同定、および２）適切な場所での前記配達業者の存在次第であり得る。実施形態では、１つの認証コードの提供は、１）１つの配達業者の同定、２）適切な時間、または適切な期間内の前記配達業者の存在、および３）適切な場所での前記配達業者の存在次第であり得る。
【０１８０】
実施形態では、１つの配達業者への１つの認証コードの提供は、１）１つの管理者の同定、および２）適切な時間、または適切な期間内の前記配達業者次第であり得る。実施形態では、１つの認証コードの提供は、１）１つの管理者の同定、および２）適切な場所での前記配達業者と前記管理者の存在次第であり得る。.実施形態では、１つの認証コード
の提供は、１）１つの管理者の同定、２）適切な時間、または適切な期間内の前記配達者、および３）適切な場所での前記配達者および前記管理者の存在次第であり得る。
【０１８１】
実施形態では、１つの認証コードの提供は、１）１つの配達業者の同定、２）適切な時間、または適切な期間内での存在、３）適切な場所、および４）前記管理者の身元の確認次第であり得る。実施形態では、１つの配達業者の同定は、写真の同定から成り得る。例えば、適切な場所での前記配達業者の１つの写真、絵、または他の映像の取得から成り得る。および、前記写真、絵、または他の映像の送信から成り得る。そのような同定は、前記写真、絵、または他の映像と１つまたはそれ以上の以前に取得した写真、絵、または他の映像と、または前記配達業者を識別する、またはそれに関連する他のデータとの比較から成り得る。実施形態では、前記管理者の１つの写真、絵、または他の映像は、適切な場所で、その場所に前期配達業者が到着する際に提供され得る。または新たに取得され得る。実施形態では、前記管理者のそのような写真、絵、または他の映像送信され得る。および以前に取得された写真、絵、または他の映像と、または前記管理者を識別する、またはそれに関連する他のデータとの比較から成り得る。
【０１８２】
実施形態では、配達業者識別、前記移転場所でのその配達業者の存在、および前記指定された時間の証明の前の状況の全ての達成時のみ、そのような認証コードは、前記移転場所での前記物質の前記管理者への提出のために、前記配達業者に提供される。
【０１８３】
実施形態では、更に前記前の状況の全ての達成（配達業者識別；前記指定された場所；前記指定された時間のその配達業者の存在の証明）のために、管理者識別の証明の更なる状況が、前記移転場所で前記物質の前記管理者への提出のために、前記配達業者への１つの認証コードの供給の前に必要とされる。
【０１８４】
実施形態では、１つの認証コードの供給は、前記認証コードを必要とする前記人物または装置による同定の提出次第であり得る。実施形態では、１つの認証コードの供給は、前記認証コードを必要とする前記人物（例えば、顔、目、虹彩、手、または他の映像による）または装置（例えば、バーコード、または識別する映像による）の前記識別の視覚での確認または確証次第であり得る。実施形態では、１つの認証コードの供給は、前記認証コードを必要とする、前記人物または装置による同定情報の提出次第であり得る。そして、そのような同定情報は視覚要素からなり得る。聴覚要素からなり得る。電磁気の信号または要素からなり得る。および、それらの組合せからなり得る。実施形態では、１つの認証コードの供給は、前記認証コードを必要とする、前記人物または装置による同定情報の提出次第であり得る。そしてそのような同定情報は、１つのタイミング信号、１つのグローバル・ポジショニング・システム（ＧＰＳ）、１つのビデオ信号、または他の信号からなり得る。および、それらの組合せからなり得る。実施形態では、同定情報は、携帯電話、タブレット、または他の映像情報からなり得る。および、携帯電話、ＷｉＦｉ、ネットワーク、または他のリンクを経由する通信からなり得る。
【０１８５】
実施形態では、１つの管理者からの物質の受領は、前記管理者による前記配達業者への同定の提出次第であり得る。実施形態では、１つの管理者からの物質の受領は、前期管理者の前記識別の視覚での確認または確証（例えば、顔、目、虹彩、手、または他の映像による）または、前記物質がもつ装置（例えば、バーコード、または他の識別する映像）次第であり得る。実施形態では、１つの管理者の前記識別の確認に使用する同定情報は、視覚要素からなり得る、聴覚要素からなり得る。電磁気信号または要素からなり得る。および、それらの組合せからなり得る。実施形態では、同定情報は、携帯電話、タブレット、または他の映像情報からなり得る。および、携帯電話、ＷｉＦｉ、ネットワーク、または他のリンクを経由する通信からなり得る。実施形態では、同定情報は、１つのタイミング信号、１つのグローバル・ポジショニング・システム（ＧＰＳ）信号、１つのビデオ信号、または他の信号からなり得る。および、それらの組合せからなり得る。
【０１８６】
実施形態では、更に、前記物質の輸送のための前記適切な車両の前記存在次第であり得る。例えば、前記物質の輸送が１つの特定のタイプの車両（例えば、空調、さもなければ温度管理された１つのコンパートメント）を必要とされる、またはそれによって最も提供される場所では、前記配達業者が、全ての他の必須条件を満たしていたとしても、そのような車両をもたない１つの配達業者に１つの認証コードは与えられ得ない。実施形態では、１つの認証コードの供給は、さらに前記物質の輸送のための前記適切なコンテナの前記存在次第であり得る。実施形態では、１つの認証コードの供給は、さらに前記物質の受領のための前記目的地が利用可能か、または現在のキャパシティ次第であり得る。実施形態では、１つの認証コードの供給は、さらに環境条件（例えば、天候；道路状況；交通状況；元の、または目的地の場所での力の混乱；他の環境条件）次第であり得る。
【０１８７】
実施形態では、そのような同定情報、および他の基準の達成の確認と同時に、もし適切ならば、１つの認証コードは、前記認証コードを要求した前記人物または装置に、またはそのような認証コードが要求されたために提供され得る。
【０１８８】
実施形態では、前記配達業者の身元の確認は、１つの認証コードの提出から成る。それは、前記配達業者の指定された場所、指定された時間の到着と同時に、前記配達業者の身元の証明と合わせて、前記配達業者にその認証コードが供給された時点である。実施形態では、前記管理者の身元の確認は、前期管理者の前記識別の証明の提出から成る。実施形態では、前記管理者の身元の確認は、１つの認証コードの提出、および前記管理者の身元の証明の提出から成る。実施形態では、前記管理者の身元の確認は、１つの認証コードの提出から成る。それは、前記管理者の身元の証明と合わせて、指定された時間（例えば、前記配達業者の到着の予定時間、またはそれに近い時間）に前記管理者にその認証コードが提供される時点である。実施形態では、前記管理者の身元の確認は、１つの認証コードの提出から成る。それは、前記管理者の身元の証明と合わせて、指定された場所、指定された時間に、前記配達業者の到着と同時に、その認証コードが前記管理者に提供される時点である。
【０１８９】
実施形態では、１つの認証コードは、電子手段によって１つの配達業者、または１つの管理者、または１つの配達業者および１つの管理者両方に、供給され得る。１つの認証コードは、どのような適した通信手段またはメカニズムによっても、１つの配達業者、または１つの管理者、または１つの配達業者または１つの管理者両方に、提供され得る。例えば、１つの認証コードは、以下の手段で１つの配達業者、または１つの管理者、または１つの配達業者または１つの管理者両方に、提供され得る。それは、携帯電話、ＷｉＦｉ、無線認識票（ＲＦＩＤ）、ブルートゥース、赤外線、直接のマイクロ波、またはラジオリンク、または、１つのコンピューター、１つのルーター、１つのインターネットノード、１つのネットワーク、他の仲介装置、要素、またはシステムから成り得る、他の通信接続といった、１つの無線通信リンクから成る。実施形態では、１つの認証コードは、以下の手段で１つの配達業者、または１つの管理者、または１つの配達業者または１つの管理者両方に、提供され得る。それは、電話、イーサーネット、ファイヤワイア、ユニバーサル・シリアル・バス（ＵＳＢ）、または他の物理的接続を経由する物理的接続から成る。実施形態では、１つの認証コードは、以下の手段で１つの配達業者、または１つの管理者、または１つの配達業者または１つの管理者両方に、提供され得る。それは、１つの指定された装置、１つの指定された通信リンク、１つの指定された通信システム、またはそれらの組合せから成る。
【０１９０】
実施形態では、１つの物質は配達業者によって輸送され得る。配達業者によって輸送される１つの物質は、例えば、生物学的サンプルといった生物学的物質であり得る。実施形態では、１つの配達業者は、物質の通常のピックアップ及び配達のための指定された経路を持ち得る。（例えば、１つの移転場所から物質をピックアップし、１つの目的地まで前記物質を配達する）実施形態では、１つの配達業者は、物質の輸送の最適化のために、指定された経路を変更し得る。（すなわち、タイプ、年齢（例えば、収集からの時間）、または輸送される前記物質の状況、輸送コンテナまたは輸送車両内の温度、交通、天候、移転場所の状況といった外部条件、または他の要因を考慮して）.実施形態では、前記物質
は１つの移転場所から１つの目的地場所へ輸送され得る。
【０１９１】
例えば、１つの管理者は、前記物質が１つの管理者に移転される前、前記管理者が前記配達業者が認証された配達業者であると確信するまで、１つの物質の所有を維持し得る。本明細書で開示されるように、１つの管理者は、前記配達業者が認証された配達業者であると、前記配達業者が１つの認証コードを提出または所有する場合のみ、確証し得る。したがって、１つの管理者は、物質が１つの配達業者に移転される前に、１つの配達業者が１つの認証コードを提出する、または所有することを必要とし得る１つの管理者はまた、１つの配達業者が、１つの認証コードを提出する、または所有するのに加え、同定を提出する、または所有することを必要とし得る。
【０１９２】
実施形態では、１つの認証コードは、独特で、１度限り使用のコードで、特定の配達業者に特定の場所での前期配達業者の到着と同時に提供されるものである；そのような１つの認証コードは、他の時間、または他の場所、または他の配達業者の使用には有効でない。したがって、１つの配達業者は指定された時間（例えば、計画されたピックアップ時間または、時限のような、指定された時限）の指定された場所（例えば、輸送される物質がみつかる１つの移転場所）での到着時のみ、１つの認証コードを取得し得る。実施形態では、１つの配達業者は、指定された時間の指定された場所での到着、および前記配達業者の識別の確認と同時の場合のみ、１つの認証コードを取得し得る。実施形態では、前記配達業者の、前記管理者の、または両方の写真または他の映像は、前記指定された場所で撮られ得る；そのような写真または映像は、指定された時間（例えば、指定された時限内）に撮られ得る。
【０１９３】
１つの配達業者が指定された時間に指定された場所に存在すること、または、実施形態では、１つの識別された配達業者が指定された時間に指定された場所に存在することの確認は、１つの配達業者への１つの認証コードの送信前に必要とされ得る。確証的な情報を１人のオペレーター、または１つのプロセッサーに提供することで、そのような確認は生じ得る。実施形態では、前記オペレーターまたはプロセッサーは、１つの遠隔場所（例えば、１つの移転場所とは別の場所）に置かれる；実施形態では、前記オペレーターまたはプロセッサーは、前記移転場所に置かれる。および前記オペレーターが仮に存在するならば、前記物質の前記管理者とは別の人物である。
【０１９４】
例えば、指定された時限内の、１つのピックアップ場所での、１つの識別された配達業者の到着の確認情報は、１つの遠隔場所（例えば、１つの遠隔場所の１人のオペレーターへ、または１つのネットワーク（「クラウド」）の一部のような１つの遠隔プロセッサー）に通信され得る。および、その情報の確認と同時に、１つの独特の認証コードが作成され、および前記配達業者へ提供され得る。あるいは、指定された時限内の、１つのピックアップ場所での、１つの識別された配達業者の到着の確認情報の確認と同時に、先に作成された１つの独特な認証コードが前記配達業者に提供され得る。１人のオペレーターが１つの移転場所に置かれる場所では、前記オペレーターは、１つの独特な認証コードの発行の前に、前記配達業者が１つの適切な配達業者で、指定された時限内にその移転場所に存在するか確認する。
【０１９５】
１つの独特な認証コードは例えば以下から成り得る。バーコード（１つの携帯電話、１つのタブレット、１つのコンピュータースクリーン、または他の手段で表示され得る）；１つの数字；１つの文字列；１つの記号；１つの英数字の組合せ；１つの記号の組合せ；複数の数字、および複数の英字；または他のコード。１つの独特な認証コートは通常１度限りの使用のために作成される；例えば、１つの配達業者が、最初の移転場所から次の移転場所に進む場所では、１つの新しい認証コードは、前記次の移転場所でピックアップのために作成され得る；および、例えば、１つの配達業者が別のときに最初の移転場所から次のピックアップのために戻る場所では、１つの新しい認証コートは、前記最初の移転場所で、前記次のピックアップのために作成され得る。
【０１９６】
１つの独特な認証コードは、１つの暗号化された通信内で、１つの配達業者に提供され得る。１つの独特な認証コードは、１つの暗号化された通信内で、携帯電話リンク、ＷｉＦｉ、他の無線リンク、物理的接続（例えば、固定電話線、イーサーネット、シリアルコネクション、または他のリンク）、またはこれらの組合せを含む、どのような適した通信リンクを経由しても、１つの配達業者に提供され得る。実施形態では、独特な認証コードは、１つのネットワークを経由して、１つの配達業者に提供され得る。実施形態では、独特な認証コードは、１つの指定された通信リンクを経由して、１つの配達業者に提供され得る。実施形態では、１つの認証コードは、１つの公共通信リンクを含み得る、１つの通信リンクを経由して、１つの配達業者に提供され得る。
【０１９７】
１つの認証コードが１つの配達業者へ提供される方法が提供される。実施形態では、１つの認証コードを１つの配達業者に提供する、１つの方法は、１つの配達業者が１つの移転場所に到着時間に存在することの確認（到着時間が、事前に指定された到着時限内であり得る場所で）、および、前記配達業者へ１つの認証コードが提供されることから成り得る。１つの配達業者が、１つの移転場所に存在することの確認は、グローバル・ポジショニング・システム（ＧＰＳ）装置または要素の使用から成り得る；携帯電話および／または携帯電話システムの使用から成り得る；１つの指定された場所での前記配達業者による１つの行動から成り得る（例えば、前記配達業者が１つのレジスターにサインする、同定を提出する、１つの指紋を提供する、１つの生体測定検査を提出する、また他の行動を必要とし得る）。実施形態では、１つの配達業者が、指定された時限内の時間に１つの場所に存在することを確かめることは、グローバル・ポジショニング・システム（ＧＰＳ）装置または要素の使用から成る。そこでは、そのようなＧＰＳ装置または要素は、１つの時計または、時間信号から成る；時計または時間信号から成る、コンピューター、タブレットコンピューター、携帯電話、および／または１つの携帯電話システムの使用から成り得る；指定された時限内の時間での、１つの指定された場所での前記配達業者による１つの行動（例えば、前記配達業者がレジスターにサインする、現在の同定、指紋の提供、生体測定検査の提出、または他の行動）から成り得る。
【０１９８】
１つの認証コードはどのような適した通信リンクを経由しても、１つの配達業者に提供され得る。およびむしろ、１つの確実な通信リンク（例えば、１つの通信リンクによって運ばれる１つの暗号化信号）によって提供される。例えば、１つの認証コードは、例えば、１つの携帯電話または携帯電話システム；ＷｉＦｉ；１つの無線周波または、マイクロ波通信リンク；ブルートゥース、赤外線、または、１つのコンピューター、１つのルーター、１つのインターネットノード、１つのネットワーク、他の仲介装置、要素、またはシステム、またはそれらの組合せから成り得る、通信接続といった、１つの無線通信リンクによって提供され得る。１つの無線通信リンクは、１つの単独周波数、または１つの単独周波数範囲を、送信のために使用し得る；または複数の周波数、または複数の周波数範囲を、送信のために使用し得る。実施形態では、１つの認証コードは１つの配達業者に、電話、イーサーネット、ファイヤワイア、ユニバーサルシリアルバス（ＵＳＢ）または他の物理的接続、またはそれらの組合せを経由した、１つの物理的接続から成る方法で提供され得る。実施形態では、１つの認証コードは１つの配達業者に、１つの指定された装置、１つの指定された通信装置、１つの指定された通信システム、またはそれらの組合せから成る方法で提供され得る。１つの認証コードは１つの配達業者に、そのような通信リンクのどのような組合せ、または、その分野で知られている、どのような通信手段または手段の組合せを経由しても提供され得る。
【０１９９】
１つの配達業者の前記識別は、１つの認証コードが前記配達業者に提供される前に、一部として、または後に確認され得る。１つの配達業者の同定は確かめられ得る。例えば、同定書類の提示によって；生体測定方法を使用した識別確認によって；写真または他の映像方法による、識別確認によって；または他の方法によって。実施形態では、１つの配達業者の前記識別は、１つに認証コードの提供前に、１つの無線認識票（ＲＦＩＤ）装置またはシステムを使用して確かめられ得る。実施形態では、１つの配達業者の前記識別は、１つのネットワーク内の１つのプロセッサー、例えば、クラウドをもとにしたソフトウエアを実行する１つのプロッセサーを使用した１つの認証コードの提供の前に、確かめられ得る。例えば、前記配達業者の身元の確認は、携帯電話、前記写真または映像の送信、および前記配達業者の身元の確認で、１つの写真または他の映像を取得することから成る。
【０２００】
したがって、出願者はさらに、１つの移転場所の１つの配達業者から１つの配達業者への物質の移転に権限を与えるための方法を開示する。その方法は、前記配達業者への物質の前記移転の前に、前記移転場所で１つの配達業者へ１つの認証コードを提供することから成る。実施形態では、前記管理者が前記配達業者へ前記物質を移転し得ることの確認と同時に、前記配達業者は前記管理者への前記認証コードを提供する。実施形態では、前記方法は、１つの指定された時間（例えば、１つの指定された時限内）に１つの指定された移転場所での前記配達業者の前記到着と同時のみ、１つの認証コードが１つの配達業者に提供されることから成る。実施形態では、前記方法は、１つの指定された時間（例えば、１つの指定された時限内）に１つの指定された移転場所での前記配達業者の前記到着と同時のみ、および、前記管理者への前記認証コードの提示と同時に、１つの認証コードが１つの配達業者に提供されることから成る。実施形態では、前記方法は、１つの指定された時間（例えば、１つの指定された時限内）に１つの指定された移転場所での前記配達業者の前記到着と同時のみ、１つの認証コード、および配達業者同定が１つの配達業者に提供されることから成る。
【０２０１】
したがって、出願者は１つの移転場所から１つの目的地までの物質の輸送のための方法を開示する。１つの配達業者への前記移転場所での１つの認証コードの提供を含む。実施形態では、１つの移転場所から１つの目的地までの物質の輸送のための方法は、前記目的地での、１つの配達業者への１つの認証コードの提供から成る。実施形態では、１つの指定された時間（例えば、１つの指定された時限内）に１つの指定された移転場所で、前記配達業者の前記到着と同時のみ、１つの認証コードは１つの配達業者に提供され得る。実施形態では、１つの配達業者は、前記配達業者への前記物質の移転の前に、前記物質の１つの管理者への同定の提供を必要とされ得る。実施形態では、１つの配達業者は、前記配達業者による前記物質の受領の前に、１つの管理者から同定を必要とされ得る。
【０２０２】
したがって、出願者は物質の前記移転の権限を与える方法を開示する。前記配達業者への物質の移転の前に、１つの認証コードの提示を１つの配達業者に求めることを含む。そのような認証コードは、１つの指定された時間（例えば、１つの指定された時限内）に、１つの指定された移転場所での前記配達業者の前記到着と同時の場合のみ、前記配達業者に提供される。実施形態では、前記物質の移転は、認証コードが提示されない場合、または１つの不正確な認証コードが提示される場合、妨げられる。実施形態では、物質の前記移転を認証する方法は、前記配達業者に物質を移転する前に、１つの認証コードおよび配達業者同定を提示することを１つの配達業者に求めることから成る。そこでは、そのような認証コードは、１つの指令された時間に（例えば、１つの指定された時限内）、１つの指定された場所に前記配達御すやが到着すると同時にのみ、提供される。および、適切な認証コードおよび配達業者同定の提示と同時に、物質の前記移転は認証されることから成る。実施形態では、物質の移転は、認証コードが提示されない場合、１つの不正確な認証コードが提示される場合、または不正確な、または不十分な配達業者同定が提示される場合、妨げられる。
【０２０３】
したがって、出願者は物質の移転に権限を与える方法を開示する。前記配達業者への物質の移転の前に、１つの認証コードを提示することを１つの配達業者に求めることを含む。そのような認証コードは、１つの指定された時間（例えば、１つの指定された時限内）に、１つの指定された移転場所で、前記配達業者の前記到着と同時にのみ、前記配達業者に提供されることを含む。実施形態では、物質の認証された移転は、認証コードが提示されない場合、または１つの不正確な認証コードが提示される場合、妨げられる。実施形態では、物質の認証された移転は、前記配達業者への物質の移転の前に、１つの認証コードおよび配達業者同定の提示を、１つの配達業者に求められることを含む。そのような認証コードは、１つの指定された時間（例えば、１つの指定された時限内）に、前記配達業者の到着と同時にのみ、前記配達業者に提供される。および、前記認証コードおよび配達業者同定の提示と同時に、前記物質の移転することを含む。実施形態では、物質の認証された移転は、認証コードが提示されない場合、１つの不正確な認証コードが提示される場合、または不正確な、または不十分な配達業者同定が提示される場合、妨げられる。実施形態では、物質の認証された移転は、不正確な、または不十分な管理者同定が提示される場合、妨げられる。実施形態では、物質の認証された移転は、移転される前記物質に関連した不正確な、または不十分な同定が提示される場合、妨げられる。実施形態では、物質の認証された物質は、前記管理者の権限が確認されない場合、妨げられる。実施形態では、物質の認証された移転は、移転される前記物質の権限が確認されない場合、妨げられる。
【０２０４】
実施形態では、前記物質を収容する１つの輸送コンテナとともに、１つの配達業者は提供され得る。その輸送コンテナは温度センサーを含む。実施形態では、温度センサーは、前記輸送コンテナの外面上に提供され得る。および１つの輸送コンテナの外面上、内面上両方に提供され得る。実施形態では、１つの輸送コンテナは、１つの記憶構成要素、または複数の記憶構成要素から成る。それは、１つまたはそれ以上のセンサーによって測定される温度の１つの記録を貯蔵するよう構成されている。
【０２０５】
実施形態では、１つの輸送コンテナは、１つの通信リンク（例えば、実施形態では、さらに携帯電話または他のリンクと接続し得る、ブルートゥース接続、ＷｉＦｉ接続、赤外線接続、ＧＰＳ接続、ＲＦＩＤ接続）から成り得る。それは、情報（例えば、位置情報、交通情報、天気情報、または他の情報）を受信する、および情報（例えば、温度情報、物質が前記輸送コンテナ内に収容されている時間に関連する情報、または他の情報）を送信することから構成され、１つの配達業者が、１つの移転場所から１つの目的地まで物質を輸送する際に取る前期経路を評価することに使用され得る。実施形態では、物質がその温度で前記輸送コンテナ内に長く留まりすぎると予想される場合、１つの経路は変更され得る。例えば、交通、天候、または他の状況で。１つの輸送コンテナは、１つの配達業者をコンテナ、物質、経路情報、または他の情報に対して警戒させるよう構成されている、１つのアラーム、ベル、スピーカー、ライト、または他の信号手段を含み得る。
【０２０６】
実施形態では、１つの輸送コンテナは、１つの配達業者を、１つの計画経路の変更を必要とする１つの条件に警戒するよう構成され得る。実施形態では、１つの計画経路の変更は、１つの計画経路の再指示、または、１つの計画経路の１つまたは複数の移転場所の削除、または残りの移転場所全ての削除からなり得る。実施形態では、１つの輸送コンテナは、１つの配達業者に、１つの目的地までの迅速な運行を求める１つの条件を警戒するよう構成され得る。例えば、途中での停車のない、１つの目的地までの直接運行。実施形態では、１つの輸送コンテナは、例えば、１つの移転場所、１つの目的地、または別の場所といった１つの場所（例えば、それは、１つの経路に沿って、以前訪れている場所であり得る）への至急の戻りが必要とされる、１つの条件に対して、１つの配達業者に警告するよう構成され得る。実施形態では、１つの輸送コンテナは、例えば、１つの目的地といった（例えば、それは１つの経路に沿ってまだ訪れていない場所であり得る）１つの特定の場所への迅速な運行を必要とする１つの条件に対して、１つの配達業者に警告するよう構成され得る。
【０２０７】
実施形態では、１つの輸送コンテナは冷蔵手段から成り得る。例えば、１つのコールドパック、１つの扇風機、１つの蒸発クーラー、１つの強制冷却システム、または、前記輸送コンテナの内側の温度を、前記輸送コンテナの外の環境温度より低く保つよう構成されている他の機器。
【０２０８】
実施形態では、１つの物質を貯蔵するための１つの貯蔵コンテナは、冷蔵方法から成り得る。それは例えば、前記貯蔵コンテナの内側の温度を、前記貯蔵コンテナの外の環境温度よりも低く保つよう構成されている冷却装置といったもの。冷蔵方法は、１つのコールドパック、１つの扇風機、１つの蒸発クーラー、１つの冷却剤、１つのポンプ、１つの扇風機、１つの熱交換器、１つの強制冷却システム、または他の冷却要素および装置を含み得る。１つの貯蔵コンテナは、前記貯蔵コンテナの内側に接近するために、１つの入り口から成り得る。およびそのような入り口は、前記入り口を閉めるために１つの有効なドアから成り得る。１つの貯蔵コンテナは、前記貯蔵コンテナの内側に配置されている、および、前記貯蔵コンテナ内で前記照度を検知するするよう構成されている、１つの光センサーから成り得る。実施形態では、そのような１つの光センサーは、前記入り口が開いているかどうか検知するよう、または、前記入り口が閉じているかどうか、または両方を検知するよう構成され得る。１つの貯蔵コンテナは、１つの温度センサーを含み得る。および、実施形態では、複数の温度センサーを含み得る。温度センサーは、前記貯蔵コンテナの内側上、外側上、または内側上と外側上の両方に配置され得る。１つの貯蔵コンテナは、記憶方法を含み得る。それは例えば、固定型記憶、またはハードドライブ、書き込み可能なディスク、または他の記憶といったものである。１つの貯蔵コンテナの前記記憶方法は、前記入り口が開いている時限を含む時間を記録するよう構成され得る。および、前記入り口が閉じている時限を含む時間を記録するよう構成され得る。１つの貯蔵コンテナの前記記憶方法は、例えば、前記入り口が開いてる時の温度といった、時限内の温度を含む、温度を記録するよう構成され得る。および、前記入り口が閉じている時限を含む、時間の間の温度を記録するよう構成され得る。
【０２０９】
１つの貯蔵コンテナは１人のオペレーターと例えば、１つのディスプレイ、１つの光、１つのスピーカー、またはそれらの組合せによって通信するよう構成され得る。１つの貯蔵コンテナは、１つのプロセッサー、例えば、１つの遠隔地に位置している１つのプロセッサーを通信するよう構成され得る。実施形態では、１つの貯蔵コンテナは、１つのプロセッサーは、１つの通信リンクを経由して（例えば、１つの携帯電話、１つのブルートゥース接続、１つのＷｉＦｉ接続、１つのＵＳＢ接続、１つのイーサーネット接続、または他のリンクを経由して）通信し得る。実施形態では、１つの貯蔵コンテナと通信する１つのプロセッサーは、１つのネットワーク内の１つのプロセッサーであり得る。または１つのクラウドベースのプロセッサーであり得る。
【０２１０】
本明細書で開示されるように、１つの管理者から１つの配達業者への、輸送のための物質の移転は、１つの配達業者への１つの認証コードの発行と同時のみ、認証され得る。前記認証コードは、前記移転の前記場所で、および前記適切な時間に（１つの指定された時限内に）、前記配達業者の到着と同時に、前記配達業者に提供される。権限は、輸送のために１つの配達業者へ前記物質が提供される前に、実行されなければならない。実施形態では、１つの管理者から１つの配達業者への、輸送のための１つの物質の移動は、１つの認証コードの提示と同時のみ認証され得る。実施形態では、１つの管理者から１つの配達業者への、輸送のための１つの物質の移転は、１）１つの認証コードの提示、２）前記配達業者の身元の確認と同時のみ認証され得る実施形態では、前記配達業者の身元の確認は、１つの写真または他の映像の提示、識別書類。識別記章、またはマーク、生体測定同定、または、前記配達業者の身元の他の証拠の提示から成る。例えば、前記配達業者の身元の確認は、１つの写真または他の映像を携帯電話、前記写真または映像の送信、および前記配達業者の身元の確認によって取得することから成り得る。
【０２１１】
実施形態では、１つの管理者から１つの配達業者への、輸送のための１つの物質の移転は、前記管理者の身元の確認と同時のみ、認証され得る。実施形態では、前記管理者の身元の確認は、１つの認証コードの発行の前に、１つの写真、他の識別情報、または両方の提示から成る。そのような認証コードは、前記管理者から前記配達業者への、どのような前記物質の移転の前にも必要とされる。
【０２１２】
実施形態では、前記配達業者の身元の確認は、同定書類の提示；生体測定方法を使用した確認；写真で、または他の映像の方法での確認；無線認識票（ＲＦＩＤ）装置またはシステムを使用した配達業者識別の確認；または他の方法から成り得る。実施形態では、配達業者識別の確認は、例えば、クラウドベースのソフトウエアを実行する１つのプロセッサーを使用した、１つのネットワーク内の１つのプロセッサーの使用から成り得る。
【０２１３】
実施形態では、前記配達業者によって前記管理者に提示される前記同定は、写真同定（例えば、蓄積された映像と比較され得る、１つの写真または他の映像を撮ること）、生体測定同定（例えば、前記配達業者の物理的または生物的特徴の検査（例えば、指紋、虹彩、耳、頬の拭い液、髪の毛サンプル、または体の一部、サンプル、または特徴の検査）、識別カードまたは証明書（例えば、運転免許証、パスポート、または、１つの写真を含み、政府機関が発行する他の同定）の提示から成り得る。
【０２１４】
実施形態では、１つの管理者は同定情報を１つの配達業者に提示し得る；そのような同定は、前記配達御すやによって前記管理者に提示される前記同定と同じ要素から成り得る。実施形態では、１つの配達業者、１つの管理者、または１つの配達業者および１つの管理者は、１つのネットワークに同定情報を提示し得る；そのような同定は、例えば、前記配達業者が前記管理者に提示する前記同定と同じ要素から成り得る。例えば、１つの管理者の前記識別の確認は、１つの携帯電話での１つの写真または他の映像の取得、前記写真または映像の送信、および前記管理者の身元の確認から成り得る。実施形態では、移転される前記物質の同定は、必要とされ得る。実施形態では、移転される前記物質の前記権限、または、その移転または輸送の権限の確認は、必要とされ得る。
【０２１５】
１つの配達業者は１つ以上の物質を輸送し得る。実施形態では、１つの配達業者は、複数の物質の前記収集のために、１つの目的地へこれらの物質を輸送するために、１つの移転場所に運行し得る。実施形態では、１つの配達業者は、複数の物質の前記収集のために、複数の目的地へこれらの物質を輸送するために、１つの移転場所に運行し得る。実施形態では、１つの配達業者は、複数の物質の前記収集のために、１つの目的地へこれらの物質を輸送するために、複数の移転場所に運行し得る。実施形態では、１つの配達業者は、複数の物質の前記収集のために、複数の目的地へこれらの物質を輸送するために、複数の移転場所に運行し得る。１つの配達業者は、１つの経路に沿って、移転場所の間、１つの移転場所と１つの目的地の間、または目的地へ運行し得る。
【０２１６】
１つの経路は、１つの配達業者によって運行される１つの軌道、または運行されている１つの軌道から成り得る。１つの配達業者は１つの経路に沿って、１つの移転場所から１つの目的地まで１つの物質を輸送し得る。１つの配達業者は１つの経路に沿って、複数の移転場所から１つの目的地まで、複数の物質を輸送し得る。１つの配達業者は、１つの経路に沿って、複数の移転場所から複数の目的地まで複数の物質を輸送し得る。
【０２１７】
このように、実施形態では、１つの経路を提供することは、１つの配達業者によって訪れられる一連の場所を決定することで、１つの経路を準備することから成り得る；１つの配達業者が訪れられる１つの場所は１つの移転場所から成り得る（例えば、１つの物質がピックアップされ得る１つの場所）。または１つの目的地から成り得る（例えば、１つの物質が配達され得る１つの場所）。または他の場所から成り得る（例えば、１つの車両のための燃料を得るための１つの場所、または他の場所）。実施形態では、１つの経路の提供は、要因を考慮に入れることから成り得る。そこで、そのような要因は、前記経路に沿って訪れられる場所の前記同定に；１つの経路に沿って訪れられる１つの目的地または複数の目的地の前記同定に；訪れられるそのような場所および目的地の前記一連および順序に；もしあれば、１つの経路に沿って訪れられる他の場所の前記同定に；１つの経路に沿って維持される、または得られると予想される、スピード、または複数のスピードの決定に；１つの経路に沿って、利用可能および最適な１つの道、または別の道の中で取られる１つの特定な道に；１つの経路に沿って、１つの場所または複数の場所への到着のための特定の１つの時間または複数の時間、または時限に；または１つの経路の他の詳細に関連し得る。実施形態では、１つの経路の提供は、１つの配達業者への１つの経路の通信から成る。実施形態では、１つの経路の提供は、１つの管理者への１つの経路の通信から成る。実施形態では、１つの経路の提供は、１人のオペレーターへの１つの経路の通信から成る。実施形態では、１つの経路は、１人のオペレーターによって、１つの配達業者、または１つの管理者への提供され得る。実施形態では、１つの経路は１つの配達業者、または１つの管理者、または１人のオペレーター、またはそれらの組合せに、１つのプロセッサーとの１つの通信リンクによって提供され得る。そこでは、前記プロセッサーは１つのコンピューター内に、１つのネットワーク上に、１つのサービスに関連して（例えば、クラウドサービス）、または他のプロセッサーであり得る。実施形態では、１つの経路は、１つのディスプレイ（例えば、１つのコンピューター、１つの携帯電話ディスプレイ、１つのタブレットディスプレイ、または他のディスプレイに関連したモニター上の１つのディスプレイ）によって、１つの配達業者、または１つの管理者、または１人のオペレーター、またはそれらの組合せに提供され得る。
【０２１８】
実施形態では、１つの経路を１つの配達業者に提供することは、１つの通信リンクによる通信から成り得る；１つの経路を１つの配達業者に提供することは、１つの配達業者が前記経路に沿って運行し始める前に、１つの経路を提供することから成り得る；１つの配達業者が１つの経路に沿って運行し始めた後に、１つの経路の一部提供することから成る。１つの経路は変更され得る；実施形態では、１つの経路は、前記経路に沿っての１つの配達業者の運行の前に、または最中に、変更され得る。１つの配達業者に提供される経路は、１つの変更された経路（例えば、以前に決定された１つの経路への変更）から成り得る。１つの変更された経路の一部から成り得る。および１つの変更された経路の１つ以上の部分から成り得る。
【０２１９】
実施形態では、１つの経路は１つの管理者へ提供され得る実施形態では、前記経路に沿って、１つの配達業者が運行し始める前に、１つの経路は１つの管理者へ提供され得る；１つの配達業者が１つの移転場所に到着する前に、１つの管理者に提供され得る；前記管理者が位置する前記移転場所に、１つの配達業者が到着する前に、１つの管理者に提供され得る；または他の時に。１つの管理者に提供される１つの経路は、１つの全経路から成り得る。１つの経路の一部から成り得る。および１つの経路の１つ以上の部分から成り得る。１つの管理者に提供される１つの経路は、１つの変更された経路から成り得る（例えば、以前に決定された１つの経路への変更）。１つの変更された経路の一部から成り得る。および１つの変更された経路の１つ以上の部分から成り得る。
【０２２０】
実施形態では、１つの配達業者への１つの認証コードの提供は、１つの遠隔場所から前記配達業者への１つの認証コードの提供から成り得る。そこでは、１つの遠隔場所は、１つの移転場所とは違う場所である。
【０２２１】
実施形態では、１つの移転場所または複数の移転場所から、１つの目的地または複数の目的地へ、１つの物質または複数の物質を輸送するそのような方法は、更に、１つの同定カード、マーク、記章、または１つの管理者への他の同定を提供する１つの配達業者から成る。実施形態では、１つの移転場所または複数の移転場所から、１つの目的地または複数の目的地へ、１つの物質または複数の物質を輸送するそのような方法は、更に、１つの同定カード、マーク、記章、または１つの配達業者への他の同定を提供する１つの管理者から成る。
【０２２２】
本明細書で開示される前記方法の実施形態では、１つの配達業者または１つの管理者の同定は、例えば、同定書類の提示；生体測定方法を使用する確認；写真のまたは他の映像方法による確認；または他の方法から成り得る。実施形態では、１つの配達業者または１つの管理者の前記識別は、１つのネットワーク内で１つのプロセッサー、例えば、クラウドベースのソフトウエアを実行する１つのプロセッサーを使用する１つの認証コードの提供の前に、確認され得る。実施形態では、１つの配達業者または１つの管理者の前記識別は、１つの無線識別票（ＲＦＩＤ）装置またはシステムを使用する１つの認証コードを提供する前に、確認され得る。
【０２２３】
実施形態では、本明細書で開示される、任意の１つまたはそれ以上の方法に従って、輸送される１つの物質、または複数の物質は、１つの生物的物質を含み得る。実施形態では、本明細書で開示される、任意の１つまたはそれ以上の方法に従って、輸送される１つの物質、または複数の物質は、１つの生物的サンプルを含み得る。実施形態では、本明細書で開示される、任意の１つまたはそれ以上の方法に従って、輸送される１つの物質、または複数の物質は、複数の生物的物質を含み得る。実施形態では、本明細書で開示される、任意の１つまたはそれ以上の方法に従って、輸送される１つの物質、または複数の物質は、複数の生物的サンプルを含み得る。
【０２２４】
１つの経路は以前に計画された１つの経路から、前記経路に沿って、運行中のいつでも変更され得る。例えば、１つの経路は以前に計画された１つの経路から、最初の移転場所での１つの配達業者の到着の前に変更され得る。実施形態では、１つの経路は以前に計画された１つの経路から、最初の移転場所での１つの配達業者の到着以降、変更され得る。実施形態では、１つの経路は以前計画された１つの経路から、最初の移転場所の到着後、次の移転場所での１つの配達業者の到着前に変更され得る。実施形態では、１つの経路は以前計画された１つの経路から、最初の移転場所の到着後、次の移転場所での１つの配達業者の到着以降、変更され得る。
【０２２５】
１つの経路の変更は、全ての計画された移転場所および、１つの計画された目的地、または複数の目的地に到着するために、以前計画されたものより異なる道を追うことから成り得る。実施形態では、１つの経路の変更は、前記の以前計画された移転場所の全てより少ない場所に、および１つの計画された目的地に到着するために、以前計画されたものより異なる道を追うことから成り得る。実施形態では、１つの経路の変更は、計画された移転場所の全てに、および１つの追加された移転場所に、および、１つの計画された目的地に到着するために、以前計画されたものより異なる道を追うことから成り得る。実施形態では、１つの経路の変更は、企画された移転場所の全てに、および、前記の以前計画された目的地から１つ異なる目的地に到着するために、以前計画されたものより異なる道を追うことから成り得る。実施形態では、１つの経路の変更は、計画された移転場所の全てに、および、前記に以前に計画された目的地と同様に１つの追加された目的地に到着するために、以前計画されたものより異なる道を追うことから成り得る。実施形態では、１つの経路の変更は、計画された移転場所の全てより少ない場所に、および前記の以前計画された目的地から異なる１つの目的地に到着するために、以前計画されたものより異なる道を追うことから成り得る。実施形態では、１つの経路の変更は、計画された移転場所の全てより少ない場所に、および前記の以前計画された目的地と同様に１つの追加された目的地に到着するために、以前計画されたものより異なる道を追うことから成り得る。実施形態では、計画された移転場所の全てに、および１つの追加された移転場所に、および前記の以前計画された目的地から異なる１つの目的地に到着するために、以前計画されたものより異なる道を追うことから成り得る。実施形態では、計画された移転場所の全てに、および１つの追加された移転場所に、および前記の以前計画された目的地と同様に１つの目的地に到着するために、以前計画されたものより異なる道を追うことから成り得る。
【０２２６】
１つの経路の変更は、１つの経路が計画された後、起こっている要因により起こり得る。実施形態では、１つの経路の変更は、計画の変化により起こり得る。実施形態では、１つの経路の変更は、交通状況；道路状況；輸送車両状況（例えば、機械的または燃料要因）；環境状況（例えば、天候）；輸送される物質のタイプ；輸送される物質の出所；前記輸送の時間的感度；輸送される前記物質の腐敗性；輸送される前記物質の脆弱性；輸送車両内のエアコン／暖房が利用可能かどうか；１つの移転場所で物質が入手可能かどうか；人員、サービス、機器、パワー、アクセス、または他の要因が１つの移転場所で利用可能かどうか；人員、サービス、機器、パワー、アクセス、または他の要因が１つの目的地で利用可能かどうか；および他の要因から成る要因により起こり得る。
【０２２７】
１つの経路の変化は、指示に従ってあり得る。実施形態では、経路指示は、１人のオペレーターによって１つの配達業者に提供され得る。実施形態では、指示は、１つの装置によって１つの配達業者に提供され得る。実施形態では、経路指示は、１つのシステム、例えば、１つまたはそれ以上のオペレーター、装置、およびプロセッサーから成る１つのシステムによって、１つの配達業者に提供され得る。実施形態では、経路指示は、クラウドベースのソフトウエアのような、ソフトウエアによって１つの配達業者に提供され得る。実施形態では、１人のオペレーター、１つのサービス、または他の方法で１つの配達業者に提供される経路指示は、１つの通信リンクによって配達され得る。
【０２２８】
実施形態では、経路指示を提供するための１つの通信リンクは以下から成り得る。例えば、携帯電話、ＷｉＦｉ、無線認識票（ＲＦＩＤ）、ブルートゥース、赤外線、直接マイクロ波または無線回線、または、コンピューター、ルーター、インターネットノード、ネットワーク、または他の仲介装置、要素、またはシステムから成る、他の通信接続といった１つの無線通信リンク。実施形態では、経路指示を提供するための１つの通信リンクは、電話、イーサーネット、ファイヤーワイア、ユニバーサルシリアルバス（ＵＳＢ）または他の物理的接続を経由する１つの物理的接続から成り得る。実施形態では、経路指示を提供sるための１つの通信リンクは、１つの指示された装置、１つの指示された通信装置
、１つの指示された通信システム、またはそれらの組合せから成り得る。実施形態では、経路指示は、１つのネットワークによって１つの配達業者に提供され得る。
【０２２９】
このように、実施形態では、１つの輸送コンテナは、１つの格納装置、１つの蓋、１つの温度センサー、および１つの通信リンクから成り得る。実施形態では、１つの格納装置は、熱遮断、熱遮断を提供する設計（例えば、１つのエアーギャップ、１つの真空、または他の断熱している設計特徴）、またはそれらの組合せから成り得る。実施形態では、１つの蓋は、任意のカバー、ドア、ハッチ、または、１つの格納装置の１つの開口部を仕切るのに適した要素であり得る。実施形態では、１つの蓋は、前記コンテナの内部への接近を提供する１つの開口部を閉じるよう構成されている。および、１つの格納装置が閉まっている際、密封するよう構成され得る；１つの密封は、１つの水の密封から成り得る。または１つの空気の密封から成り得る。１つの温度センサーは、１つのサーミスター、１つの熱電対、１つの固形状態温度センサー、１つの水銀を含む温度センサー、または他の温度センサー、または温度センサーの組合せを含む、任意の温度センサーの適したタイプであり得る。１つの通信リンクは、１つの無線リンク、１つの電話リンク、１つのブルートゥースリンク、１つのイーサーネットリンク、１つの連続したリンク（例えば、１つのユニバーサルシリアルバス（ＵＳＢ）接続）、１つの赤外線リンク、または他のリンク、またはそれらの組合せから成る１つのリンクから成り得る。１つの通信リンクは、例えば、１つの携帯ディスプレイ、１つのタブレットディスプレイ、１つのコンピューターディスプレイ、または他のディスプレイを含む、１つのディスプレイから成り得る。
【０２３０】
１つの配達業者、または１つの通信リンク、またはその他を監視する１人のオペレーラーは、前記感知した温度を監視し得る、および、前記温度が要求範囲外に落ちる場合、応答し得る。１つの警告は、前記温度が要求範囲外に落ちる場合、通信され得る。前記温度が要求範囲外に落ちる場合、１つの警告が通信される場合、または両方、１つの応答は始まり得る。例えば、前記輸送コンテナが１つの温度感受性の物質を含む場所では、前記輸送コンテナの前記温度の監視は、前記輸送コンテナ内の前記物質の完全性の保存に重要であり得る。実施形態では、１つの輸送コンテナ内の前記物質が、１つの血液サンプル、１つの組織サンプル、移植のための臓器、または、温度感受性であり得る他の物質から成る場所では、前記輸送コンテナ内の前記温度の監視は、前記物質の前記完全性を維持するのに、および、その有用性および／または実行可能性を維持するのに、きわめて重大であり得る。
【０２３１】
実施形態では、１つの経路を変更することは、前記目的地までの前記経路を短くすることから成る。実施形態では、１つの経路は、１つの目的地までの運行前に複数の移転場所への運行から成る。および１つの経路を短くすることは、１つまたはそれ以上の移転場所を除去することから成る；実施形態では、１つの経路を短くすることは、全ての移転場所を除去することから成る。実施形態では、１つの経路が、１つの目的地までの運行前に、複数の移転場所への運行から成る場所では、および、少なくとも１つの移転場所が達成している運行の後、１つの警告が表示される場所では、および、１つまたはそれ以上の移転場所が達成すよう残っている場所では、１つの経路を短くすることは、全ての残っている移転場所を除去することから成り得る。
【０２３２】
実施形態では、通信することは、遠隔場所に１つの信号を提供すること、例えば、遠隔場所に位置する１人のオペレーター、または遠隔場所に位置する１つのプロセッサーに１つの信号を提供することから成る。実施形態では、通信することは、１つのネットワーク、例えば、１つのクラウドネットワークに繋がっている１つのプロセッサーに１つの信号を提供することから成る。実施形態では、前記の感知された温度を通信することは、警告限度を上回る温度を通信することから成る。
【０２３３】
実施形態では、通信すことは、１つの信号を受信することから成る；実施形態では、１つの配達業者が１つの信号を受信する。実施形態では、１つの信号は、遠隔場所に位置する１人のオペレーターから、（例えば１つの配達業者によって）受信され得る；または遠隔場所に位置する１つのプロセッサー；または例えば、１つのクラウドネットワークといった１つのネットワークに繋がっている１つのプロセッサーから；または別の出所から。実施形態では、１つの信号を受信することは、１つの経路を変更するという指示を受信することから成る。実施形態は、１つの経路を変更するという１つの信号は、感知された温度が警告限度を上回ることを指し示す通信が送られる後に続き得る。例えば、１つの配達業者、または１つの配達業者が管理する１つの車両、または１つの配達業者とともに運行する１つの（コンテナといった）装置は、感知された温度が警告限度を上回ることを指し示す１つの信号を送り得る；前記配達業者への１つの経路を変更するという、１つの信号または指示は、遠隔場所で、そのような１つの信号の前記受信に続き得る。
【０２３４】
実施形態では、１つの経路を変更するという１つの信号は、交通状況のために提供され得る。実施形態では、１つの経路を変更するという１つの信号は、天候状況のために提供され得る。実施形態では、１つの経路を変更するという１つの信号は、１つの目的地での状況のために提供され得る。実施形態では、１つの経路を変更するという１つの信号は、輸送される１つの物質の前記状況のために提供され得る実施形態では、１つの経路を変更するという１つの信号は、１つの移転場所で移転されるべき１つの物質の前記状況のために提供され得る（例えば、輸送される１つの物質だが、１つの配達業者からまだピックアップされていない）。Ｉｎ  ｅｍｂｏｄｉｍｅｎｔｓ，  ａ  ｓｉｇｎａｌ  ｔｏ  ａｌｔｅｒ  ａ  ｒｏｕｔｅ  ｍａｙ  ｂｅ  ｐｒｏｖｉｄｅｄ  ｄｕｅ  ｔｏ  ａ  ｃｈａｎｇｅ  ｉｎ  ｐｌａｎｓ．実施形態では、１つの経路を変更する１つの信号は、計画の変更のために提供され得る。実施形態では、１つの経路を変更する１つの信号は、１つの配達業者によって管理される１つの車両の前記状況のために提供され得る。
【０２３５】
実施形態では、１つの経路を変更する１つの信号は、１つの配達業者によって輸送される１つの物質の近くの１つのセンサーのためであり得る。実施形態では、１つの経路を変更する１つの信号は、１つの配達業者によって輸送される１つの物質をもつ、１つのコンテナ内または上にある、１つのセンサーのためであり得る。実施形態では、１つの経路を変更する１つの信号は、１つの配達業者によって輸送される１つの物質をもつ、１つのコンテナ内または上にある、１つの温度センサーのためであり得る。実施形態では、１つの配達業者によって輸送される１つの物質をもつ、１つのコンテナ内または上にある、１つの温度センサーのためにある、１つの経路を変更する１つの信号は、１つの光信号、１つの聴覚の信号、１つの書かれた信号、１つの記号、１つのディスプレイ内の変化、または他の信号から成り得る。
【０２３６】
実施形態では、１つの経路の変更は、前記目的地への前記経路の短縮から成り得る。実施形態では、１つの経路は、１つの目的地への運行の前に、複数の移転場所への運行から成る、および、１つの経路の短縮は、１つまたはそれ以上の移転場所の除去から成る；実施形態では、１つの経路の短縮は全ての移転場所の除去から成る。実施形態では、１つの経路が１つの目的地への運行前に、複数の移転場所への運行から成り、および、少なくとも１つの移転場所への運行が達成された後、１つの警告が表示される、および１つまたはそれ以上の移転場所への運行が達成されないままである場所では、１つの経路の短縮は、全ての残っている移転場所の除去から成り得る。
【０２３７】
実施形態では、１つの独特な時間に限りのある証明書（「認証コード」と呼ぶ）は、作成され、前記適切な時間に、前記適切な場所で、前記配達業者の前記到着と同時に、前記配達業者の身元の確認と同時のみ、前記配達業者に提供される。図１は、前記正確な時間に（例えば、所定の時間内に）、正確な場所で、前記配達業者の前記到着と同時のみ、１つの配達業者に１つの認証コードが提供される、１つの方法の１つの実施例の１つの略図を提供する。１つの認証コードが不在の場合、１つの配達業者に物質は移転されない。このように、１つの認証コードの要求は、物質が１つの認証された配達業者にだけ移転されること、および前記移転自体が認証されることをを確実にする；このように、物質は、不正確な、または認証されていない輸送から守られる。であるから、紛失、損害、または誤用から守られる。
【０２３８】
前記認証コードは、そのときのその場所での、その配達業者によっての使用のために提供される。および、他の時間の他の場所での、他の配達業者には有効でない。このように、１つの認証コードは、１度限りの使用で、１つの特定の時間に（一般的に到着時間といった、時限）１つの特定の場所での１つの特定の配達業者によっての使用のための特別な証明である。実施形態では、前記認証コードは、そのときのその移転場所での、１人の特定の人物へ（例えば、１つの特定な管理者へ）の提示のために提供される。実施形態では、前記認証コードは、そのときのその移転場所での１つの配達業者の到着と同時、または後に使用のために作成される。実施形態では、前記認証コードは、そのときのその移転場所での１つの配達業者の到着と同時、または後に使用のために作成される、しかし、そのときのその移転場所での１つの配達業者の到着と同時、または後に、前記配達業者にのみ提供される。
【０２３９】
１つの配達業者の、１つの指定された時間に、または所定時間内に、１つの指定された場所での前記存在は、例えば、前記グローバル・ポジショニング・システム（ＧＰＳ）、携帯電話、１つの時計、タイミング信号、またはほかの方法によって確認され得る。そのような場所および時間の確認は、どのような適した方法を使ってでも１つの遠隔地に提供され得る。それは、１つの電話リンク、１つのインターネットリンク、１つの私的ネットワーク、１つの公共ネットワーク、１つの無線リンク、１つのマイクロ波リンク、および他の通信方法に限定せず含まれる。
【０２４０】
１つの配達業者が前記適切な場所に適切な時間に位置すると確認されると同時に（および、実施形態では、前記適切な配達業者であると確認される）、１つの認証コードは前記配達業者に提供され得る。
【０２４１】
実施形態では、１つの認証コードは、前記場所への前記配達業者の到着前に作成され得る。および、前記配達業者が適切な時間に、前記適切な場所に位置することの確認と同時に、前記配達業者にのみ提供され得る。または、実施形態では、前記配達業者が適切な配達業者で、適切な時間に、前記適切な場所に位置することの確認と同時に。実施形態では、１つの認証コードは、このような確認の後にのみ作成される。および、適切な時間に前記適切な場所に、前記配達業者の到着と同時のみ、作成され、前記配達業者に提供される。または、実施形態では、前記配達業者が適切な配達業者で、および適切な時間に前記適切な場所に位置する。
【０２４２】
１つの認証コードは、１つの遠隔場所、つまり、１つの移転場所以外の他の場所で作成され得る。１つの認証コードは、１つのネットワークの一部、または、クラウドサービスといった、１つのネットワークを操作する１つのサービスの一部である、１つのプロセッサーによって作成され得る、または提供され得る。そのような１つの認証コードは、どのような適した方法を使ってでも、前記配達業者に提供され得る。それは、１つの電話リンク、１つのインターネットリンク、１つの私的ネットワーク、１つの公共ネットワーク、１つの無線リンク、１つのマイクロ波リンク、および他の通信方法に限定せず含まれる。実施形態では、１つの認証コードは、１つの独特な、１度限りの同定コード、その配達業者のみの使用のために作成された、その場所で、およびその時間に、から成り得る。実施形態では、１つの認証コードは、その場所で、その時間に、およびその特定な物質のためにその配達業者のみの使用のために作成された、１つの独特な、１度限りの同定コードから成る。
【０２４３】
図２は、１つの認証コードを、前記正確な時間（所定時間内に）前記正確な移転場所で、前記配達業者の到着と同時のみ、適切な配達業者同定をもつ、１つの配達業者に提供する、１つの方法の１つの実施例の１つの略図を提供する。実施形態では、１つの配達業者は、前記配達業者が、適切な時間に、１つの移転場所に到着しているとき、および前記管理者から、識別する情報を受領しているときのみ、１つの認証コードを受領する。
【０２４４】
実施形態では、１つの管理者は、前期配達業者が１つの認証コードを提供する場合のみ、物質を１つの配達業者に移転し得る。実施形態では、１つの管理者は、前期配達業者が１つの認証コードおよび識別する情報を提供する場合のみ、物質を１つの配達業者に移転し得る。例えば、１つの管理者は、１つの配達業者に物質を移転する前に、１つの記録と比較するために、または１つのネットワークを経て送信するために、または他の確認のために、前期配達業者の１つの映像を取得し得る、または１つの写真を撮り得る。または、生体測定情報、または他の識別する情報を前期配達業者から取得し得る。
【０２４５】
図３Ａは、１つの有効な認証コードをもつ１つの配達業者への物質の移転を認証することを含む、１つの管理者から１つの配達業者への、１つの物質の移転を認証する１つの方法の１つの実施例の１つの略図を提供する。それは、前記配達業者が、正確な移転場所で正確な時間に（例えば、所定時間内）のみ存在し、前記認証コードを提供される場所である。
【０２４６】
図３Ｂは、前記配達業者も１つの有効な認証コードをもつ場合、前記配達業者への物質の移転を認証することを含む、１つの管理者から、適切な道程をもつ１つの配達業者への、１つの物質の移転を認証する１つの方法の１つの実施例の１つの略図を提供する。それは、前記配達業者が、正確な移転場所で正確な時間に（例えば、所定時間内）のみ存在し、前記認証コードを提供される場所である。
【０２４７】
実施形態では、１つの認証コードは確認されなければならない。
【０２４８】
１つの認証コードの確認は、１つの配達業者によって所有されるまたは、提示される１つの認証コードの前記確認を許可する１つのコード特質の使用から成り得る；１つの管理者によって所有されるまたは、取得される１つの認証コードとの比較から成り得る；１つの配達業者への前記認証コードの前記配達の監視から成り得る；および、ほかの確認方法を含み得る。Ｖｅｒｉｆｉｃａｔｉｏｎ  ｏｆ  ａｎ  ａｕｔｈｏｒｉｚａｔｉｏｎ  ｃｏｄｅ  ｍａｙ  ｉｎｃｌｕｄｅ  ｖｅｒｉｆｉｃａｔｉｏｎ  ｔｈａｔ  ｔｈｅ  ｃｏｕｒｉｅｒ  ｐｒｅｓｅｎｔｉｎｇ  ｔｈｅ  ｃｏｄｅ  ｉｓ  ｔｈｅ  ｐｒｏｐｅｒ  ｃｏｕｒｉｅｒ  ｆｏｒ  ｉｔｓ  ｕｓｅ．１つの認証コードの確認は、前記コードを提示する前記配達業者が、その使用のために前記適切な配達業者であるという確認を含み得る。実施形態では、そのような確認は、前記配達業者の写真、または生体測定同定から成り得る。
【０２４９】
実施形態では、１つの到着時間、または他の時間は、１つの時計、他のタイミング装置の使用、または１つのタイミング信号の使用によって、決定され得る。１つのタイミング信号は、一般的に入手可能な１つのタイミング信号を含み得る。例えば、１つの携帯電話、１つのコンピューター接続、または他の時計またはタイミング装置が提供する時間。および、１人のオペレーターまたはネットワークが提供する１つのタイミング信号を含み得る。
【０２５０】
実施形態では、１つの配達業者の前記場所は、１つの場所での１つの管理者によって決定され得る。実施形態では、１つの配達業者の前記場所は、自動または遠隔方法で決定され得る。１つの配達業者の前記場所といった、１つの場所を決定するための自動および／または遠隔方法は、１つの携帯電話信号の使用；１つのＷｉＦｉ信号；１つのインターネットマッピングサービスまたは携帯電話アプリケーション；前記衛星測位システム（ＧＰＳ）および関連のハードウエアおよびソフトウエア；他の遠隔または自動方法；またはこれらの組合せを含み得る。
【０２５１】
実施形態では、１つの認証コードの確認は、１つのプロセッサー上で実行されるソフトウエアと通信リンクを経由して、離れて実行され得る。実施形態では、前記通信リンクは１つの携帯電話から成る。前記認証コードの全て（および、もし必要であれば）の確認と確証と同時に、前記移転場所から前記配達業者への前記物質の移転の権限が提供される。そのような権限は、１つのプロセッサー上で実行されるソフトウエアによる、必要とされる前記証明の全ての確認と確証に従って、提供され得る。．そのような権限は、前記通信リンク経由で提供され得る。
【０２５２】
１つの管理者から１つの配達業者への物質の移転方法は、本明細書で開示される。実施形態では、１つの管理者から１つの配達業者への物質の移転方法は、１つの管理者が物質を移転するために、１つの配達業者に、１つの認証コードをもつよう要求することから成る。および、１つの管理者が物質を移転するために、１つの配達業者に、１つの認証コード、および前記認証コードの確認をもつよう要求することから成る。１つの管理者から１つの配達業者への物質の移転方法の更なる実施形態は、前記配達業者に、前記管理者の身元または権限を確認することを要求することから成る；または、前記配達業者に、前記物質の前記識別または権限を確認することを要求することから成る。
【０２５３】
図４Ａは、１つの管理者から１つの配達業者への物質の移転方法の１つの実施零の１つの略図を提供する。それは、１つの有効な認証コードをもつ１つの配達業者に物質を移転することから成る。そこでは、前記正確な時間に（例えば、所定時間内）、前記正確な移転場所に存在する場合のみ、前記配達業者は前記認証コードを提供される。図４Ｃで図解されるように、１つの管理者、または物質、または両方に関しての同定または確認もまた、物質の前記移転のために要求され得る。図４Ｃは、１つの管理者から１つの配達業者への物質の移転方法の１つの実施例の１つの略図を提供する。それは、１つの有効な認証コードをもつ１つの配達業者に物質を移転することから成る。そこでは、１）前記正確な時間に（例えば、所定時間内）、正確な移転場所に存在する場合のみ、前記配達業者は前記認証コードを提供される。および２）そこでは、前記管理者（または物質）の前記識別、または前記管理者（例えば、前記移転を実行する）または物質（例えば、移転される、または移転に適している）の権限の確認と同時に、前記配達業者は前記物質を受領する。
【０２５４】
図４Ｂでは、１つの管理者から１つの配達業者への物質の移転方法の１つの実施例の１つの略図を提供する。それは、１つの有効な認証コードをもつ１つの配達業者への物質の移転から成る。そこでは、前記正確な時間に（例えば、所定時間内）、前記正確な移転場所に存在する場合のみ、前記配達業者は前記認証コードを提供される。および、前記認証コードの確認と同時のみ、前記物質は移転される。図４Ｄで図解されるように、１つの管理者、または物質、または両方に関しての同定または確認もまた、物質の前記移転のために要求され得る。図４Ｄは、１つの管理者から１つの配達業者への物質の移転方法の１つの実施例の１つの略図を提供する。それは、以下の条件の１つの配達業者への物質の移転から成る。１）１つの有効な認証コードをもつ、２）前記認証コードの確認と同時に（そこでは、前記配達業者は、前記正確な時間に（例えば、所定時間内）、前記正確な移転場所で存在する場合のみ、前記認証コードを提供される）、および３）そこでは、前記配達業者は、前記管理者（または物質）の前記識別または前記管理者（例えば、物質を移転する）または物質（例えば、移転される、または移転に適している）の権限の確認と同時に前記物質を受領する。
【０２５５】
１つの配達業者が、輸送される前記物質のピックアップのために１つの移転場所に到着すると同時に、前記配達業者の身元は確認され得る。例えば、同定証明（運転免許証、または他のそのような同定カードといった、前記所有者の写真を含む、同定カードを含み得る）の提示によって。または１つの識別コードまたはパスワードの送信によって。実施形態では、前記配達業者の身元の確認は、例えば、同定書類の提示；生体測定方法を使用した識別確認；写真、またはほかの映像方法による識別確認；または他の方法から成り得る。例えば、前記配達業者の身元の確認は、１つの携帯電話で、１つの写真または他の映像を取得すること、１つの第三者または１つの自動システムへの前記写真または映像の送信、および前記配達業者の身元の確認から成り得る。そのような写真は前記処理の１つの記録として、保持され得る。実子形態では、前記管理者の身元は、確証、または確認され得る。実施形態では、前記物質の前記識別または適正は、確証、または確認され得る。
【０２５６】
１つの管理者から１つの配達業者への物質の移転の更なる方法は、本明細書で開示される。実施形態では、１つの管理者から１つの配達業者への物質の移転方法は、１つの管理者が物質を移転するために、１つの配達業者に１つの認証コードをもつよう、または適切な同定をもつよう要求することから成り得る。および、１つの管理者が物質をを移転するために、１つの配達業者に、１つの認証コード、適切な同定をもつよう、および、前記認証コードの確認を要求するよう、要求することから成り得る。１つの管理者から１つの配達業者への物質の移転方法の更なる実施形態は、前記配達業者に、前記管理者の身元または権限を確認するよう；または、前記配達業者に前記物質の前記識別または権限を確認するよう；または両方要求することから成る。
【０２５７】
図５Ａは、１つの管理者から、適切な同定をもつ、１つの配達業者への物質の移転方法の１つの実施例の１つの略図を提供する。それは、前記配達業者もまた１つの有効な認証コードをもつ場合、前記配達業者への物質の移転から成る。そこでは、前記正確な時間に（例えば、所定時間内）、前記正確な移転場所に存在する場合のみ、前記認証コードは前記配達業者に提供される。
【０２５８】
図５Ｂは、１つの管理者から、適切な同定をもつ、１つの配達業者への物質の移転方法の１つの実施例の１つの略図を提供する。それは、前記配達業者もまた１つの有効な認証コードをもつ場合、前記配達業者への物質の移転から成る。そこでは、前記正確な時間に（例えば、所定時間内）、前記正確な移転場所に存在する、および、前記認証コードの確認と同時に、前記物質が移転される場合のみ、前記認証コードは前記配達業者に提供される。
【０２５９】
実施形態では、１つの配達業者は、１つの管理者からの物質を、前期管理者が識別する情報を提供する場合のみ、受領し得る。そのような識別する情報は、前記管理者、前記物質、またはその両方に付属し得る。例えば、１つの配達業者は前記管理者の１つの写真を撮り得る、または１つの映像を取得し得る。または、前記管理者から生体測定情報または、他の識別する情報を取得し得る。それは、１つの配達業者へっ物質を移転する前の、１つの記録との比較のため、または１つのネットワークを経ての送信のため、または他の確認のためである。
【０２６０】
このように、識別する情報は、例えば、１つの配達業者によって前記管理者に；１つの配達業者によって１つのネットワークに；１つの管理者によって１つの配達業者に；１つの管理者によって１つのネットワークに；または１つの配達業者によって、または１つの管理者によって１つのネットワークおよび１つの個人（例えば、１つの配達業者または１つの管理者）に提供され得る。
【０２６１】
つの配達業者は、そのような１つの認証コードを１つの管理者、前記移転場所でに提示し得る。実施形態では、１つの認証コードに加えて、１つの管理者は、１つの配達業者から１つの写真、生体測定映像、または他の識別する情報を、１つの認証コードの要求に加えて、要求し得る。実施形態では、１つの配達業者は、１つの管理者からの１つの写真、生体測定映像、または他の識別する情報を要求し得る。そのような写真、生体測定情報、または他の識別する情報は、例えば、携帯電話、インターネット、または他の方法によって、または経由して提供され得る。
【０２６２】
１つの管理者は、前記配達業者による、前記管理者への前記認証コードの提示と同時のみ、前記物質を１つの配達業者に移転し得る。実施形態では、前記配達業者の前記管理者への、前記認証コードの提示に加え、前記配達業者による、前記管理者への同定情報の提示と同時のみ１つの管理者は、前記物質を１つの配達業者に移転し得る。１つの配達業者は、前記配達業者による、前記管理者への前記認証コードの提示と同時に、１つの管理者からの前記物質の移転を受領し得る。実施形態では、前記管理者による、前記配達業者への同定情報の提示と同時のみ、１つの配達業者は、１つの管理者からの前記物質の移転を受領し得る（前記配達業者による、前記管理者への前記認証コードの提示の後に）。
【０２６３】
したがって、１つの管理者から１つの配達業者への物質の移転方法の更なる実施形態タイは、前記配達業者に、前記管理者の身元または権限を確認するよう；または、前記配達業者に前記物質の前記識別または権限を確認するよう；または両方を要求することから成る。
【０２６４】
図５Ｃは、１つの管理者から、適切な同定をもつ１つの配達業者への物質の移転方法の１つの実施例の１つの略図を提供する。それは、以下から成る。１）前記配達業者が１つの有効な認証コードをもつ場合、適切な同定をもつ前期配達業者へ物質を移転すること。そこでは、前記正確な時間に（例えば、所定時間内）、前記正確な移転場所に存在する場合のみ、前記配達業者に前記認証コードが提供される。および、２）前記管理者（または物質）の前記識別、または前記管理者（例えば、移転する）または物質（例えば、移転される、または移転に適している）の権限の確認と同時に、前記配達業者が前記物質を受領する場所。
【０２６５】
図５Ｄは、１つの管理者から適切な同定をもつ１つの配達業者への物質の移転方法の１つの実施例の１つの略図を提供する。それは以下から成る。１）前記配達業者もまた１つの有効な認証コードを持つ場合、適切な同定をもつ前記配達業者への物質の移転（そこでは、前記正確な時間に（例えば、所定時間内）、前記正確な移転場所に存在する場合のみ、前記配達業者に前記認証コードが提供される）。２）前記認証コードの確認と同時、および３）前記管理者（または物質）の前記識別、または前記管理者（例えば、前記移転する）または物質（例えば、移転される、または移転に適している）の権限の確認と同時に前記配達業者が前記物質を受領する場所。
【０２６６】
１つの管理者から１つの配達業者への認証されていない物質の移転を防ぐ方法が本明細書で開示される。実施形態では、１つの管理者から１つの配達業者への認証されていない移転を防ぐ方法は、１つの配達業者が１つの認証コード；または、１つの管理者が物質の移転するための１つの認証コードおよび適切な同定を持たない限り、物質の移転を防ぐことから成る。実施形態では、１つの管理者から１つの配達業者への認証されていない物質の移転を防ぐ方法は、移転を防ぐ以下の条件から成る。１）１つの配達業者が１つの認証コードをもたない限り、および２）前記認証コードの確認と同時である。実施形態では、１つの管理者から１つの配達業者への認証されていない物質の移転を防ぐ方法は、移転を防ぐ以下の条件から成る。１）１つの配達業者が、１つの認証コードおよび適切な同定をもたない限り、および２）前記認証コードの確認と同時である。１つの管理者から１つの配達業者への物質の移転方法の更なる実施形態は、前記配達行業者に、前記管理者の身元または権限を核にするよう；または前記配達業者に、前記物質の前記識別または権限を確認するよう；または両方を要求することから成る。
【０２６７】
図６Ａは、１つの管理者から１つの配達業者への認証されていない物質の移転を防ぐ方法の１つの実施例の１つの略図を提供する。そこでは、前記配達業者が前記適切な時間に、前記適切な場所にいない場合、適切な同定が不足している場合、または１つの有効な認証コードが不足している場合、物質の移転は認証されない。物質の認証されていない移転の防止は、例えば、１つの管理者の、前記配達業者への前記物質の移転の拒絶を伴い得る。実施形態では、物質の認証されていない移転の防止は、１つの管理者による１つの行動を要求し得ない。例えば、そこでは、前記認証された物質の移転は、時間、場所、同定、認証コード、またはそれらのどんな組合せも、自動的に読み込む、および／または確認する、装置またはシステムの前記運転を必要とする。
【０２６８】
更なる実施形態では、１つの管理者から１つの配達業者への物質の認証されていない移転の防止方法もまた、前記配達業者が前記管理者の身元または権限の確認；または前記配達業者が前記物質の前記識別または権限の確認；または両方を要求することから成り得る。
【０２６９】
例えば、実施形態では、輸送される前記物質もまた識別するマークまたは記号を運び得る。それは、自身の信頼性または誠実さを保障する証明書を識別することを含み得る。実施形態では、輸送される前記物質は、前記物質自身に関する情報、または、自身の処置、保管、使用に関する指示を運び得る、または提供し得る。実施形態では、輸送される前記物質が生物的物質から成る場所では、輸送される前記物質は、前記物質の前記出所に関する情報；集荷された時間；自身の集荷の方法；自身の集荷の目的；自身の構成；前記物質上にされたあらゆる処置に関する情報；希釈に関する情報、適用された水溶液または試薬；および貯蔵情報を運び得る、または提供し得る。
【０２７０】
更なる実施形態では、前記移転場所の１つの管理者または他の人員は、前記配達業者に物質を移転する前に、識別する証明を１つの配達業者に提供することを要求され得る。実施形態では、１つの独特な、時間に限りある証明は、前記適切な時間にその移転場所にいる１つの配達業者が物質の移転で使用するために提示するために作成され得る、および、前記移転場所の人員（例えば、１つの管理者）に提供され得る。１つの移転場所で人員によって使用される、そのような１つの証明は、そのとき、その移転場所で使用のために作成され得る。および、別の時間、または別の場所では有効であり得ない。実施形態では、そのような１つの証明は、そのとき、その場所で、１つの特定の配達業者の使用のために作成され得る。および、別の時間、または別の場所、または別の配達業者に使用に有効であり得ない。
【０２７１】
したがって、１つの管理者の、または物質の、または両方の、同定、確認、権限、または、他の確証は、１つの管理者から１つの配達業者への物質の認証されていない移転を防ぐ更なる方法で必要とされ得る。
【０２７２】
図６Ｂは、１つの管理者から１つの配達業者への物質の認証されていない移転を防ぐ１つの方法の１つの実施例の１つの略図を提供する。そこでは、物質の移転は認証されていない。仮に１）前記配達業者が前記適切な時間に前記適切な場所にいない場合、適切な同定が不足している場合、または１つの有効な認証コードが不足し手いる場合；または仮に２）前記管理者または物質が適切な同定、権限、または他の確証を持っていない場合。物質の認証されていない移転の防止は、例えば、前記管理者からの１つの物質を１つの配達業者が受領拒否することを伴い得る。物質の認証されていない移転の防止は、例えば、１つの管理者が前記物質を前記配達業者に移転することを拒否することを伴い得る。物質の認証されている移転が、時間、場所、同定、認証コード、またはそれらの組合せを自動的に読み込み得る、および／または確認し得る、装置またはシステムの前記操作を必要とする場所では、物質の認証されていない移転は、１つの管理者による１つの行動を必要とし得ない。
【０２７３】
図７Ａ、７Ｂ、７Ｃ、および７Ｄは、１つの移転場所から１つの目的地まで１つの物質、または複数の物質を輸送する方法の実施形態の略図を提供する。図７Ａは、１つの移転場所で、１つの配達業者の到着から成る実施形態の１つの略図を提供する。それは、前記配達業者が、前記適切な時間に、適切な場所で（および随意に、さらに適切な配達業者と識別される）、１つの目的地への配達の物質のピックアップのために、前記配達業者に１つの独特な認証コードを提供する。随意に、前記管理者または物質の前記同定、権限、または他の確証もまた必要とされ得る。図７Ｂは、１つの最初の移転場所で、および、１つの次の移転場所、または複数の場所で、１つの配業者の到着から成る実施形態の１つの略図を提供する。それは、１つの目的地への配達のために、複数の移転場所から複数の物質のピックアップのために、前記配達業者が前記適切な時間に、前記適切な場所にいるとき（および、随意に、更に適切な配達業者と識別される）、個々の移転場所で、１つの独特な認証コードを前記配達業者に提供する。随意に、前記管理者または物質の前記同定、権限、または他の確証もまた、１つまたはそれ以上の前記移転場所で必要とされ得る。図７Ｃは、１つの最初の移転場所で、および、１つの移転場所で、１つの配業者の到着から成る実施形態の１つの略図を提供する。それは、複数の目的地への配達のために、その移転場所から複数の物質のピックアップのために、前記配達業者が前記適切な時間に、前記適切な場所にいるとき（および、随意に、更に適切な配達業者と識別される）、前記移転場所で、１つの独特な認証コードを前記配達業者に提供する。随意に、前記移転場所の前記管理者または物質の前記同定、権限、または他の確証もまた、必要とされ得る。図７Ｄは、１つの最初の移転場所で、および、１つの次の移転場所、または複数の場所で、１つの配業者の到着から成る実施形態の１つの略図を提供する。それは、複数の目的地への前記複数の物質の配達のために、複数の移転場所から物質のピックアップのために、前記配達業者が前記適切な時間に、前記適切な場所にいるとき（および、随意に、更に適切な配達業者と識別される）、個々の移転場所で、１つの独特な認証コードを前記配達業者に提供する。随意に、前記移転場所の前記管理者または物質の前記同定、権限、または他の確証もまた必要とされ得る。
【０２７４】
更なる実施形態では、前記配達業者または物質の前記同定、権限、または他の情報もまた、１つの目的地で、または全ての目的地で必要とされ得る。
【０２７５】
１つの移転場所から１つの目的地までの１つの物質、または複数の物質の輸送の方法は、１つの経路の提供、前記移転場所での１つの配達業者への１つの認証コードの提供、前記管理者への前記認証コードの提示、前記管理者による、前記移転場所の前記配達業者への前記物質の移転、および１つの目的地への前記物質の輸送から成り得る。示されているように、前記過程は、１つ以上の移転場所からの物質の輸送から成り得る。および、１つ以上の目的地への物質の輸送から成り得る。
【０２７６】
図７Ａは、１つの移転場所から１つの目的地まで、１つの物質または複数の物質を輸送する１つの方法の１つの略図を提供する。適切に識別された配達業者が、前記正確な時間時１つの移転場所への到着と同時に；前記移転場所で、１つの管理者による前記認証コードの確認と同時に（または、他の方法で）、１つの認証コードを提供される場所では、物質は前記配達業者に移転される、およびその目的地へ配達される。随意に、前記管理者または物質の前記同定、権限、または他の確証もまた、前記移転場所で必要とされ得る。随意に、前記配達業者、または前記物質、またはその両方の前記同定、権限、または他の確証もまた、前記目的地で必要とされ得る。
【０２７７】
図７Ｂは、複数の移転場所から１つの目的地への物質の１つの輸送方法の１つの略図を提供する。１つの適切に識別された配達業者が、個々の移転場所で、（正確な時間の）到着と同時に；個々の移転場所で、１つの管理者による、個々の認証コードの確認と同時に（または他の方法で）、１つの認証コードが提供される場所では、前記物質はそれらの目的地へ配達される。Ｏｐｔｉｏｎａｌｌｙ，  ｔｈｅ  ｉｄｅｎｔｉｆｉｃａｔｉｏｎ，
ａｕｔｈｏｒｉｚａｔｉｏｎ，  ｏｒ  ｏｔｈｅｒ  ｃｏｎｆｉｒｍａｔｉｏｎ  ｏｆ
ｔｈｅ  ｃｕｓｔｏｄｉａｎ  ｏｒ  ｍａｔｅｒｉａｌ  ｍａｙ  ａｌｓｏ  ｂｅ  ｒｅｑｕｉｒｅｄ  ａｔ  ｏｎｅ  ｏｒ  ｍｏｒｅ  ｏｆ  ｔｈｅ  ｔｒａｎｓｆｅｒ  ｌｏｃａｔｉｏｎｓ．随意に、前記管理者または物質の、前記同定、権限、または他の確証もまた、１つまたはそれ以上の前記移転場所で必要とされ得る。随意に、前記配達業者の、また前記物質の、または両方の、前記同定、権限、またが他の確証もまた、前記目的地で必要とされ得る。
【０２７８】
図７Ｃは、１つの移転場所から複数の目的地へ物質を輸送する、１つの方法の１つの略図を提供する。適切に識別された配達業者が、前記正確な時間に、１つの移転場所での到着と同時に；前記移転場所で、１つの管理者による、１つの認証コードの確認と同時に（または他の方法で）、１つの認証コードを提供される場所では、物質は前記配達業者に移転される、および前記物質は、それらの目的地へ配達される。随意に、前記管理者または物質の、前記同定、権限、または他の確証もまた、前記移転場所で必要とされ得る。随意に、前記配達業者の、または前記物質の、または両方の、前記同定、権限、または他の確証もまた、１つ、いくつかの、または全ての前記目的地で必要とされ得る。
【０２７９】
図７Ｄは、複数の移転場所から複数の目的地へ物質を輸送する１つの方法の１つの略図を提供する。１つの適切に識別された配達業者が、個々の移転場所での（正確な時間の）到着と同時に；個々の移転場所で、１つの管理者による、個々の認証コードの確認と同時に（または他の方法で）、１つの認証コードを提供される場所では、物質は前記配達業者に個々の移転場所で移転される。および前記物質はそれらの目的地の個々に配達される。随意に、前記管理者または物質の前記同定、権限、または他の確証もまた、１つまたはそれ以上の前記移転場所で、必要とされ得る。随意に、前記配達業者の、または前記物質の、または両方の、前記同定、権限、または他の確証はもまた、１つ、いくつかの、または全ての前記目的地で、必要とされ得る。
【０２８０】
１つの配達業者が１つ、またはそれ以上の移転場所を訪れることになっている経路は、提供され得る；そのような１つの経路は変更され得るので（例えば、指示の受領と同時に）、１つの異なる移転場所は訪れられる（または、複数の異なる移転場所は訪れられる）、または、元来計画されていたよりも、少ない移転場所は訪れられる、またはより多くの移転場所は訪れられる。指示は、１人のオペレーターから、１つの装置から、ソフトウエアから、１つのネットワークから、またはこれらの組合せからであり得る。
【０２８１】
図８は、１つの移転場所から１つの目的地まで１つの物質、または複数の物質を輸送するための、１つの経路を変更する方法の実施形態の１つの略図を提供する。１つの経路は、一連の到着時間に１つの配達業者が訪れる一連の移転場所を含み得る；例えば、移転場所Ａ、Ｂ、Ｃ、およびＤに訪れる１つの経路はまた、指定された到着時間ＴＡ、ＴＢ、ＴＣ、およびＴＤを含み、これらの到着時間が特定の時間、または特定の時限の場所では、前記配達業者はこれらの移転場所の個々に到着する時間が計画されている。
【０２８２】
図８Ａは、変更される１つの経路の１つの略図を提供する。前記示されている経路は、まず最初に、場所Ａから場所Ｂ、場所Ｃ、場所Ｃ、およびそれから１つ目的地（「Ｄｅｓｔ」と示される）への１つの経路である。前記経路は、場所Ｃの削除によって変更されるので、前記変更された経路は、場所Ａから場所Ｂ、場所Ｄ、およびそれから目的地Ｄｅｓｔへの前記経路となる。このように示されるように、図８Ａは、１つの変更された経路ＡＢＤ→目的地になるよう、変更された、１つの経路ＡＢＣＤ→目的地の１つの略図を提供する。この例で示される前期経路を追う１つの配達業者は、まず最初に、場所Ａ、Ｂ、Ｃ、およびＤを訪れるよう予定されていた（および、実施形態では、これらの移転場所の個々で、物質をピックアップするよう予定されていた）。その後に目的地に行くよう予定されていた；しかしながら、前記経路の変更と同時に、前記配達業者は、場所Ａ、Ｂ、およびＤのみ訪れ（例えば、これらの移転場所でのみ、物質のピックアップのため）、そのかわりに場所Ｃを省略するよう予定され、およびそれから目的地Ｄｅｓｔに行くよう予定されていた。そのような１つの変更された経路では、到着時間ＴＣは省略され、および到着時間ＴＡ、ＴＢ、およびＴＤは変更され得ない；また、変更された経路の実施形態では、到着時間ＴＡ、ＴＢ、およびＴＤの１つ、またはそれ以上の到着時間は、前記、元来計画された経路の前記到着時間と比較して、変更され得る。
【０２８３】
．図８Ｂは、変更される１つの経路の更なる略図を提供する。示されている前期経路は、まず最初に、場所Ａから場所Ｂ、場所Ｃ、場所Ｄ、およびそれから１つの目的地（「Ｄｅｓｔ」と示される）への１つの経路である。前記経路は、場所Ｅの追加によって変更されるので、前記変更された経路は、場所Ａから場所Ｂ、場所Ｃ、場所Ｄ、およびそれから場所Ｅ、およびそのときのみ前記目的地Ｄｅｓｔという、前記経路になる。このように、図８Ｂは、１つの変更された経路ＡＢＣＤＥ→目的地（移転地点Ｅが追加される）になるよう変更される、１つの経路ＡＢＣＤ→目的地の１つの略図を提供する。このように、この例で示される前記経路を追う１つの配達業者は、まず最初に、場所Ａ、Ｂ、Ｃ、およびＤを訪れるよう予定されていた（および、実施形態では、例えば、これらの移転場所の個々で物質をピックアップするために）、およびそれから、目的地Ｄｅｓｔに行くよう予定されていた；しかしながら、変更と同時に、前記配達業者は、そのかわりに、新しい場所Ｅを加えるよう予定されていて、および、目的地Ｄｅｓｔに前記物質を配達する前に、場所Ａ、Ｂ、Ｃ、Ｄ、およびＥを訪問するよう予定されていた（実施形態では、例えば、これらの移転場所の個々で、物質をピックアップするために）。そのような１つの変更された経路では、到着時間ＴＥが追加されて、および到着時間ＴＡ、ＴＢ、ＴＣ、およびＴＤの１つ、またはそれ以上が追加され得ない；または変更された経路の実施形態では、到着時間ＴＡ、ＴＢ、ＴＣ、およびＴＤの１つ、またはそれ以上が、前記元来予定されていた到着時間と比較して追加され得る。
【０２８４】
図９は、元来は場所Ａから場所Ｂ、場所Ｃ、場所Ｄ、およびそれから１つの目的地（「Ｄｅｓｒ」と示される）への１つの経路の１つの略図を提供する。このように、図９は、１つの変更された経路ＡＢ→目的地（最終移転地点Ｃ、Ｄ、およびＥは省略される）になるよう変更された、１つの経路ＡＢＣＤＥ→目的地の１つの略図を提供する。Ｔｈｕｓ，．このように、図９は、１つの移転場所から１つの目的地へ、１つの物質、または複数の物質を輸送するための１つの経路の変更のための方法の実施形態の１つの略図を提供する。そして、指示の受領と同時に、変更経路は示される。１つの配達業者は、１つの目的地へ直接運行するよう、および、前記支持の受領の後、更なる移転場所の全てを飛ばすよう、前記経路を変更する。指示は、１人のオペレーターから、１つの装置から、ソフトウエアから、１つのネットワークから、またはこれらの組合せからあり得る。
【０２８５】
物質は１つの移転場所で、１つの移転場所から１つの目的地へ輸送されるために、移転される。および、１つの目的地へ輸送される物質は、１つの遮断された、または温度管理されたコンテナ内に輸送のために置かれ得る。
【０２８６】
したがって、物質は、輸送のために１つのコンテナ内に置かれ得る；１つの輸送コンテナは１つの温度センサーから成り得る；１つの輸送コンテナは、１つの感知された温度を通信するために、１つのディプレイから成り得る；１つの輸送コンテナは、１つの感知された温度を通信するために、１つの通信リンクから成り得る；１つの輸送コンテナは、情報の受信および指示の受信のために、１つの通信リンクから成り得る。その情報および指示は、１つの感知された温度、および他の要因に関連し得る。実施形態では、１つの配達業者は、１つのコンテナ内の前記温度を考慮して、物質の前記輸送を省略するために、１つの指定された経路を変更し得る。または、１つのコンテナの１つの通信リンクを経由して通信された情報または指示を考慮して。
【０２８７】
．図１０は、物質の輸送、１つの温度センサーをもつ前記コンテナ、および、１つの感知された温度を通信する、またはディスプレイする（または両方する）よう構成された、１つの通信リンクに適した１つの輸送コンテナの１つの略図を提供する。１つの輸送コンテナは、熱的に遮断され得る、１つの冷却装置から成り得る、またはその両方。例えば、輸送コンテナは、１つの冷却装置（例えば、氷、ドライアイス、または他の冷たい物質のような受動的な冷却装置；または、１つのペルチェ装置、１つの蒸発クーラー、１つの冷蔵機械、または他の冷やす方法といった、能動的な冷やす方法）を随意に含み得る。実施形態では、１つの冷却装置は、１つの輸送コンテナの内部との機能の通信内にあり得る。前記コンテナの前記内部の少なくとも一部を冷やすのに効果的である；１つの冷却装置は、完全に前記輸送コンテナ内にあり得る。前記輸送コンテナ内に部分的にあり得る。または、前記輸送コンテナの内部、外部に、完全にまたは部分的にあり得る。および、前記輸送コンテナの内部と通信し得る（例えば、１つのベント、または開き口を経由して、または他の通信方法で）。示されているように、１つの輸送コンテナはまた、随意に１つの掛け金を持ち得る。それは１つのロックを含み得る；随意に、１つのハンドル、または複数のハンドル、または、前記輸送コンテナを操作する、および操縦する他の方法を含み得る；随意に、車輪、または、前記輸送コンテナの操作、および操縦を助ける他の方法を含み得る。実施形態では、１つの輸送コンテナは、車輪、ローラー、または他のそのような要素が不足し得る。１つの掛け金、１つのロック、１つのハンドル、１つの車輪、および他のそのような要素は、一般的に、１つの輸送コンテナの前記外側に、少なくとも部分的に配置される。
【０２８８】
１つの遮断された、または温度管理されたコンテナは、１つの温度センサーから成り得る。１つの温度管理されたコンテナは、複数の温度センサーから成り得る。１つの温度管理されたコンテナの１つの温度センサーは、前期温度管理されたコンテナの中および／または外側の温度を感知するために、前記温度管理されたコンテナ内に配置され得る。および前記温度管理されたコンテナ上に配置され得る。
【０２８９】
実施形態では、前記輸送コンテナはさらに記憶から成り得る。例えば、１つの温度管理されたコンテナは、情報を貯蔵するのに有効な、１つの記憶方法から成り得る。実施形態では、１つの記憶方法は、磁気の記憶、不安定な記憶（例えば、「フラッシュ」記憶）、不安定でない記憶、固定式の記憶、バブル記憶、または、この分野で知られた他の記憶装置または機械から成り得る。実施形態では、１つの温度管理されたコンレナの記憶は、前記コンテナ内の温度を記録するための記憶から成り得る。実施形態では、１つの温度管理されたコンテナの記憶は、前記温度管理されたコンテナ内、およびまわりの複数の場所で感知された、温度の時間経過のための記憶から成り得る。
【０２９０】
更に、実施形態では、１つの配達業者、または１人のオペレーターは、１つの輸送コンテナの前記温度、またはその内容を監視し得る。または、その両方を監視し得る。実施形態では、１つの配達業者、または１人のオペレーターは、１つの所定の温度範囲を考慮して、１つの輸送コンテナの前記温度、またはその内容を監視し得る。または、両方を監視し得る。実施形態では、１つの配達業者、または１人のオペレーターは、１つの輸送コンテナ内の前記温度の管理をし得る。および、前記輸送コンテナ内の物質の前記温度の管理をし得る。例えば、１つの物質の輸送は、そのような物質が、所定の、または最適な温度範囲内の温度で輸送されるとき、最も有効であり得る。
【０２９１】
１つの温度管理されたコンテナは、１つの通信リンクから成り得る。例えば、１つのディスプレイ、１つのブルートゥース、１つのユニバーサルシリアルバス（ＵＳＢ）接続、１つのファイヤーワイア接続、１つのイーサーネット接続、１つの携帯電話リンク、１つのＷｉＦｉ接続、または、情報を他の装置、１つの配達業者、１つの管理者、または前記クラウドに提供するのに有効な、他のどんな通信リンクからでも成り得る。
【０２９２】
実施形態では、１つのディスプレイ、または通信リンクは、１つの配達業者、または１人のオペレーターによって監視され得るので、コンテナ温度は、１つの配達業者、または１人のオペレーターによって監視され得る。および温度は、前記配達業者またはオペレーターによって書き留められ得る。１つの配達業者は、一般的に、１つの輸送コンテナに、または近くに設置される；１人のオペレーターは、１人のえんっかくオペレーターであり得る（例えば、前記輸送コンテナの場所とは異なる１つの場所に位置する、１人のオペレーター）。例えば、輸送された物質は、温度に敏感であり得る。このように、実施形態では、１つの配達業者、または１人のオペレーターは、前記温度が、１つの要求レベル以上、または１つの要求範囲外であるかどうか、またはそのときを検知するために、１つの輸送コンテナ内の前記温度を監視し得る。
【０２９３】
実施形態では、仮に、前記輸送コンテナ内の前記温度、または前記輸送コンテナ内の物質の温度が、前記要求範囲外と分かると（例えば、高すぎる）、１つの警告、またはアラームが発生し得る。実施形態では、前記輸送コンテナ内の前記温度が、あまりに長い時間（例えば、最小時間より長く）前記要求範囲外（例えば、高すぎる）と分かると、１つの警告、またはアラームが発生し得る。実施形態では、１つの配達業者、または１人のオペレーターは、そのような１つの警告、またはアラームを検知するために、１つの輸送コンテナを監視し得る。それは、１つの輸送コンテナディスプレイ、または通信リンクを監視することを含む。実施形態では、前記温度を１つの要求範囲内に戻す是正処置は、そのような１つの警告またはアラームの検知と同時に、１つの配達業者、または１人のオペレーターによって取られ得る、または命じられ得る。実施形態では、１つの配達業者、または１人のオペレーターは、１つの輸送コンテナを管理し得る。および、前記配達業者、またはオペレーターは是正処置を取り得る。実施形態では、１つの配達業者、または１人のオペレーターは、１つの輸送コンテナの遠隔管理管理をし得る。および、前記配達業者、またはオペレーターは、１つの遠隔場所から是正処置を取り得る。実施形態では、１つの配達業者、または１人のオペレーターは、他に、是正処置を取るよう指示し得る。実施形態では、是正処置の遠隔管理または他への指示は、１つの通信リンクの使用から成り得る。
【０２９４】
図１１Ａは、物質の前記輸送の方法の実施形態の１つの略図を提供する。そこでは物質は、１つの輸送コンテナ内に置かれ（例えば、輸送のために）、前記輸送コンテナは１つの温度センサーをもち；温度は感知され（例えば、前記コンテナ内の１つの温度は、前記温度センサーによって感知される）；および、前記感知された温度は通信される、または表示される、または両方。例えば、１つの通信リンクまたはディスプレイは、前記感知された温度が１つのアラーム限度を超えた場合、１つの警告を送る、または表示するよう構成され得る。
【０２９５】
図１１Ｂは、物質の前記輸送の方法の実施形態の１つの略図を提供する。そこでは物質は、１つの輸送コンテナ内に置かれ、前記輸送コンテナは１つの温度センサーをもち；前記物質は輸送され（例えば、ある移転場所から、少なくとも部分的に、他の輸送場所、または目的地へというように、１つの経路に沿って少なくとも部分的に）；１つの温度は感知される（例えば、前記コンテナ内の１つの温度は、前記温度センサーによって感知される）；および、前記感知された温度は、通信される、または表示される、または両方。例えば、１つの通信リンクまたはディスプレイは、仮に前記感知された温度が１つのアラーム限度を超える場合、１つの警告を送る、または表示するよう構成され得る。
【０２９６】
図１２Ａは、１つの経路に沿って、物質を１つの目的地へ輸送する方法の実施形態の１つの略図を提供する。そこでは物質は、輸送のために１つの輸送コンテナ内に置かれ、前記輸送コンテナは１つの温度センサーをもち；１つの温度は感知される（例えば、前記コンテナ内の１つの温度は、前記温度センサーに感知される）；前記感知された温度は、通信される、または表示される、または両方；および、前記経路は変更される。例えば、１つの経路は、仮に前記感知された温度が１つのアラーム限度を超える場合は変更され得る；例えば、１つの通信リンクまたはディスプレイによって通信される１つの警告に応じて。
【０２９７】
図１２Ｂは、１つの経路に沿って、物質を１つの目的地に輸送する方法の実施形態の１つの略図を提供する。そこでは物質は、輸送のために１つの輸送コンテナ内に置かれ、前記輸送コンテナは１つの温度センサーをもち；前記物質は輸送される（例えば、ある移転場所から、少なくとも部分的に、他の輸送場所、または目的地へというように、１つの経路に沿って少なくとも部分的に）；１つの温度は感知される（例えば、前記コンテナ内の１つの温度は、前記温度センサーに感知される）；前記感知された温度は、通信される、または表示される、または両方；および、前記経路は変更される。例えば、１つの経路は、仮に前記感知された温度が、１つのアラーム限度を超える場合は変更され得る；例えば、１つの通信リンクまたはディスプレイによって通信される１つの警告に応じて。
【０２９８】
物質は、１つの目的地への輸送の後、１つの貯蔵コンテナに置かれ得る。１つの貯蔵コンテナは、熱的に遮断され得る。または１つの冷却装置を持ち得る。または両方；例えば、１つの温度管理されたコンテナは、１つの冷蔵庫であり得る。物質の貯蔵に適した、温度管理された貯蔵コンテナの例は、前記コンテナ内の前記環境を感知するよう構成された１つのセンサー、および、前記コンテナ内の前記環境に関連する情報を通信するための１つの方法をもつコンテナを含む；実施形態では、前記コンテナは、１つの光センサー、および前記コンテナ内の１つの照度を通信する１つ方法をもつ。示されるように、このような温度管理された貯蔵コンテナの実施形態は、記憶を持ち得る。例えば、前期温度管理された貯蔵コンテナの１つのドアがあいている時、時間、および時限を記録するよう構成された記憶。
【０２９９】
１つの温度管理されたコンテナは、物質がそれを通して前記コンテナ内に置かれ得る、および物質がそれを通して前記コンテナから取り出され得る、１つの入り口から成る；実施形態では、１つの入り口は１つのドアであり得る。１つの温度管理されたコンテナは、１つの光センサーから成り得る；実施形態では、１つの光センサーは、１つの入り口が開いているかどうか、およびそのときを感知するよう、１つの温度管理されたコンテナ内に配置され得る。１つの温度管理されたコンテナは、１つの温度センサーから成り得る。１つの温度管理されたコンテナは、複数の温度センサーから成り得る。１つの温度管理されたコンテナの１つの温度センサーは、前記温度管理されたコンテナ内および／または外側の温度を感知するために、前記温度管理されたコンテナ内に配置され得る。および、前記温度管理されたコンテナ上に配置され得る。１つの温度管理されたコンテナは、情報を貯蔵するのに有効な、１つの記憶方法から成り得る。実施形態では、１つの記憶方法は、揮発性の記憶（例えば、「フラッシュ」記憶）、非揮発性の記憶、磁気記憶、固体式の記憶、または、この分野で知られる、他の記憶装置または機械からなり得る、電子の記憶から成り得る。実施形態では、１つの温度管理されたコンテナの記憶は、１つの入り口が開いていた時、記録するための記憶から成り得る。および、前記温度管理されたコンテナ内で感知された温度の時間経過のための記憶から成り得る。実施形態では、１つの管理された温度のコンテナの記憶は、前記温度管理されたコンテナ内、およびまわりの複数の場所で感知された、温度の時間経過のための記憶から成り得る。
【０３００】
図１３は、前記コンテナ内で光を検知するよう、および、前記コンテナが適切に閉じているか、またはいないかを監視するよう構成された、１つの光センサーをもつ、１つの貯蔵コンテナの１つの例を提供するそのような１つの貯蔵コンテナはまた、前記コンテナ内の１つの温度を感知するよう構成された、１つの温度センサー；１つの通信リンクまたはディスプレイ、例えば、前記コンテナ内の１つの照度を通信するためのもの、を持ち得る；および記憶、例えば、内側の照度を記録するよう構成された記憶（例えば、前記温度管理された貯蔵コンテナの１つのドアが開いていた時、時間および時限を指示する高い照度を記録するため）を持ち得る。１つの貯蔵コンテナは、熱的に遮断され得る。または１つの冷却装置を持ち得る。または両方。例えば、１つの貯蔵コンテナは、随意に、１つの冷却装置（例えば、氷、ドライアイス、または他の冷たい物質のような、１つの受動的な冷却装置；１つのペルチェ装置、１つの蒸気クーラー、１つの冷蔵機械、または他の冷却方法のような、１つの能動的な冷却方法）を含み得る。実施形態では、１つの冷却装置は、前記コンテナの前記内側を少なくとも部分的に冷却するのに有効な、１つの貯蔵コンテナの前記内側との機能的通信内にあり得る；１つの冷却装置は、前記貯蔵コンテナ内に完全にあり得る。前記貯蔵コンテナ内に部分的にあり得る。または前記貯蔵コンテナの内側、外側に部分的に、または完全にあり得る。および前記貯蔵コンテナの前記内側と通信する（例えば、１つのベント、または装置、または他の通信方法を経由して）。
【０３０１】
示されるように、１つの貯蔵コンテナはまた、随意に、１つのロックを含む１つの掛け金を持ち得る；随意に、１つのハンドル、複数のハンドル、または、前記貯蔵コンテナを操作する、および操縦するための他の方法を含み得る；随意に、車輪、または、前記貯蔵コンテナを操作する、および操縦するのを助ける他の方法を含み得る。実施形態では、１つの貯蔵コンテナは、１つの延長された時限のために、１つの場所で残るよう構成され得る。および、車輪、またはローラー、または他のそのような要素が不足し得る。１つの掛け金、１つのロック、１つのハンドル、１つの車輪、および他のそのような要素は、一般的に、１つの貯蔵コンテナの前記外側上に、少なくとも部分的に配置される。
【０３０２】
１つの温度管理されたコンテナは、前記コンテナ内に物質が置かれ得る、および、前記コンテナからそれを通して物質が取り除かれ得る、１つの格納装置および１つの入り口から成り得る；実施形態では、１つの入り口は１つのドア、ハッチ、または他の装置で成り得る。それは、１つの構造では、覆い得る、および、別の構造では、前記コンテナの前記内側への接近を提供する。１つの入り口は、閉じている時は、前記格納装置を密封するよう構成され得る；密封は水の密封から成り得る、または空気の密封から成り得る。実施形態では、密封は光の密封から成り得る。
【０３０３】
１つの遮断された、または温度管理されたコンテナは、１つの温度センサーから成り得る。１つの温度管理されたコンテナは、複数の温度センサーから成り得る。１つの温度管理されたコンテナの１つの温度センサーは、前記管理されたコンテナ内および／または外側の温度を感知するために、前記温度管理されたコンテナ内に配置され得る。および前記温度管理されたコンテナ上に配置され得る。１つの温度管理されたコンテナは、１つの入り口が開いているかどうか、およびそのときを感知するのに有効な、１つの光センサーから成り得る。
【０３０４】
実施形態では、前記貯蔵コンテナはさらに記憶から成る。例えば、１つの温度管理されたコンテナは、情報を貯蔵するのに有効な、１つの記憶方法から成り得る。実施形態では、１つの記憶方法は、磁気記憶、揮発性の記憶（例えば、「フラッシュ」記憶）、非揮発性記憶、固定性記憶、バブルメモリー、または、この分野で知られる他の記憶装置または機械から成り得る。実施形態では、１つの温度管理されたコンテナの記憶は、前記温度管理されたコンテナ内およびまわりの複数の場所で感知される温度の時系変化の記憶から成り得る。
【０３０５】
１つの貯蔵コンテナは、１つの通信リンク、例えば、１つのディスプレイ、１つのブルートゥース、１つのユニバーサルシリアルバス（ＵＳＢ）接続、１つのファイヤワイアー接続、１つのイーサーネット接続、１つの携帯電話リンク、１つのＷｉＦｉ接続、または、情報を別の装置、１つの配達業者、１つの管理者、またはクラウドに提供するのに有効な、他のどんな通信リンクからも成り得る。実施形態では、１つの通信リンクは、１人のオペレーターによって監視され得るので、１つの感知された照度は、１人のオペレーターによって監視され得る。および、１つの感知された照度は、そのような１人のオペレーターによって書き留められ得る。１人のオペレーターは、１人の地方オペレーター（例えば、前記貯蔵コンテナと同じ場所、または近くに位置する１人のオペレーター）、または遠隔オペレーター（例えば、前記貯蔵コンテナの場所と異なる１つの場所に位置する１人のオペレーター）から成り得る。１人のオペレーターは１つの貯蔵コンテナの保管の権利を持ち得る；および、１つの貯蔵コンテナおよびその内容の保管の権利を持ち得る。実施形態では、１人のオペレーターは、１つの貯蔵コンテナを監視し得る；または１つの貯蔵コンテナの前記内容を監視し得る；またはその両方。例えば、１人のオペレーターは、１つの貯蔵コンテナの前記光センサーを監視し得る；または、前記光センサーを経由して、前記貯蔵コンテナ内の前記照度を監視し得る。１つの貯蔵コンテナ内の前記照度は、一般的に非常に低く、例えば、１つの貯蔵コンテナの前記内部は、貯蔵中は暗くあるべきである。実施形態では、１つの貯蔵コンテナ内の前記照度が上がる唯一の時は、前記入り口が開いている時である。それは一般的に、物質が前期コンテナの中に置かれるとき、または取り出されるときである。１つの高い照度と１つの延長された時限は、前記貯蔵コンテナの前記入り口が開いている、または半開きであることを指し示し得た；そのような１つの状況は、前記貯蔵コンテナ内の物質を、最適でない貯蔵状態にさらすことを導き得た。例えば、貯蔵された物質は、光に敏感、または温度に敏感、またはその両方であり得る。このように、実施形態では、前記照度が１つの要求レベルを上回り得る、または１つの要求範囲外であり得るかどうか、またはそのときを検知するために、１人のオペレーターは、いつの貯蔵コンテナ内の前記照度を監視し得る。.実施形態では、仮に、前記貯蔵コンテナ
内の前記照度が、前記要求範囲外であると分かる場合（例えば、高すぎる）、１つの警告、またはアラームが発生し得る。実施形態では、仮に、前記貯蔵コンテナ内の前記照度が、長すぎる時間（例えば、１つの最小時間より長く）、前記要求範囲外である（例えば、高すぎる）と分かる場合、１つの警告、またはアラームが発生し得る。実施形態では、そのような１つの警告またはアラームを検知するために、１人のオペレーターは１つの貯蔵コンテナを監視し得る。それは、１つの貯蔵コンテナディスプレイ、または通信リンクを監視することを含む。実施形態では、そのような１つの警告またはアラームの検知と同時に、１人のオペレーターによって、是正処置が取られ得る、または命じられ得る。実施形態では、１人のオペレーターは、１つの貯蔵コンテナの管理をし得る。および前記オペレーターは、是正処置を取り得る。実施形態では、１人オペレーターは、１つの貯蔵コンテナの遠隔管理をし得る。および、前記オペレーターは、１つの遠隔場所から是正処置を取り得る。実施形態では、１人のオペレーターは、他者に是正処置を取るよう指示し得る。実施形態では、是正処置をとるよう遠隔管理、または他者への指示は、１つの通信リンクの使用から成り得る。
【０３０６】
実施形態では、１人のオペレーターは１つの貯蔵コンテナの前記温度、またはその内容を監視し得る。または両方を監視し得る。実施形態では、１人のオペレーターは、１つの要求温度の範囲を考慮して、１つの貯蔵コンテナの前記温度、またはその内容を監視し得る。または両方を監視し得る。実施形態では、１人のオペレーターは、１つの貯蔵コンテナ内の前記温度を管理し得る。および前記貯蔵コンテナ内の物質の前記温度を管理し得る。例えば、１つの物質の貯蔵は、そのような貯蔵の温度が要求された、または最適な温度範囲内であるとき、最も有効であり得る。実施形態では、仮に、前記貯蔵コンテナ内の前記温度、または前記貯蔵コンテナ内の物質の温度が、前記要求範囲外であると分かる場合、１つの警告またはアラームが発生し得る。実施形態では、そのような１つの警告またはアラームを検知するために、１人のオペレーターは１つの貯蔵コンテナを監視し得る。それは、１つの貯蔵コンテナディスプレイ、または通信リンクを監視することを含む。実施形態では、前記温度を１つの要求範囲内に戻す是正処置は、そのような１つの警告またはアラームと同時に、１人のオペレーターに取られ得る。または命じられ得る。
【０３０７】
このように、実施形態では、１つの物質の前記貯蔵のための１つの方法は、さらに、前記感知された照度が１つのアラーム限度を超えるとき、１つのアラームを通信することから成る。実施形態では、１つのアラームは、前記照度が最小限の時間で１つの限度を超えるとき、通信される。
【０３０８】
１つの貯蔵コンテナ内の物質の貯蔵方法は、１つの光センサーから成る貯蔵コンテナ内に物質を置くこと、前記コンテナ内の１つの照度を感知すること、および、前記感知された照度を通信すること、前記感知された照度を表示すること、または両方から成る。実施形態では、１つの貯蔵コンテナは、温度管理された貯蔵コンテナであり得る。
【０３０９】
図１４は、１つの光センサーをもつ、１つの温度管理された貯蔵コンテナ内の物質の貯蔵方法の実施形態の１つの略図を提供する。それは、１つの光センサーをもつ、前記温度管理された貯蔵コンテナ内に物質を置くこと、前記温度管理された貯蔵コンテナ内の１つの照度を感知すること、および前記感知された照度を通信すること、前記感知された照度を表示すること、または両方から成る。実施形態では、１つの光センサーをもつ１つの温度管理された貯蔵コンテナはまた、１つの温度センサーを持ち得る。１つの温度管理された貯蔵コンテナ内の物質の貯蔵方法の更なる実施形態は、１つの光センサーおよび１つの温度センサーをもつ、前記温度管理された貯蔵コンテナ内に物質を置くこと、前記温度管理された貯蔵コンテナ内の１つの照度を感知すること、前記温度管理された貯蔵コンテナ内の１つの温度を感知すること、および、前記感知された照度および感知された温度を通信すること；前記感知された照度を表示すること；または両方から成る。
【０３１０】
実施形態では、１つの光センサーをもつ、１つの温度管理された貯蔵コンテナは、記憶を持ち得る；実施形態では、１つの温度管理された貯蔵コンテナは、１つの温度センサーを持ち得る。実施形態では、１つの光センサーをもち、および記憶を持つ、１つの温度管理された貯蔵コンテナは、１つの温度センサーを持ち得る実施形態では、１つの物質を貯蔵する方法は、１つの光センサーをもち、および記憶をもつ、前記温度管理された貯蔵コンテナ内に、物質を置くこと、前記温度管理された貯蔵コンテナ内の１つの照度を感知すること、および、前記感知された照度を記憶の中に記録することから成る。実施形態では、この図に示されるように、そのような方法は、更に、前記記録された照度を通信すること、前記記録された照度を表示すること、またはその両方から成る。.実施形態では、１
つの物質を貯蔵する方法は、１つの光センサー、記憶をもち、および１つの温度センサーをもつ前記温度管理された貯蔵コンテナ内に、物質を置くこと、前記温度管理された貯蔵コンテナ内の１つの照度を感知すること、前記温度管理された貯蔵コンテナ内の１つの温度を感知すること、および、前記感知された照度および温度を、記憶の中に記録することから成る。実施形態では、この図に示されるように、そのような図は、更に、前記記録された照度を通信すること、前記記録された照度を表示すること、または両方から成る；および、そのような方法は、更に、前記記録された温度を通信すること、前記記録された温度を表示すること、または両方から成る。
【０３１１】
図１５は、記憶をもつ、１つの温度管理された貯蔵コンテナ内に、物質を貯蔵する方法の実施形態の１つの略図を提供する。本明細書で開示される、そのような方法は、記憶を持つ、前記温度管理された貯蔵コンテナ内に、物質を置くこと、前記温度管理された貯蔵コンテナ内の１つの照度を感知すること、および前記感知された照度を記憶の中に記録することから成る。実施形態では、この図に示されるように、そのような方法は、更に、前記記録された照度を通信すること、前記記録された照度を表示すること、または両方から成る。
【０３１２】
１つの貯蔵コンテナ内の照度、温度レベル、または両方は、監視され得る。例えば、１つの貯蔵コンテナ内の光、または温度レベルは、１人のオペレーターによって監視され得る；前記オペレーターは、１人の地方のオペレーター、または１人の遠隔オペレーターであり得る。そのような監視は、１つのディスプレイ、または１つの通信リンク、または両方の監視を含み得る。実施形態では、仮に、前記貯蔵コンテナ内の前記照度または温度、または仮に、前記貯蔵コンテナ内の物質の前記温度が、前記要求範囲外であると分かる場合、１つの警告またはアラームが発生し得る。実施形態では、仮に、前記貯蔵コンテナ内の前記照度または温度が、または仮に、前記貯蔵コンテナ内の物質の前記温度が、あまりに長い時限の間、前記要求範囲外であると分かる場合、１つの警告またはアラームが発生し得る。実施形態では、１人のオペレーターは、そのような１つの警告またはアラームを検知するために、１つの貯蔵コンテナを監視し得る。それは、１つの貯蔵コンテナディスプレイまたは通信リンクを監視することを含む。.実施形態では、前記温度を１つの要求
範囲内に戻す是正処置は、そのような１つの警告またはアラームの検知と同時に、１人のオペレーターによって取られ得る、または命じられ得る。
【０３１３】
このように、実施形態では、１つの物質の貯蔵の１つの方法は、更に、前記感知された照度が１つのアラーム限度を超えるとき、１つのアラームを通信することから成る。実施形態では、１つのアラームは、前記照度が、最小時間で１つの限度を超えるとき通信される。実施形態では、１つの物質の貯蔵の１つの方法は、更に、１つの温度レベルが、１つのアラーム限度を超えるとき、１つのアラームを通信することから成る。実施形態では、１つのアラームは、前記温度レベルが最小時間で、１つの限度を超えるとき、通信される。
【０３１４】
図１６は、前記確実な物質の輸送のための１つのシステムの１つの実施例の１つの略図を提供する。示されるように、前期確実な物質の輸送は、１つの配達業者（または複数の配達業者、示されていない）；１つまたはそれ以上の移転場所（例えば、Ｔ１、Ｔ２など、Ｔｎを含む）；１つまたはそれ以上の輸送される物質（例えば、Ｍ１、Ｍ２など、Ｍｎを含む）；１つまたはそれ以上の管理者（例えば、管理者１、管理者２など、管理者ｎを含む）；１つまたはそれ以上の、物質を受領する目的地（例えば、Ｄ１、Ｄ２など、Ｄｎを含む）；および１人のオペレーター要素（１人のオペレーター／クラウドとして示される。前記オペレーターが１人の人間の場所では、前記クラウドは、１つの配達業者の前記証明、物質の監視、１つの輸送コンテナの監視、および他の機能の実行を助けるよう構成された、ソフトウエアおよび／またはハードウエアから成る）前記クラウドは、例えば、ソフトウエア、ハードウエア、および、例えば、場所、時間、および同定情報（および、任意の状況、環境、および他の情報も同様に）を受信する、１つの通信リンクから成り得る、１つの遠隔サービスから成り得る。
【０３１５】
通信リンクは、前記図の中で、細い線によって指し示される（点線によって、前記目的地まで指し示される前記通信リンクは、任意のリンクである）。更に、前記点線で指し示されるように、１つの配達業者は、１つの輸送コンテナを任意に使用し得る（例えば、物質は、１つの移転場所から１つの目的地までの輸送のために、１つの輸送コンテナ内に置かれ得る）。更に、前記点線で指し示されるように、１つの目的地は、１つの貯蔵コンテナを任意に使用し得る（例えば、物質は、１つの目的地で、１つの貯蔵コンテナ内に置かれ得る）。
【０３１６】
図１６で示される１つのシステムは、前記確実な物質の輸送に有益である。例えば、１つまたはそれ以上の移転場所から、１つまたはそれ以上の目的地へ、前記正確な移転場所で物質が認証された配達業者にのみ提供されるというような方法で、物質を輸送するために。および、このように、前記輸送された物質の前記完全性および信頼性を保証するために。１つの配達業者は、ある移転場所（例えば、場所Ｔ１）に１つの物質（例えば、場所Ｔ１の物質Ｍ１）のピックアップのために訪れ得る。１つの管理者（管理者１）は、移転場所１に存在し得る。および、物質Ｍ１を管理する権利を持ち得る。本明細書で開示されるように、１つの適切な配達業者が前記正確な時間に、前記正確な場所に存在し、および、前記配達業者がその移転場所にいるときのみ発行される、１つの独特な、１度限り使用可能な認証コードを持つときのみ、物質は１つの配達業者に移転される。前記図で更に指し示されるように、追加の移転場所（例えば、Ｔｎとよばれる前記移転場所によって一般的に指し示される、移転場所Ｔ２など）、追加の物質（例えば、Ｍｎとよばれる前期物質によって一般的に指し示される、物質Ｍ２など）、および、追加の管理者（例えば、移転場所Ｔｎで管理者によって一般的に指し示される、移転場所Ｔ２の管理者２など）。示されるように、１つの配達業者は、１つの輸送コンテナを持ち得る、運び得る、または使用し得る。例えば、１つの輸送場所から１つの目的地まで物質を輸送するために。示されるように、１つの目的地は、１つの貯蔵コンテナを使用し得る。例えば、１つの目的地に配達された物質を貯蔵するために。
【０３１７】
図１７は、本明細書で開示されるように、１つの輸送コンテナから成る１つのシステムの１つの略図を提供する。実施形態では、１つの輸送コンテナは、１つの温度センサー、１つの冷却装置、および、前記輸送コンテナ内に少なくとも部分的に配置され得る、または、前記輸送コンテナの前記内部と通信し得る、他の要素を含み得る。１つの掛け金、１つのロック、１つのハンドル、１つの車輪、および他のそのような要素は、１つの輸送コンテナの外側上に、少なくとも部分的に配置され得る。１つの輸送コンテナから成る１つのシステムは、１つの温度センサーおよび、１つの通信リンク（および随意に１つのディスプレイ）をもつ１つの輸送コンテナを含む；および、１つの操作上の要素（１つの配達業者、および／または１人のオペレーター／クラウドとして示される。そこでは、前記配達業者は１つの輸送コンテナを使用し得る；そこでは、１人のオペレーターは１人の人間であり得る；および前記クラウドは、１つの配達業者の前記認証、物質の監視、１つの輸送コンテナの監視、および他の機能の実行を助けるよう構成されている、ソフトウエア、および／またはハードウエアから成り得る）。.１つの通信リンクは、１つの感知された
温度を通信する、または表示する（または両方）するよう構成され得る。
【０３１８】
図１８は、本明細書で開示されるように、１つの貯蔵コンテナから成る１つのシステムの１つの略図を提供する。.実施形態では、１つの貯蔵コンテナは１つの光センサー、１
つの温度センサー、１つの冷却装置、および、前記貯蔵コンテナ内に、少なくとも部分的に配置され得る、または前記貯蔵コンテナの内部に通信し得る、他の要素を含み得る。実施形態では、１つの掛け金、１つのロック、１つのハンドル、１つの車輪、および、他のそのような要素は、１つの貯蔵コンテナの外側上に、少なくとも部分的に配置され得る。１つの貯蔵コンテナから成る１つのシステムは、１つの光センサー（および、随意に１つの温度センサー）、および１つの通信リンク（それは、１つのディスプレイを含み得る、および１つの無線リンクを含み得る、または他の通信リンク）を持つ、１つの貯蔵コンテナを含む；および、１つの操作上の要素（１人のオペレーター／クラウドとして示される、そこでは、前記オペレーターは１人の人間であり得る、前記クラウドは、１つの配達業者の前記認証、物質の監視、１つの輸送コンテナの監視、および他の機能の実行を助けるよう構成されている、ソフトウエア、および／またはハードウエアから成り得る）１つの通信リンクは、１つの感知された温度を通信する、または表示する（または両方）するよう構成され得る。
【０３１９】
１つの配達業者の前記識別を確認する、および、その配達業者の物質のピックアップおよび輸送の権限を確認する方法の例は、電子的、視覚的、聴覚的、化学的、生化学的、および他の確認方法を含む。１つの管理者の前記識別を確認する、および、その管理者が１つの配達業者にの物質を輸送する権限を確認する方法の例は、電子的、視覚的、聴覚的、化学的、生化学的、および他の確認方法を含む。同様の方法は、輸送される物質の前記識別の確認に使用され得る。例えば、電子的、視覚的、聴覚的、化学的、生化学的、または、１つの配達業者、または１つの管理者の前記識別の監視、またはテストから取得する、他の情報は、１つの確実なデータベース（例えば、配達業者に関する情報の識別を含む、１つの確実なデータベース、特に、１つの特定の時間に、１つの場所にいるよう指定されている、特定の配達業者に関する情報の識別を含む；または、例えば、管理者に関する情報の識別を含む、１つの確実なデータベース。特に、１つの場所にいるよう、または１つの物質または複数の物質を管理する権利をもつよう指定されている、特定の管理者に関する情報の識別を含む）の情報を比較され得る。そのような電子的、視覚的、聴覚的、化学的、生化学的、または他の情報の１つまたはそれ以上は、顔の承認；声の承認；動作の承認（例えば、個人の歩き方または他の動作の認証のビデオ分析）；識別記号の承認（例えば、ほくろ、耳の形、目の形、目の離れ方、刺青、または他の個人の特徴、またはそれらの組合せといった、身体的特徴の映像分析）；手の認証（例えば、掌紋、指の特徴、または他の手の特徴、または特徴の組合せから）；指紋の認証；網膜の認証（例えば、網膜スキャンによる）；ＤＮＡまたは他の識別する生物学的な特徴の認証（例えば、血液の液滴、頬の拭い液、唾液、髪、皮膚、または他のサンプルから）；例えば、呼吸分析というような分析による承認；受動的または、刺激に提示に付随して起こるかに関わらず、神経学的、または他の電子生理的な分析（例えば、脳波計（ＥＥＧ）、心電計（ＥＫＧ）、網膜電計（ＥＲＧ）、筋電計（ＥＭＧ）、または他の分析、およびそれらの組合せ）、および、それらの組合せ；または、１つの物体（例えば、１つの配達業者、または１つの管理者、または両方）を承認する、および識別するのに有益な、承認または分析の他の方法を適用し得る。
【０３２０】
１つの配達業者、または１つの管理者といった１つの物体の、そのような承認および同定を助ける、または達成するのに使用され得る、装置、およびシステムは、以下を含む。カメラ、および他の視覚的およびビデオの機器；指紋スキャナー；マイクロフォン；呼気分析計；電子チップまたは装置（例えば、ＲＦＩＤまたは、第三者によって生産され得る、提供され得る、または許可され得る、他の装置、および、はめ込まれ得る、または装着可能であり得る（例えば、皮膚に付けられる、または皮膚の下に挿入される、またはジュエリーまたは服として着られる；例えば、そのまま本明細書の参照によって取り入れられる、米国特許７，２９１，４９７条および、米国特許８，１０１，４０２条を参照）；溶解性、または非溶解性ピル（例えば、それは１つの場所に１つの配達業者が到着する前に、１つの配達業者、または管理者によって取られ得る、および、１つの移転場所または目的地で検知され得る；溶解性ピルは一般的にもとに戻らないが、非溶解性ピルは摂取後、もとに戻り得る；例えば、そのまま本明細書の参照によって取り入れられる、米国特許８，１０１，４０２条を参照）；装着可能な電子眼鏡；携帯または、携帯可能な装置（例えば、更新されたコードまたは暗号情報を受信および表示し得るトークン）；正常使用のためにコード、または他の特別な権限または入力を必要とする、携帯電話アプリケーション；識別カード、識別する指輪、腕輪、および、識別を確認しなければならない、１つの配達業者、管理者、または他の人物の前記承認および同定のために有益な他の装置および要素。そのような装置、および要素は隔離され得る、および、他の装置または要素の使用できる独立したものであり得る；または、電話、またはコンピューター、または車、または他の装置、機械、または器具といった、１つの多機能装置の一部として合体し得る；または、電話、またはコンピューター、または車、または他の装置、機械、または器具といった１つの多機能装置と動くように構成され得る；またはそれらの組合せ。
【０３２１】
１つの配達業者、１つの管理者、輸送される物質、およびこれらの組合せを識別するために使用されるアプリケーションは、携帯電話、タブレット、ラップトップコンピューター、デスクトップコンピューター、および他の装置上で実行され得る。そのようなアプリケーションは、そのような装置上に存在し得る、１つのサーバーまたは複数のサーバー上、またはそれらの組合せ上に存在し得る。１つのサーバーは、１つのサンプル収集場所（ＳＣＬ）に位置し得る。および、そのサーバーは、１つの患者サービスセンター（ＰＳＣ）アプリケーション、１つの配達業者追跡システム（ＣＴＳ）アプリケーション、またはその両方と通信する、１つのサーバーであり得る。１つのサーバーは１つのＳＣＬ位置とは別の１つの場所に位置し得る。および、そのサーバーは、１つのＰＳＣアプリケーション、１つのＣＴＳアプリケーション、またはその両方と通信する、１つのサーバーであり得る。実施形態では、１つのＰＳＣアプリケーション、１つのＣＴＳアプリケーション、またはその両方は、１つ以上のサーバーと通信し得る。および１つ以上の場所と通信し得る。そのような１つのサーバー、またはそのような複数のサーバーは、「クラウドサーバー」または前記「クラウド」と呼ばれ得る。
【実施例】
【０３２２】
（実施例１）
この実施例は、臨床サンプル、例えば、血液サンプル、尿サンプル、喉の拭い液、頬の拭い液、または他の臨床サンプルなどの、サンプル採取場所（ＳＣＬ）から分析場所への輸送を論じる。例えば、実施形態では、臨床サンプルは、医師のオフィース、クリニック、病院、サンプル採取センター、小売り薬局、スーパーマーケット、または他の場所で収集され得る、例えば、央研究所（例えば、ａ  Ｃｌｉｎｉｃａｌ  Ｌａｂｏｒａｔｏｒｙ
Ｉｍｐｒｏｖｅｍｅｎｔｓ  Ａｍｅｎｄｍｅｎｔ  （ＣＬＩＡ）  臨床検査改善／改正研究所−公認研究所）へ分析の為輸送され得る。以下において、“ＣＴＳ”は配達業者追尾システムを意味する。例えば、一人の配達業者が携帯電話を使用し得る場合、その携帯電話は、ＣＴＳを動作させ得る。その場合、ＣＴＳは、ＰＯＳシステム（サンプル採取場所、またはその採取者によって使用される機器およびソフトウエアー）と会話出来る前記配達業者の携帯電話上に展開されるモバイルアプリケーションである。そのＰＯＳのある場所におけるそのシステムは、その操作者が、ＳＣＬ（例えば、医師のオフィース、クリニック、病院、小売り薬局、スーパーマーケット、またはその他のサービスを提供する場所）でサンプルを日々処理するために使用するＰＳＣ  （患者サービスセンター）  のアプリケーションも含む。
【０３２３】
物質の移動方法において取られた以下の工程の事例は、次のものを含む。注意として、実施形態では、その工程の順序は違う場合があり得ることを記す。
【０３２４】
１．携帯電話を持った一人の配達業者が、（例えば、分析の為に中央研究所へ）輸送するために、血液あるいは他の臨床サンプルが収集され得るＳＣＬ、例えば、医師のオフィース、クリニック、病院、小売り薬局、スーパーマーケット、または他のサービス場所に到着する。ＳＣＬにて対応した一人の操作者は、輸送される予定の前記物質を管理している。（例えば、技術者は管理者であり得る）
【０３２５】
２．前記配達業者はＣＴＳアプリケーションが作動する携帯電話、タブレット、ラップトップ、他のモバイルコンピューター装置、あるいは特注機器（または、情報、コード、およびシンボルを読み込んみ、表示できるその他の装置）を使用し、「受け取り開始」機能を有効にすることにより、新しい受け取りを開始する；例えば、前記配達業者が、ＣＴＳアプリケーション上の「受け取り開始」をクリックする。制限をする訳ではないが、簡略化の為、現在の実施例の今後の議論において、ＣＴＳアプリケーションは、携帯電話上で動作するものとして表現される。
【０３２６】
３．ＣＴＳアプリケーションは、ＳＣＬにてＳＣＬで使用される機器およびソフトウェア（例えば、ＰＳＣアプリケーション）によってスキャンされ得る識別コード、シンボル、または信号（例えば、ＱＲコード（登録商標）、バーコード、シンボル、パスワード、または他の識別コードまたはシンボル）を携帯電話の画面上に表示する。実施形態では、同定コード、シンボル、または信号は、ＰＳＣにて検出され得る近距離通信（ＮＦＣ）信号、無線周波数信号、または他の信号であり得る、またはそれらを含み得る。ＰＳＣアプリケーションは、携帯電話、タブレット、ラップトップ、他のモバイルコンピューター装置、デスクトップコンピューター、特注機器、または情報、コード、およびシンボルを読み込み、そして表示することが出来る他の装置上で作動し得る。用語として「スキャン」、「スキャンした」、「スキャンしている」およびその類似表現がこれらの実施例で使用されるが、それらはその意味に限定されるものではない；「スキャン」、「スキャンした」、「スキャニング」およびその類似表現は、一つの配達業者、操作者、サンプル、コンテナ、または識別されるべき他の人物、または対象物の、コード、シンボル、または信号を、検出する、読み込む、または同定するあらゆる方法を含むと理解される。制限をする訳ではないが、簡略化の為、以後、識別コード、シンボル、または信号は、ＱＲコード（登録商標）として表現する。
【０３２７】
４．前記配達者の携帯電話上で表示されたそのＱＲコード（登録商標）がスキャンされた後、ＣＴＳアプリケーションは、前記配達業者の映像を前期配達業者の名前およびＩＤ番号と共に表示し、そしてそれは、前記配達者の識別を確認するために、ＰＳＣアプリケーションにおいて表示された情報と比較される。前記配達業者は、前記操作者の識別を確認するために、ＣＴＳアプリケーション、および前記配達業者自身の所見、および比較を使用する。
【０３２８】
上述の１から４までの工程は、一人の配達業者を同定する方法の工程として規定される。物質移転の方法には、このような方法を含み得る。また、更なる工程が本明細書において開示されるような物質移動の方法に含まれ得る。例えば、物質移転の方法には以下のような工程を含み得る。。
【０３２９】
５．ＰＳＣアプリケーションは、ＣＴＳによって前記配達者のために表示されたように、ＳＣＬにおいて前記操作者為に同じ情報を表示する。従って、操作者（例えば、中央施設へ送るべき臨床サンプルを所持している一人の管理者）がＰＳＣアプリケーションを使って前記配達者の前期識別を確認すると、ＰＳＣアプリケーションは、前記配達者が前記配達者の携帯電話、またはその他の方法でスキャンすることによって確認し得る、ＱＲコード（登録商標）、バーコード、または他の識別コード、シンボル、または信号（上述にて一人の配達業者を識別することに関して論じられたように）を表示し得る。ＰＳＣアプリケーションは、前記操作者の映像表示する、および、前記操作者の識別を確認するためにＣＴＳアプリケーションにて表示される情報と比較し得る前記操作者の同定の詳細（例えば、名前、ＩＤナンバー等）を表示し得る。前記配達業者は、前記操作者の識別を確認するために、ＣＴＳアプリケーション、および前記配達業者自身の所見、および比較を使用する。
【０３３０】
６．物質の移転は、ＳＣＬの前記操作者が前記配達者の情報とＰＳＣアプリケーションによって表示された情報が一致することを確認すると、および前記配達者がＣＴＳアプリケーションを使って前記操作者の識別を確認すると、承認される。このような権限において、前記配達者は、輸送される予定の物質のコンテナのスキャニングを開始することが出来る（例えば、前期物質が何処へ輸送されるかが、コンテナに保持されている）。このようなスキャニングは、輸送のために提示された前期物質の前記識別を確認するために使用され得る；輸送される予定の全ての前期物質が実際に供給されていること（例えば、輸送される予定の前期物質が完全に積み込まれていること、および、どの物質も喪失していないこと）、または、輸送される予定の前記物質に、承認されていない、または確認されていない物質が含まれていないこと、を決定するために使用され得る。このようなスキャニングは、認識コード、マーク、シンボル、または、個別のサンプル上、または個別のサンプルコンテナ上（例えば、ガラス瓶、チューブ、または個別のサンプルを保管している他のコンテナ）の他の同定のスキャンを含み得る。このようなスキャニングは、認識コード、マーク、シンボル、または、複数の個別のサンプル、またはサンプルコンテナを保管するコンテナ（例えば、木枠箱、箱、特別なコンテナ、および他の輸送コンテナ）上の他の同定のスキャニングを含み得る。このようなスキャニングは、個別のコンテナおよびこのような個別のコンテナを一つ以上保管しているコンテナのスキャニングを含み得る。
【０３３１】
例えば、ＰＳＣは、移転場所にある物質の在庫を提供し得る、そのことは輸送に際し前記配達者に対して移転される予定の前記物質を同定する。ＳＣＬの一人の操作者は、前記物質を集合させるため、および移転する物質を前記配達者に同定するために、このような在庫を使用し得る。例えば、ＣＴＳアプリケーションは、ＳＣＬから移転される予定の、輸送を承認された物質の在庫を一人の配達者に提供でき得る、そのことは、ＳＣＬからある目的地へ輸送の際して、移動される予定の物質を前記配達者に対して同定する。一人の配達業者は、このような在庫を、一人の操作者から受け取るために物質を同定するため、および前記物質をある目的地場所へ輸送するために使用し得る。
【０３３２】
さらなる模範的な工程が、輸送目的での物質移転のための；物質輸送のための；方法の一部として、および他の方法の一部として実施され得る。例えば、このような方法は、随意に以下の工程を含み得る。
【０３３３】
７．コンテナのスキャニングは、ＳＣＬにある物質の在庫を供給する；そのようなＳＣＬにある在庫は、前記配達者によって保持され得る、前記配達者によって中央の場所へ通信され得る、前記配達者によってある目的地場所へ運ばれ得る、およびそれらの組み合わせとなる。
【０３３４】
８．コンテナのスキャニングは、移転された物質の在庫を前記配達者へ供給する；そのような前記配達者へ移転された物質の在庫は、前記配達者によって保持され得る、前記配達者によって中央の場所へ通信され得る、前記配達者によってある目的地場所へ運ばれ得る、およびそれらの組み合わせとなる。
【０３３５】
９．コンテナのスキャニングは、輸送される予定の物質の在庫を提供し、およびその輸送後、輸送された物質の在庫を提供する；そのような輸送される予定の在庫、および輸送された物質の在庫は、前記配達者によって保持され得る、前記配達者によって中央の場所へ通信され得る、前記配達者によってある輸送目的地場所へ運ばれ得る、およびそれらの組み合わせとなる。
【０３３６】
（実施例２）
この実施例は、物質の確実な輸送中に取られる工程を論ずる、および、本明細書において開示されるように、物質の確実な輸送において使用されるＣＴＳアプリケーション、またはＰＳＣアプリケーションによって表示され得る、模範的な映像の図解を提供する。
【０３３７】
図１９に示されるように、ＣＴＳアプリケーションは、ある輸送場所の住所、例えば、一つの経路の次の停車場所、および他の場所情報、およびその場所に関するコンタクト情報を示す画面を表示し得る。また、図１９は、ＣＴＳアプリケーションが、街路および他のランドマークに関するその住所の場所を示す地図を提示する画面を表示し得ることを示す。（このことは、例えば、一人の配達業者がある場所に到着するのを補助し得る、または、一人の配達業者が代替経路を、例えば、交通障害を避け得るため、または天候の状況に応じて、計画することを可能にし得る。ＣＴＳアプリケーションは、天候、交通、工事、または他の情報を考慮して更新される好適なおよび代替の経路を計算および提供し得る。このような天候、交通、工事、または他の情報は、ＣＴＳアプリケーション、またはＰＳＣアプリケーション、またはその両方によって自動的に収集されおよび考慮され得り、および一人の配達業者、または一人の操作者、またはその両者へ到着予想時間、経路、および他の情報および指示を更新し得る。
【０３３８】
図１９に示されるように、ＣＴＳアプリケーションは、一つの経路上の次の（または他の）停車場所にいる人員に関する識別およびコンタクト情報を提供する画面を表示し得る。図１９に示されるように、ＣＴＳアプリケーションは、一つの経路上のある場所に関するさらなる情報を提供し得る、またはさらなる情報へのリンクを提供し得る。ＣＴＳは、全世界位置測定システムの能力を含み得るので、前記配達者の場所は常に、または、ある所定の時間に、または必要に応じて中央の場所へ提供され得る；および一人の配達業者に前記配達者の場所を提供し得る、または前記配達者の場所および／または目的地に関する地図を提供し得る。さらに、ＣＴＳは、一つの経路に直接関係する訳ではないが、前記物質の確実な輸送に関して有益または適切と思われる情報を表示し得る（例えば、時間、電話の状態、または他の情報）。
【０３３９】
ＣＴＳは、一つの配達者および中央の場所間で通信を提供する、能動的なアプリケーションである；そのような通信は、通常暗号化される、および「クラウド」経由であり得る。例えば、ある場所に到着した一人の配達業者が、「受け取りを開始する」（図１９に示される映像の右下に表示される）を選択する。「受け取りを開始する」の選択は、サーバーへの必然的な呼び出しを誘因する（例えば、携帯電話リンク、Ｗｉ−Ｆｉ、または通常インターネットのリンクを含む他のリンク経由にて）。そのような呼び出しは通常暗号化される。そのサーバーへの呼び出しは、前記配達者が正しい場所に（例えば、ＧＰＳ、携帯電話信号による三角測量、または他の場所確認方法によって）、正しい時間におり、および、受け取りを完了することを承認されていることを確認することによって、前記配達者を認可することをサーバーに迅速に促す。仮に、前記配達業者が受け取りのために正しい場所にいない場合、または受け取りのための時間が正しくない場合（例えば、前記配達者が所定の時間の枠外に到着する）、その権限は無効となる。仮に、その権限が実行されると（例えば、前記配達者が正しい場所、ただし時間にいる）、サーバーは、その特定の受け取りに対して、独特なＱＲコード（登録商標）を生成する、およびそれを前記配達者へ送信する。
【０３４０】
図２０は、適切な場所、適切な時間に現れたとされる一人の配達業者の権限に沿って、模範的なＣＴＳアプリケーションによって表示され得る画面の映像を示す。移転場所の一人の操作者は、前記配達者の携帯電話に表示されたＱＲコード（登録商標）をスキャンする。その移転場所の操作者のＱＲコード（登録商標）のスキャニングは、ＰＳＣアプリケーションによって行われる。スキャンされたＱＲコード（登録商標）情報は、ＰＳＣアプリケーションによってサーバーへ送信される。実施形態では、スキャンされたＱＲコード（登録商標）情報が認可のために送信されたサーバーは、前記配達者を承認した同じサーバーとなり得る；またはそのＱＲコード（登録商標）を生成したサーバーと同じサーバーとなり得る；またはその両方となり得る；この通信も通常暗号化される。実施形態では、スキャンされたＱＲコード（登録商標）情報が認可のために送信されたサーバーは、前記配達者をしたサーバーと通信状態にあり得る；またはＱＲコード（登録商標）を生成したサーバーと通信状態にあり得る；またはその両方となり得る；この通信も通常暗号化される。実施形態では、スキャンされたＱＲコード（登録商標）情報が認可のために送信されたサーバーは、前記配達者を承認したサーバーとは異なるサーバーであり得る；またはＱＲコード（登録商標）を生成したサーバーと異なるサーバーであり得る；またはその両方とも異なるサーバーであり得る；この通信も通常暗号化される。ＰＳＣは、一人の操作者および一つの中央の場所の間の通信を提供する能動的なアプリケーションである；このような通信は、通常暗号化される、および、「クラウド」経由にてなされ得る。
【０３４１】
一つのＱＲコード（登録商標）は、ＣＴＳアプリケーションによって生成された後、通常ある一定の時間のみ有効である、および、ひとつの場所（そのために生成された特定の場所）のみで有効である。サーバーは、それが要求される基準に合致した場合、そのＱＲコード（登録商標）を認可する、および承認された配達業者の映像をその場所にいる前記操作者へ送信する（例えば、ＰＳＣアプリケーション経由にて）。次に、前記操作者は、ＰＳＣアプリケーションによって表示された画像を、その場所にいる前記配達者と比較する；前記操作者が、前記配達者を適切な配達業者だと確信した場合、その移動は実施され得る。
【０３４２】
図２１に示されるように、前記配達業者の映像の提示応じて、およびその場所にいる前記配達業者が適切な配達業者であるという次の同定が表示されると、ＰＳＣアプリケーションは、前記操作者に対し前記配達業者の身元が正しいと確認することを要求をするボタンを表示する；図２１にて指摘されるように、これは画面上のボタンをクリックする、およびパスワードを入れることによって行なわれ得る。このような移転場所にいる前記操作者による前記配達業者の確認に続き、ＰＳＣアプリケーションは、サーバーに前記操作者の情報を送る。次に、そのサーバーは、前記操作者の身分証明（例えば、識別、前記操作者は適切な場所と適切な時間にいるかどうか、前記操作者はその移転の承認を受けているか、および随意の他の識別情報）を比較する、および前記操作者がその基準に合致する場合、前記操作者は適切な場所におり、および前期物質を移動することを承認されていると証明する。その後、そのサーバーは、前記操作者の映像を、前記配達業者へ表示するために、ＣＴＳアプリケーションによって送信する。
【０３４３】
前記操作者の映像を示すＣＴＳ画面の映像が、図２２に示される。次に、前記配達業者は、前記操作者の映像を検証し、その画像をその場所にいる前記操作者と比較する、および、その映像および前記操作者が合致した場合、ＣＴＳ画面上の「次」をクリックすることにより、前記操作者の前記識別を確認する。このことは、前記配達業者および操作者が受け取りを実行することを許可する。
【０３４４】
図２３に示されるように、次に、ＣＴＳ画面は、受け取られる物質をスキャンするために、携帯電話にて使用され得る「スキャン」画面に移行する。例えば、前記物質は、それぞれバーコード、またはＱＲコード（登録商標）、または他の識別マークまたはコンテナのスキャンを可能にする装置を持ち、従って、ＣＴＳアプリケーションに対して、コンテナおよびその物質を認識させることが出来るコンテナに保管され得る。例えば、前記物質は、認識されたコンテナに保管されている物質の一覧表を含む在庫リストによって確認され得る。スキャニングは、複数のサンプルを保管しているひとつのコンテナのスキャニングを含み得る、個別のサンプルを保管している個別のコンテナ（例えば、ガラス瓶、チューブ、または他のコンテナ）のスキャニングを含み得る、またはその両方を含み得る。次に、ＣＴＳアプリケーションは、提出される予定の前記物質と比較するために、この情報をサーバーへ通信することができる；受け取り中に移転される物質のリストをサーバーへ提供するために；それがひとつの場所から他の場所へ輸送されるので、前記物質の追跡を許可するために；およびその他の目的のために。
【０３４５】
（実施例３）
この実施例は、物質の確実な移転を論じる。ここでは、前記物質は、最初のひとつの場所にいる一人の管理者から、前記物質の次の場所への輸送に関わる一人の配達業者へ移転され得る、または、最初のひとつの場所から前記物質を輸送した一人の配達業者から、次の場所にいる一人の管理者へ移転され得る。例えば、一人の配達業者は、臨床サンプル、例えば血液サンプル、尿サンプル、喉の拭い液、または他の臨床サンプルが、ＳＣＬから分析場所へ輸送されるのを待っている、サンプル収集場所（ＳＣＬ）を網羅する輸送場所に到着し得る。例えば、臨床サンプルは、医師のオフィース、クリニック、病院、サンプル収集センター、小売り薬局、スーパーマーケット、または他の場所にて取集され得る、および、例えば、分析の為に中央研究所（例えば、ＣＬＩＡ認可の研究所）へ輸送され得る。ここで論じられる前記方法は、場所、管理者、および配達業者の他の組み合わせ、およびどの物質にも適用され得ると理解される。
【０３４６】
ＳＣＬに到着する以前、または到着時に、一人の配達業者は、溶解し得る、または非溶解であり得る、一つの錠剤を摂取する。その錠剤は、ＳＣＬにて検出可能である。さらに、非溶解性の錠剤は、前記配達業者によって摂取された後、回収可能であり得る。しかしながら、溶解性の錠剤は、通常回収は不可能である。溶解性の錠剤は、溶解するにしたがって変化するため、摂取後の限られた時間内での識別子として有益であり得る。非溶解性の錠剤は、非常に長い時間内において、または摂取後、事実上無制限の時間内および除去される以前は、有益な識別子であり得る；または、実施形態では、非溶解性の錠剤は、限られた時間内（例えば、摂取後の希望する時間または持続時間中にその識別物を不活化するタイマーまたは他の方法を含み得る）における識別子として有益であり得る。その錠剤が摂取後、識別子として有益である時限を制限することは、前記配達業者が、適切な場所、適切な時間にいる、適切な配達業者であるというさらなる確認を提示する。例えば、ある錠剤は、摂取後３０分間のみ識別子として有益であり得る；または、摂取後２０分間のみ識別子として有益であり得る；または、摂取後１０分間のみ識別子として有益であり得る；または、摂取後、他の限られた時限に識別子として有益であり得る。
【０３４７】
一つの錠剤は、前記配達業者による摂取後、検出可能であり得る；例えば、一つの錠剤は、放射線不透過性であり得る、および、従って、前記配達業者が適切な配達業者であると同定および確認することを可能にするために、エックス線または他のスキャンによる検出が可能であり得る。一つの錠剤は、電磁放射線に反応し得る、および、従って、前記配達業者へ直接向けられた、またはその方向への放射線に対する反応によって検出が可能であり得る、およびその反応、またはいくつかの反応は、前記配達業者が適切な配達業者であることを同定および証明するために使用され得る。ある錠剤は、超音波放射に反応し得る、および、従って、前記配達業者の方向へ、または直接照射された超音波に対する反応によって検出が可能であり得る、および、その反応、またはいくつかの反応は、前記配達業者が適切な配達業者であることを同定および証明するために使用され得る。一つの錠剤は、バッテリーまたは他の電力（例えば、その装置と体液の間における塩分または浸透性不均衡から派生する電力、または、例えば、電磁波、超音波または他のエネルギーから電力を供給するためのアンテナ、または圧電要素のような外部電源から電力を受け取る方法）を包括する能動的要素を含み得る、そしてこれらの能動的要素は、検出可能な電波、赤外線、または他の信号を発する、および、従って、その能動的要素は検出可能であり、および前記配達業者が適切な配達業者であることを同定および証明するために使用され得る。一つの錠剤は、入射信号またはエネルギーに反応する能動的要素を含み得る、および、従って、それらは検出可能である、および前記配達業者が適切な配達業者であることを同定および証明するために使用され得る；このような能動的要素は、それらの独自の電源（例えば、バッテリー電力、またはその装置と体液の間における塩分または浸透性不均衡から派生する電力）を含み得る、（例えば、上述で論じたように）外部電力を使用し得る、または、さもなければ、検出可能な信号を供給するために入射信号エネルギーを使用し得る。一つの錠剤は、前記配達業者に対し観察可能な効果を生み出す；例えば、それは肌、または目、または舌、または爪、または他の観察可能な前記配達業者の部分の外観に影響を与え得る、および、その観察可能な効果は、前記配達業者が適切な配達業者であることを同定および証明するために使用され得る。上述で論じたように、一人の配達業者は、一度限りの、またはある一定の時限のみ適切な配達業者であり得る；一つの錠剤の使用、特に、限られた時限内の識別子として有益な錠剤の使用は、適切な時間に前記配達業者の同定および確認することを提供するために有益である。
【０３４８】
同定および確認の手続きのひとつの実施例は、以下を含む：一人の配達業者がＳＣＬに到着する；前記配達業者は、一つの錠剤を服用する、その錠剤は、前記配達業者が３０分間正規の配達業者であることを示す信号を発する；その信号は、前記配達業者がＳＣＬに到着して３０分間以内にＳＣＬにて検出される；および前記配達業者は、適切な配達業者として適切に同定および証明される。
【０３４９】
同定および確認することの手続きのさらなる実施例は、以下を含む：１つの配達業者がＳＣＬに到着する；前記配達業者は一つの錠剤を服用する；その錠剤は、前記配達業者が３０分間正規の配達業者であることを示す信号を発する；その信号は、前記配達業者がＳＣＬに到着して３０分間以内にＳＣＬにて検出される；および前記配達業者は、適切な配達業者として適切に確認および証明される；前記管理者は一つの錠剤を服用する；前記管理者によって服用された錠剤は、前記管理者は３０分間正規の管理者であることを示す信号を発する；その信号は、前記配達業者がＳＣＬに到着して３０分間以内に前記配達業者によって検出される；および前記管理者は、適切な管理者として適切に確認および証明される。
【０３５０】
同定および確認手続きのさらなる実施例は、以下を含む：一人の配達業者がＳＣＬに到着する；前記配達業者は一つの錠剤を服用する；その錠剤は、前記配達業者が３０分間正規の配達業者であることを示す信号を発する；その信号は、前記配達業者がＳＣＬに到着して３０分間以内にＳＣＬにて検出される；および前記配達業者は、適切な配達業者として適切に確認および証明される；前記管理者が一つの錠剤を服用する；前記管理者によって服用された錠剤は、前記管理者は３０分間正規の管理者であることを示す信号を発する；その信号は、前記配達業者がＳＣＬに到着して３０分間以内に前記配達業者によって検出される；および前記管理者は、適切な管理者として適切に確認および証明される；前記管理者および前記配達業者は握手を交わす；それらの錠剤（前記配達業者によって服用された錠剤および前記管理者によって服用された錠剤）は、お互いに検出し合い、および証明し合う；それぞれの錠剤によって、彼らの対応物が適切な対応錠剤であると確認されると、それぞれの錠剤が他の錠剤を確認したということを示す一つの信号が発せられる；および、その場およびその時間における物質の移転が、適切に承認される。
【０３５１】
（実施例４）
この実施例は、物質の確実な移転を論じる。ここでは、前期物質は、最初の一つの場所における一人の管理者から、次の場所へ前期物質を輸送するための一人の配達業者へ移転され得る、または、最初の一つの場所から前期物質を輸送した一人の配達業者から、次の場所の一人の管理者へ移転され得る。例えば、一人の配達業者が,
臨床サンプル、例えば血液サンプル、尿サンプル、喉の拭い液、または他の臨床サンプルが、ＳＣＬから分析場所へ輸送されるのを待っている、ＳＣＬを含む輸送場所に到着し得る。例えば、臨床サンプルは、医師のオフィース、クリニック、病院、サンプル収集センター、小売り薬局、スーパーマーケット、または他の場所にて収集され得る、および、例えば、分析の為に中央研究所（例えば、ＣＬＩＡ認可の研究所）へ輸送され得る。ここで論じられる前記方法は、場所、管理者、および配達業者の他の組み合わせ、およびどの物質にも適用され得ると理解される。
【０３５２】
一人の配達業者は、前記配達業者の確認をする、および、少なくとも部分的に、前記配達業者は正規の配達業者であり、および物質をその時間に移転する適切な権限（例えば、輸送される予定の前記物質を収集する、または配送される予定の前記物質をを配送する、またはその両方）を持つことを証明する役目を果たす電子チップまたは電子装置を持ち得る、または携帯し得る。一人の配達業者は、一つ以上のそのような電子チップまたは電子装置を持ち得る、または携帯し得る。その電子チップまたは電子装置は、前記配達業者よって携帯され得る；前記配達業者に埋め込まれ得る（例えば、肌の下に挿入される、または前記配達業者の髪の毛に織り込まれる）、または、装飾品、着衣、または着衣に装着されるものとして着用でき得る（例えば、手首に、首の回りに、足首の回りに、腰の回りに、頭の上に、足、胴などに）。
【０３５３】
電子チップまたは電子装置は、受動的または能動的であれ、ＲＦＩＤまたは他の電子装置を含み得る。このような電子チップまたは電子装置は、単体またはシリアルナンバー、バーコード、認識マーク、同定カード、バッジ、識別カード、識別リング、ブレスレット、または他の記章、書類、または証明書などを含む他の同定および確認装置と共に使用され得る。
【０３５４】
電子チップまたは電子装置は、着装され、適切な配達業者とコンタクトし、または適切な配達業者に埋め込まれた時のみ、適切な同定または権限を提供するように設定され得る。例えば、その電子チップまたは電子装置は、装着者、またはそれがコンタクトした、または埋め込まれた人物が、適切な配達業者であると、たんぱく質マーカー（例えば、主要な組織適合性マーカーおよびパターン）から選定された識別特性を使用することによって決定し得る；遺伝的なマーカー（例えば、前記配達業者を同定するＤＮＡまたはＲＮＡ配列）；心拍数、呼吸パターン、電気皮膚反応、および前記配達業者を同定する他の生理学上のパターン；または他の識別特性。
【０３５５】
（実施例５）
この実施例は、確実な物質の移転を論じる。ここでは、前記物質は、最初のひとつの場所にいる一人の管理者から、次の場所へ前期物質を輸送するための一人の配達業者へ移転され得る、または、最初のひとつの場所から前記物質を輸送した一人の配達業者から、次の場所にいる一人の管理者へ移転され得る。例えば、一人の配達業者は、臨床サンプル、例えば血液サンプル、尿サンプル、喉の拭い液、または他の臨床サンプルが、ＳＣＬから分析場所へ輸送されるのを待っている、ＳＣＬを網羅する輸送場所に到着し得る。例えば、上述で論じたように、臨床サンプルは、医師のオフィース、クリニック、病院、サンプル収集センター、小売り薬局、スーパーマーケット、または他の場所にて収集され得る、および、例えば、分析の為に中央研究所（例えば、ＣＬＩＡ認可の研究所）へ輸送され得る。ここで論じられる前記方法は、場所、管理者、および配達業者の他の組み合わせ、およびどの物質にも適用され得ると理解される。
【０３５６】
一人の配達業者は、ＳＣＬに到着時に虹彩スキャンの対象となり得る。そのような虹彩スキャンの結果は、適切な配達業者として期待される虹彩スキャンの結果と比較され、その際に、前記配達業者は、正規の配達業者および物質の移転を行う適切な権限（例えば、輸送予定の前記物質を収集する、または配送予定の前記物質を配送する、またはその両方）を持つ配達業者であることを証明するために使用される。虹彩スキャンは、前記配達業者の片目のみで実施され得る、または両目で実施され得る。
【０３５７】
容貌、耳の形、声紋、および他の個人を同定する特徴などの他の同定要素は、虹彩スキャンと共に、または虹彩スキャンの代わりのいずれかに使用され得る。
【０３５８】
（実施例６）
この実施例は、物質の確実な移転を論じる。ここでは、前記物質は、最初のひとつの場所にいる一人の管理者から、次の場所にいる一人の配達業者へ移転され得る、または最初のひとつの場所にいる一人の管理者から、次の場所へ前期物質を輸送するための一人の配達業者へ移転され得る、または、最初のひとつの場所から前記物質を輸送した一人の配達業者から、次の場所にいる一人の管理者へ移転され得る。例えば、一人の配達業者は、臨床サンプル、例えば血液サンプル、尿サンプル、喉の拭い液、または他の臨床サンプルが、ＳＣＬから分析場所へ輸送されるのを待っている、ＳＣＬを網羅する輸送場所に到着し得る。例えば、上述で論じたように、臨床サンプルは、医師のオフィース、クリニック、病院、サンプル収集センター、小売り薬局、スーパーマーケット、または他の場所にて収集され得る、および、例えば、分析の為に中央研究所（例えば、ＣＬＩＡ認可の研究所）へ輸送され得る。ここで論じられる前記方法は、場所、管理者、および配達業者の他の組み合わせ、およびどの物質にも適用され得ると理解される。
【０３５９】
一人の配達業者は、ＳＣＬに到着時に遺伝子検査の対象となり得る。ＳＣＬに到着する一人の配達業者は、頬の拭い液、または唾液のサンプル、または毛包、または識別遺伝子物質の他の源を提出することを要求される；従って、提出された前記物質は、次に前記配達業者の身元を測定するために検査される。その検査結果が、前記配達業者は適切な配達業者であると証明する場合、およびその適切な配達業者が適切な時間に現れる場合、物質の移転は承認される。
【０３６０】
（実施例７）
前述の実施例において、および現アプリケーションの外においても、一人の配達業者を同定および確認することの実施例は、提供される；このような同定および確認方法は、一つの場所にいる一人の管理者にも適用され得る、および、従って、前記管理者の同定および確認は達成され得る、と理解される。
【０３６１】
前述の実施例において、および現アプリケーションの外においても、臨床サンプルのような物質の輸送の実施例は、これまでにも議論されて来た；これらの実施例において、一人の配達業者は物質と共に一つの場所に到着する、または物質を受け取るために一つの場所に到着する、および前記物質を受け取る、または受け取られる予定の前期物質の所有者である前記操作者の確認に続き、前記配達業者の同定は証明される。これらの実施例において、および現アプリケーションの外で議論された、確認する順番（例えば、配達業者、次に操作者）は、本明細書において開示される前記方法の他の実施形態（例えば、前記配達業者の確認以前に、前記操作者の確認をすること、または同時に確認すること）に変更され得る、と理解される。
【０３６２】
上述のことは、ここで記述されているように、好適な実施形態の完全な記載であるが、様々な代替案、修正案、および同等案を使用することは可能である。従って、現在の発明の範囲は、上述の記載を参照して決定されるべきではなく、同等案のそれらの完全な範囲と共に、添付された請求項を参照して決定されるべきである。任意の特徴は、好適であるか、またはないかに関わらず、いずれの他の特徴と組み合わせ得る。添付された請求項は、所定の請求項において、そのような限定を「ための方法」という語句を使用して明確に文章で詳述されない限り、方法・プラス・機能の限定を含むものとは解釈されない。
【０３６３】
この文章は、著作権保護の対象となる資料を含む。それらが米国特許および商標局の特許ファイルまたは記録に現れるので、その著作権保有者（本請求者）は、いずれかが、特許文献または特許開示を複写により複製することに反対するものではないが、そうでなければ、何であるかに関わらず、全ての著作権を保有する。以下の注意が適用される：著作権２０１３〜２０１４  テラノス社
【図１】
2019145123.tif 000003
【図２】
2019145123.tif 000004
【図３Ａ】
2019145123.tif 000005
【図３Ｂ】
2019145123.tif 000006
【図４Ａ】
2019145123.tif 000007
【図４Ｂ】
2019145123.tif 000008
【図４Ｃ】
2019145123.tif 000009
【図４Ｄ】
2019145123.tif 000010
【図５Ａ】
2019145123.tif 000011
【図５Ｂ】
2019145123.tif 000012
【図５Ｃ】
2019145123.tif 000013
【図５Ｄ】
2019145123.tif 000014
【図６Ａ】
2019145123.tif 000015
【図６Ｂ】
2019145123.tif 000016
【図７Ａ】
2019145123.tif 000017
【図７Ｂ】
2019145123.tif 000018
【図７Ｃ】
2019145123.tif 000019
【図７Ｄ】
2019145123.tif 000020
【図８Ａ】
2019145123.tif 000021
【図８Ｂ】
2019145123.tif 000022
【図９】
2019145123.tif 000023
【図１０】
2019145123.tif 000024
【図１１Ａ】
2019145123.tif 000025
【図１１Ｂ】
2019145123.tif 000026
【図１２Ａ】
2019145123.tif 000027
【図１２Ｂ】
2019145123.tif 000028
【図１３】
2019145123.tif 000029
【図１４】
2019145123.tif 000030
【図１５】
2019145123.tif 000031
【図１６】
2019145123.tif 000032
【図１７】
2019145123.tif 000033
【図１８】
2019145123.tif 000034
【図１９】
2019145123.tif 000035
【図２０】
2019145123.tif 000036
【図２１】
2019145123.tif 000037
【図２２】
2019145123.tif 000038
【図２３】
2019145123.tif 000039